(57)【要約】  ワイヤレス通信のための方法、システム、およびデバイスが説明される。ユーザ機器(UE)は、半永続スケジューリング(SPS)構成メッセージを基地局から受信することができ、SPS構成メッセージは、共有無線周波数スペクトル帯域を介したダウンリンクSPS通信のための少なくとも1つのSPSパラメータを含む。UEは、SPS構成に基づいて、ダウンリンクSPS通信のために割り振られた1つまたは複数のサブフレームまたはスロットを特定し得る。UEは、SPS構成に従って、1つまたは複数のサブフレームまたはスロットの間にダウンリンクSPS通信を実行し得る。
2021505017.tif 000002
【特許請求の範囲】
【請求項１】
ワイヤレス通信のための方法であって、
半永続スケジューリング(SPS)構成メッセージを基地局から受信するステップであって、前記SPS構成メッセージが、共有無線周波数スペクトル帯域を介したダウンリンクSPS通信のための少なくとも1つのSPSパラメータを備える、ステップと、
前記SPS構成に少なくとも一部基づいて、前記ダウンリンクSPS通信のために割り振られた1つまたは複数のサブフレームまたはスロットを特定するステップと、
前記SPS構成に従って、前記1つまたは複数のサブフレームまたはスロットの間に前記ダウンリンクSPS通信を実行するステップとを備える、方法。
【請求項２】
前記ダウンリンクSPS通信を実行するステップが、
前記SPS構成に従って、第1のサブフレームまたはスロットの間に前記共有無線周波数スペクトル帯域のチャネル上でメッセージが受信されなかったと決定するステップと、
前記決定に少なくとも一部基づいて、前記メッセージの送信のための前記第1のサブフレームまたはスロットに取って代わる第2のサブフレームまたはスロットを示すダウンリンクグラントを受信するステップと、
前記ダウンリンクグラントに従って前記第2のサブフレームまたはスロットの間に前記チャネル上で前記メッセージを受信するステップとを備える、請求項1に記載の方法。
【請求項３】
前記ダウンリンクグラントに従って、前記チャネルが第3のサブフレームまたはスロットの間に肯定応答/否定応答(ACK/NACK)メッセージの送信には利用不可能であると決定するステップと、
前記チャネルが利用不可能であることに少なくとも一部基づいて、前記ACK/NACKメッセージを省略するステップとをさらに備える、請求項2に記載の方法。
【請求項４】
前記ダウンリンクグラントを受信するステップが、
前記第1のサブフレームまたはスロットの間の前記チャネルの利用不可能性に少なくとも一部基づいて設定される前記ダウンリンクグラントの新規データインジケータ(NDI)フィールドを取得するステップを備える、請求項2に記載の方法。
【請求項５】
前記ダウンリンクグラントを受信するステップが、
前記第1のサブフレームまたはスロットの間の前記チャネルの利用不可能性に少なくとも一部基づいて、前記メッセージのための新しいハイブリッド自動再送要求(HARQ)プロセス割当てを取得するステップを備える、請求項2に記載の方法。
【請求項６】
前記ダウンリンクグラントが、前記メッセージと関連付けられる肯定応答/否定応答(ACK/NACK)リソースの指示を備える、請求項2に記載の方法。
【請求項７】
ACK/NACK送信のための複数の可能な物理アップリンク制御チャネル(PUCCH)リソースを示す構成メッセージを受信するステップをさらに備え、前記ダウンリンクグラントの中の前記ACK/NACKリソースの前記指示が前記可能なPUCCHリソースのうちの1つを特定する、請求項6に記載の方法。
【請求項８】
前記ダウンリンクSPS通信を実行するステップが、
前記SPS構成に従って、第1のサブフレームまたはスロットの間に前記共有無線周波数スペクトル帯域のチャネル上でメッセージが受信されなかったと決定するステップと、
前記決定に少なくとも一部基づいて、前記メッセージの送信およびSPS期間内の構成されるウィンドウのための、前記第1のサブフレームまたはスロットに取って代わる第2のサブフレームまたはスロットを特定するステップと、
前記第2のサブフレームまたはスロットの間に、前記チャネル上で前記メッセージのグラントレス送信を受信するステップとを備える、請求項1に記載の方法。
【請求項９】
前記SPS構成に少なくとも一部基づいて、前記構成されるウィンドウのウィンドウサイズを決定するステップをさらに備え、前記第2のサブフレームまたはスロットが前記決定に少なくとも一部基づいて特定される、請求項8に記載の方法。
【請求項１０】
前記第2のサブフレームまたはスロットを特定するステップが、
前記メッセージの前記グラントレス送信を検出するために、前記構成されるウィンドウ内の複数の連続するサブフレームまたはスロットを復号するステップを備える、請求項8に記載の方法。
【請求項１１】
前記構成されるウィンドウと関連付けられるウィンドウサイズを示す構成メッセージを受信するステップをさらに備え、前記ウィンドウサイズが前記構成されるウィンドウ内の複数のサブフレームまたはスロットを備える、請求項8に記載の方法。
【請求項１２】
前記第1のサブフレームまたはスロットの間に前記メッセージを受信することと関連付けられる送信パラメータを決定するステップをさらに備え、前記グラントレス送信が前記送信パラメータに少なくとも一部基づいて受信される、請求項8に記載の方法。
【請求項１３】
前記送信パラメータが、前記第1のサブフレームもしくはスロットの間の前記メッセージの受信に使用されるべき変調およびコーディング方式(MCS)、または、前記第1のサブフレームもしくはスロットの間の前記メッセージの前記受信と関連付けられるリソース割振り方式、またはこれらの組合せのうちの少なくとも1つを備える、請求項12に記載の方法。
【請求項１４】
前記メッセージを受信したことに少なくとも一部基づいて、および前記SPS構成に従って、第1の物理ランダムアクセスチャネル(PRACH)波形を使用する肯定応答(ACK)メッセージまたは第2のPRACH波形を使用する否定応答(NACK)メッセージのうちの少なくとも1つを送信するステップをさらに備える、請求項8に記載の方法。
【請求項１５】
前記ダウンリンクSPS通信を実行するステップが、
サブフレームまたはスロットの制御信号においてSPSトリガを検出するステップであって、前記SPSトリガが前記SPSパラメータに少なくとも一部基づく、ステップと、
前記SPSトリガに従って前記サブフレームまたはスロットにおいてダウンリンクメッセージを受信するステップとを備える、請求項1に記載の方法。
【請求項１６】
前記SPSトリガを検出するために、前記SPS構成と関連付けられる識別子を使用して前記制御信号のダウンリンク制御インジケータ(DCI)をデスクランブルするステップをさらに備える、請求項15に記載の方法。
【請求項１７】
前記識別子が、グループ共通SPSセル無線ネットワーク一時識別子(GC-SPS C-RNTI)を備える、請求項16に記載の方法。
【請求項１８】
前記SPSトリガを検出するために、SPS期間内の構成されるウィンドウ内の複数のサブフレームまたはスロットを監視するステップをさらに備え、前記複数のサブフレームまたはスロットが前記サブフレームまたはスロットを備える、請求項15に記載の方法。
【請求項１９】
前記少なくとも1つのSPSパラメータが、SPS周期、または前記SPS構成と関連付けられるハイブリッド自動再送要求(HARQ)プロセスの数、またはこれらの組合せを備える、請求項15に記載の方法。
【請求項２０】
前記SPS構成メッセージが、前記ダウンリンクメッセージのSPS送信のための前記サブフレームまたはスロットを特定しない、請求項15に記載の方法。
【請求項２１】
前記SPSトリガを検出するために、グループ共通物理ダウンリンク制御チャネル(GC-PDCCH)を復号するステップをさらに備える、請求項15に記載の方法。
【請求項２２】
前記GC-PDCCHが、UEおよび少なくとも1つの追加のUEのための前記SPSトリガを示す、請求項21に記載の方法。
【請求項２３】
前記ダウンリンクSPS通信を実行するステップが、
前記ダウンリンクSPS通信のために割り振られた前記1つまたは複数のサブフレームまたはスロットにおいてSPSパケットが受信されなかったと決定するステップと、
前記決定に少なくとも一部基づいて後続のサブフレームまたはスロットにおいてSPSトリガを検出するステップと、
前記SPSトリガに従って前記後続のサブフレームまたはスロットの間に前記チャネル上でメッセージを受信するステップとを備える、請求項1に記載の方法。
【請求項２４】
ワイヤレス通信のための方法であって、
共有無線周波数スペクトル帯域を介してダウンリンク半永続スケジューリング(SPS)通信を実行するための1つまたは複数のユーザ機器(UE)を特定するステップと、
前記共有無線周波数スペクトル帯域を介した前記ダウンリンクSPS通信のための少なくとも1つのSPSパラメータを備えるSPS構成メッセージを、前記1つまたは複数のUEに送信するステップと、
前記SPS構成に従って、1つまたは複数のサブフレームまたはスロットの間に前記ダウンリンクSPS通信を実行するステップとを備える、方法。
【請求項２５】
前記ダウンリンクSPS通信を実行するステップが、
前記SPS構成に従って、第1のサブフレームまたはスロットの間のメッセージの送信に前記共有無線周波数スペクトル帯域のチャネルが利用不可能であると決定するステップと、
前記チャネルの利用不可能性に少なくとも一部基づいてダウンリンクグラントを送信するステップであって、前記ダウンリンクグラントが、前記メッセージの送信のための前記第1のサブフレームまたはスロットに取って代わる第2のサブフレームまたはスロットを示す、ステップと、
前記ダウンリンクグラントに従って前記第2のサブフレームまたはスロットの間に前記チャネル上で前記メッセージを送信することを試みるステップとを備える、請求項24に記載の方法。
【請求項２６】
前記チャネルの前記利用不可能性に少なくとも一部基づいて、前記ダウンリンクグラントの新規データインジケータ(NDI)フィールドを設定するステップをさらに備える、請求項25に記載の方法。
【請求項２７】
前記第2のサブフレームまたはスロットの間に、前記チャネル上で前記メッセージを送信することを試みるステップが、
前記メッセージを送信するための前記第2のサブフレームまたはスロットの間に前記チャネルが利用不可能であると決定するステップと、
前記第2のサブフレームまたはスロットの間の前記チャネルの前記利用不可能性に少なくとも一部基づいて、新しいハイブリッド自動再送要求(HARQ)プロセスに前記メッセージを割り当てるステップとを備える、請求項25に記載の方法。
【請求項２８】
前記ダウンリンクグラントが、前記メッセージと関連付けられる肯定応答/否定応答(ACK/NACK)リソースの指示を備える、請求項25に記載の方法。
【請求項２９】
ACK/NACK送信のための複数の可能な物理アップリンク制御チャネル(PUCCH)リソースを示す構成メッセージを送信するステップをさらに備え、前記ダウンリンクグラントの中の前記ACK/NACKリソースの前記指示が前記可能なPUCCHリソースのうちの1つを特定する、請求項28に記載の方法。
【請求項３０】
前記第2のサブフレームまたはスロットの間に、前記チャネル上で前記メッセージを送信することを試みるステップが、
前記メッセージを送信するための前記第2のサブフレームまたはスロットの間に前記チャネルが利用不可能であると決定するステップと、
前記第2のサブフレームまたはスロットの間の前記チャネルの前記利用不可能性に基づいて前記メッセージを備えるパケットを省略するステップとを備える、請求項25に記載の方法。
【請求項３１】
前記第2のサブフレームまたはスロットの間に、前記チャネル上で前記メッセージを送信することを試みるステップが、
前記第2のサブフレームまたはスロットの間に前記チャネル上でクリアチャネルアセスメント(CCA)を実行するステップと、
前記CCAの結果に基づいて、前記第2のサブフレームまたはスロットの間に前記チャネル上で前記メッセージを送信するステップとを備える、請求項25に記載の方法。
【請求項３２】
前記ダウンリンクSPS通信を実行するステップが、
前記SPS構成に従って、第1のサブフレームまたはスロットの間のメッセージの送信に前記共有無線周波数スペクトル帯域のチャネルが利用不可能であると決定するステップと、
前記チャネルの利用不可能性およびSPS期間内の構成されるウィンドウに少なくとも一部基づいて、前記第1のサブフレームまたはスロットに取って代わる第2のサブフレームまたはスロットを選択するステップと、
前記選択された第2のサブフレームまたはスロットの間に、前記チャネル上で前記メッセージのグラントレス送信を実行するステップとを備える、請求項24に記載の方法。
【請求項３３】
前記構成されるウィンドウと関連付けられるウィンドウサイズを決定するステップをさらに備え、前記第2のサブフレームまたはスロットが前記ウィンドウサイズに少なくとも一部基づいて選択される、請求項32に記載の方法。
【請求項３４】
前記構成されるウィンドウと関連付けられるウィンドウサイズを示す構成メッセージを送信するステップをさらに備え、前記ウィンドウサイズが前記構成されるウィンドウ内の複数のサブフレームまたはスロットを備える、請求項32に記載の方法。
【請求項３５】
前記第1のサブフレームまたはスロットの間に前記メッセージの送信と関連付けられる送信パラメータを決定するステップをさらに備え、前記グラントレス送信が前記送信パラメータに少なくとも一部基づいて実行される、請求項32に記載の方法。
【請求項３６】
前記送信パラメータが、前記第1のサブフレームもしくはスロットの間の前記メッセージの送信に使用されるべき変調およびコーディング方式(MCS)、または、前記第1のサブフレームもしくはスロットの間の前記メッセージの前記送信と関連付けられるリソース割振り方式、またはこれらの組合せのうちの少なくとも1つを備える、請求項35に記載の方法。
【請求項３７】
前記SPS構成に従って送信される肯定応答(ACK)メッセージのために使用すべき第1の物理ランダムアクセスチャネル(PRACH)波形を特定するステップと、
前記SPS構成に従って送信される否定応答(NACK)メッセージのために使用すべき第2のPRACH波形を特定するステップとをさらに備える、請求項32に記載の方法。
【請求項３８】
定められた数のユーザ機器(UE)がアクティブなSPSプロセスと関連付けられると決定するステップと、
前記決定に少なくとも一部基づいて前記SPS構成のSPS周期を選択するステップとをさらに備える、請求項32に記載の方法。
【請求項３９】
前記ダウンリンクSPS通信を実行するステップが、
前記1つまたは複数のUEのうちのあるUEへのダウンリンクメッセージのSPS送信のためのサブフレームまたはスロットを選択するステップと、
前記サブフレームまたはスロットの間に制御信号を送信するステップであって、前記制御信号が、前記UEのための前記SPSパラメータに少なくとも一部基づくSPSトリガを備える、ステップと、
前記SPSトリガに従って前記サブフレームまたはスロットの間に前記ダウンリンクメッセージを前記UEに送信するステップとを備える、請求項24に記載の方法。
【請求項４０】
前記少なくとも1つのSPSパラメータが、SPS周期、または前記SPS構成と関連付けられるハイブリッド自動再送要求(HARQ)プロセスの数、またはこれらの組合せを備える、請求項39に記載の方法。
【請求項４１】
前記SPS構成メッセージが、前記ダウンリンクメッセージの前記SPS送信のための前記サブフレームまたはスロットを特定しない、請求項39に記載の方法。
【請求項４２】
前記UEのための前記SPSトリガを示すように、グループ共通物理ダウンリンク制御チャネル(GC-PDCCH)を構成するステップをさらに備える、請求項39に記載の方法。
【請求項４３】
前記UEおよび少なくとも1つの追加のUEのための前記SPSトリガを示すように前記GC-PDCCHの中の1つまたは複数のビットを構成するステップをさらに備える、請求項42に記載の方法。
【請求項４４】
前記SPSトリガを示すために、前記SPS構成と関連付けられる識別子を使用して前記制御信号のダウンリンク制御インジケータ(DCI)をスクランブルするステップをさらに備える、請求項39に記載の方法。
【請求項４５】
前記識別子が、グループ共通SPSセル無線ネットワーク一時識別子(GC-SPS C-RNTI)を備える、請求項44に記載の方法。
【請求項４６】
ワイヤレス通信のための装置であって、
半永続スケジューリング(SPS)構成メッセージを基地局から受信するための手段であって、前記SPS構成メッセージが、共有無線周波数スペクトル帯域を介したダウンリンクSPS通信のための少なくとも1つのSPSパラメータを備える、手段と、
前記SPS構成に少なくとも一部基づいて、前記ダウンリンクSPS通信のために割り振られた1つまたは複数のサブフレームまたはスロットを特定するための手段と、
前記SPS構成に従って、前記1つまたは複数のサブフレームまたはスロットの間に前記ダウンリンクSPS通信を実行するための手段とを備える、装置。
【請求項４７】
ダウンリンクSPS通信を実行するための前記手段が、
前記SPS構成に従って、第1のサブフレームまたはスロットの間に前記共有無線周波数スペクトル帯域のチャネル上でメッセージが受信されなかったと決定するための手段と、
前記決定に少なくとも一部基づいて、前記メッセージの送信のための前記第1のサブフレームまたはスロットに取って代わる第2のサブフレームまたはスロットを示すダウンリンクグラントを受信するための手段と、
前記ダウンリンクグラントに従って前記第2のサブフレームまたはスロットの間に前記チャネル上で前記メッセージを受信するための手段とを備える、請求項46に記載の装置。
【請求項４８】
ワイヤレス通信のための装置であって、
共有無線周波数スペクトル帯域を介してダウンリンク半永続スケジューリング(SPS)通信を実行するための1つまたは複数のユーザ機器(UE)を特定するための手段と、
前記共有無線周波数スペクトル帯域を介した前記ダウンリンクSPS通信のための少なくとも1つのSPSパラメータを備えるSPS構成メッセージを、前記1つまたは複数のUEに送信するための手段と、
前記SPS構成に従って、1つまたは複数のサブフレームまたはスロットの間に前記ダウンリンクSPS通信を実行するための手段とを備える、装置。
【請求項４９】
前記ダウンリンクSPS通信を実行するための前記手段が、
前記SPS構成に従って、第1のサブフレームまたはスロットの間のメッセージの送信に前記共有無線周波数スペクトル帯域のチャネルが利用不可能であると決定するための手段と、
前記チャネルの利用不可能性に少なくとも一部基づいてダウンリンクグラントを送信するための手段であって、前記ダウンリンクグラントが、前記メッセージの送信のための前記第1のサブフレームまたはスロットに取って代わる第2のサブフレームまたはスロットを示す、手段と、
前記ダウンリンクグラントに従って前記第2のサブフレームまたはスロットの間に前記チャネル上で前記メッセージを送信することを試みるための手段とを備える、請求項48に記載の装置。
【発明の詳細な説明】
【技術分野】
【０００１】
相互参照
本特許出願は、2018年10月25日に出願された「SEMI-PERSISTENT SCHEDULING FOR SHARED SPECTRUM DOWNLINK」という表題のYERRAMALLI他による米国特許出願第16/170,438号、および2017年11月27日に出願された「SEMI-PERSISTENT SCHEDULING FOR SHARED SPECTRUM DOWNLINK」という表題のYERRAMALLI他による米国仮特許出願第62/591,084号の利益を主張し、これらの各々が、本出願の譲受人に譲渡され、本明細書に明確に組み込まれる。
【０００２】
以下は、全般にワイヤレス通信に関し、より具体的には、共有スペクトルのための半永続スケジューリング(SPS)に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能であり得る。そのような多元接続システムの例には、Long Term Evolution(LTE)システム、LTE-Advanced(LTE-A)システムまたはLTE-A Proシステムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数多元接続(OFDMA)、または離散フーリエ変換拡散OFDM(DFT-S-OFDM)などの技法を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
いくつかのワイヤレス通信システムは、基地局および/またはUEが免許周波数のアンカーキャリアなしで使用できる、(たとえば、MulteFireネットワークにおける)共有または免許不要無線周波数スペクトル帯域で動作し得る。しかしながら、共有または免許不要無線周波数スペクトル帯域におけるワイヤレス通信のための媒体へのアクセスは、保証されていない。代わりに、ワイヤレス通信のためにチャネルにアクセスすることを試みるワイヤレスデバイスは、コンテンションベースのプロセス(たとえば、クリアチャネルアセスメント(CCA)手順、リッスンビフォアトーク(LBT)手順など)を実行してチャネルを確保し得る。成功すると、これらのコンテンションベースのプロセスは、ワイヤレスデバイスが動的に決定された送信機会(TxOP)の間にチャネル上で送信することを許可し得る。成功しないと、ワイヤレスデバイスは、バックオフ手順を実行することができ、後の時間にチャネル上で通信することをさらに試みることができる。
【０００５】
免許無線周波数スペクトル帯域において動作するワイヤレス通信システムは、半永続スケジューリング(SPS)技法を利用し得る。大まかには、SPSは、UEがある期間にわたって絶えずデータを定期的に送信または受信することが予想されるようなシナリオに対処する。1つの例は、セルラーを介した音声呼、またはその期間にわたって予測可能なペイロードを伴う小さいパケット送信に関わる他のプロセスに関わり得る。SPSの1つの利点は、制御シグナリングオーバーヘッドの低減である。しかしながら、従来のシステムは、チャネルアクセスが保証されていない共有または免許不要無線周波数スペクトルにおける使用に対して、SPS技法を適応させていない。
【発明の概要】
【課題を解決するための手段】
【０００６】
説明される技法は、共有スペクトルのための半永続スケジューリング(SPS)をサポートする改善された方法、システム、デバイス、または装置に関する。全般に、説明される技法は、MulteFireネットワークなどの、共有または免許不要無線周波数スペクトル帯域における半永続スケジューリング(SPS)技法の実装を可能にする。説明される技法の態様は、アップリンクおよび/またはダウンリンクワイヤレス通信に利用され得る。大まかには、SPS構成は、共有または免許不要無線周波数スペクトル帯域において動作するワイヤレスデバイスのために展開され得る。SPS構成は、SPS周期、SPS構成のためのハイブリッド自動再送要求(HARQ)プロセスなどを含み得る。全般に、SPS構成は、受信デバイスへのアップリンク(ユーザ機器(UE)からの)および/またはダウンリンク(基地局からの)ワイヤレス送信のためにスケジューリングされるサブフレームまたはスロットを規定し得る。基地局は、SPS構成情報を構成し、それを基地局のカバレッジエリア内で動作する1つまたは複数のUEに提供し、次いで、SPS構成に従って、いくつかのサブフレームまたはスロットの間にUEとのSPS通信(たとえば、アップリンクおよび/またはダウンリンク)を実行し得る。
【０００７】
いくつかの態様では、説明される技法は、以前の試みが成功しなかったとき(たとえば、媒体がビジーであり確保できないとき、および/または受信デバイスがSPSメッセージを適切に復号できなかったとき)、SPSメッセージの送信を可能にする。
【０００８】
いくつかの態様では、SPSメッセージ再送信はグラントベースであり得る(たとえば、アップリンクグラントまたはダウンリンクグラントを介して送信され得る)。たとえば、ダウンリンクSPSメッセージは、ダウンリンクSPSサブフレームまたはスロットにおいて成功しないことがある(たとえば、UEがチャネルを確保しないことがあり、および/または基地局が肯定応答(ACK)メッセージを受信しないことがある)。したがって、基地局は、ダウンリンクグラント指示をUEに送信することができ、UEは、メッセージの再送信のためにダウンリンクグラントにおいて割り振られたリソースを使用することができる。アップリンクSPSメッセージのシナリオでは、基地局は、SPSサブフレームまたはスロットの間に、UEからのアップリンクメッセージを受信しないことがあり、および/または適切に復号しないことがある。したがって、基地局は、アップリンクメッセージの再送信にリソースを割り振るアップリンクグラント指示を構成し、それをUEに送信し得る。UEは、アップリンクグラントを受信し、アップリンクメッセージの再送信のために割り振られたリソースを使用し得る。
【０００９】
いくつかの態様では、SPSメッセージ再送信はグラントレス再送信であり得る。たとえば、ダウンリンクSPSメッセージは、ダウンリンクSPSサブフレームまたはスロットにおいて成功しないことがある。したがって、基地局は、SPS構成の後続のサブフレームまたはスロットの間に、メッセージのグラントレス再送信を送信し得る。UEは、グラントレス再送信を検出するために、SPSサブフレームまたはスロット(たとえば、すべて、または構成されるウィンドウ内のもの)を監視し得る。アップリンクSPSメッセージのシナリオでは、基地局は、SPSサブフレームの間に、UEからのアップリンクメッセージを受信しないことがあり、および/または適切に復号しないことがある。基地局は、アップリンク送信が受信されなかったことを示すように、ダウンリンク制御インジケータ(DCI)内のビットを構成し得る。したがって、UEは、SPS構成の後続のサブフレームまたはスロットの間に、アップリンクメッセージのグラントレス再送信を実行し得る。基地局は、アップリンクメッセージのグラントレス再送信を検出するために、SPSで構成されたサブフレームまたはスロットを監視し得る。
【００１０】
いくつかの態様では、SPSメッセージ送信はトリガされ得る。たとえば、SPS構成は、SPS周期を特定し、HARQプロセスを特定することなどがあるが、どのサブフレームまたはスロットがSPSメッセージに使用されるべきかを特定しないことがある。したがって、基地局は、SPSメッセージの送信に割り振られるリソースを搬送するサブフレームまたはスロットのフィールド(たとえば、グループ共有物理ダウンリンク制御チャネル(GC-PDCCH)の中の)を構成し得る。ダウンリンクの例では、UEは、各々の(またはいくつかの)サブフレームまたはスロットの中のGC-PDCCHを復号することができ、そのサブフレームまたはスロットの間にそのUEに対するトリガが存在するかどうかを決定することができる。フィールドがトリガを示すように構成される場合、UEは、ダウンリンクメッセージを受信するために、サブフレームまたはスロットの対応する物理ダウンリンク共有チャネル(PDSCH)部分を復号する。アップリンクの例では、UEは、GC-PDCCHを復号して、そのサブフレームまたはスロットの間にそのUEに対するトリガが存在するかどうかを決定することができる。フィールドがトリガを示すように構成される場合、UEは、サブフレームまたはスロットの物理アップリンク共有チャネル(PUSCH)部分においてアップリンクメッセージを送信する。
【００１１】
ワイヤレス通信の方法が説明される。方法は、基地局から半永続スケジューリング(SPS)構成メッセージを受信するステップであって、SPS構成メッセージが、共有無線周波数スペクトル帯域を介したダウンリンクSPS通信のための少なくとも1つのSPSパラメータを含む、ステップと、SPS構成に基づいて、ダウンリンクSPS通信のために割り振られた1つまたは複数のサブフレームまたはスロットを特定するステップと、SPS構成に従って、1つまたは複数のサブフレームまたはスロットの間にダウンリンクSPS通信を実行するステップとを含み得る。
【００１２】
ワイヤレス通信のための装置が説明される。装置は、基地局から半永続スケジューリング(SPS)構成メッセージを受信するための手段であって、SPS構成メッセージが、共有無線周波数スペクトル帯域を介したダウンリンクSPS通信のための少なくとも1つのSPSパラメータを含む、手段と、SPS構成に基づいて、ダウンリンクSPS通信のために割り振られた1つまたは複数のサブフレームまたはスロットを特定するための手段と、SPS構成に従って、1つまたは複数のサブフレームまたはスロットの間にダウンリンクSPS通信を実行するための手段とを含み得る。
【００１３】
ワイヤレス通信のための別の装置が説明される。装置は、プロセッサと、プロセッサと電子的に通信しているメモリと、メモリに記憶された命令とを含み得る。命令は、プロセッサに、基地局から半永続スケジューリング(SPS)構成メッセージを受信させ、SPS構成メッセージが、共有無線周波数スペクトル帯域を介したダウンリンクSPS通信のための少なくとも1つのSPSパラメータを含み、SPS構成に基づいて、ダウンリンクSPS通信のために割り振られた1つまたは複数のサブフレームまたはスロットを特定させ、SPS構成に従って、1つまたは複数のサブフレームまたはスロットの間にダウンリンクSPS通信を実行させるように動作可能であり得る。
【００１４】
ワイヤレス通信のための非一時的コンピュータ可読媒体が説明される。非一時的コンピュータ可読媒体は、プロセッサに、基地局から半永続スケジューリング(SPS)構成メッセージを受信させ、SPS構成メッセージが、共有無線周波数スペクトル帯域を介したダウンリンクSPS通信のための少なくとも1つのSPSパラメータを含み、SPS構成に基づいて、ダウンリンクSPS通信のために割り振られた1つまたは複数のサブフレームまたはスロットを特定させ、SPS構成に従って、1つまたは複数のサブフレームまたはスロットの間にダウンリンクSPS通信を実行させるように動作可能な命令を含み得る。
【００１５】
上で説明された方法、装置、および非一時的コンピュータ可読媒体のいくつかの例では、ダウンリンクSPS通信を実行することは、SPS構成に従って、メッセージが第1のサブフレームまたはスロットの間に共有無線周波数スペクトルのチャネル上で受信されなかったと決定することを含み得る。上で説明された方法、装置、および非一時的コンピュータ可読媒体のいくつかの例はさらに、この決定に基づいて、メッセージの送信のための第1のサブフレームまたはスロットに取って代わる第2のサブフレームまたはスロットを示すダウンリンクグラントを受信するためのプロセス、特徴、手段、または命令を含み得る。上で説明された方法、装置、および非一時的コンピュータ可読媒体のいくつかの例はさらに、ダウンリンクグラントに従って第2のサブフレームまたはスロットの間にチャネル上でメッセージを受信するためのプロセス、特徴、手段、または命令を含み得る。
【００１６】
上で説明された方法、装置、および非一時的コンピュータ可読媒体のいくつかの例はさらに、ダウンリンクグラントに従って、第3のサブフレームまたはスロットの間の肯定応答/否定応答(ACK/NACK)メッセージの送信にチャネルが利用不可能であり得ると決定するためのプロセス、特徴、手段、または命令を含み得る。上で説明された方法、装置、および非一時的コンピュータ可読媒体のいくつかの例はさらに、チャネルが利用不可能であることに基づいてACK/NACKメッセージを省略するためのプロセス、特徴、手段、または命令を含み得る。
【００１７】
上で説明された方法、装置、および非一時的コンピュータ可読媒体のいくつかの例では、ダウンリンクグラントを受信することは、第1のサブフレームまたはスロットの間のチャネルの利用不可能性に基づいて設定され得るダウンリンクグラントの新規データインジケータ(NDI)フィールドを取得することを伴い得る。
【００１８】
上で説明された方法、装置、および非一時的コンピュータ可読媒体のいくつかの例では、ダウンリンクグラントを受信することは、第1のサブフレームまたはスロットの間のチャネルの利用不可能性に基づいてメッセージのための新しいハイブリッド自動再送要求(HARQ)プロセス割当てを取得することを伴い得る。
【００１９】
上で説明された方法、装置、および非一時的コンピュータ可読媒体のいくつかの例では、ダウンリンクグラントは、メッセージと関連付けられる肯定応答/否定応答(ACK/NACK)リソースの指示を含む。
【００２０】
上で説明された方法、装置、および非一時的コンピュータ可読媒体のいくつかの例はさらに、ACK/NACK送信のための複数の可能な物理アップリンク制御チャネル(PUCCH)リソースを示す構成メッセージを受信するためのプロセス、特徴、手段、または命令を含むことがあり、ダウンリンクグラントにおけるACK/NACKリソースの指示は、可能なPUCCHリソースのうちの1つを特定する。
【００２１】
上で説明された方法、装置、および非一時的コンピュータ可読媒体のいくつかの例では、ダウンリンクSPS通信を実行することは、SPS構成に従って、メッセージが第1のサブフレームまたはスロットの間に共有無線周波数スペクトル帯域のチャネル上で受信されなかったと決定することを伴い得る。上で説明された方法、装置、および非一時的コンピュータ可読媒体のいくつかの例はさらに、この決定に基づいて、メッセージの送信およびSPS期間内の構成されるウィンドウのための第1のサブフレームまたはスロットに取って代わる第2のサブフレームまたはスロットを特定するためのプロセス、特徴、手段、または命令を含み得る。上で説明された方法、装置、および非一時的コンピュータ可読媒体のいくつかの例はさらに、第2のサブフレームまたはスロットの間にチャネル上でメッセージのグラントレス送信を受信するためのプロセス、特徴、手段、または命令を含み得る。
【００２２】
上で説明された方法、装置、および非一時的コンピュータ可読媒体のいくつかの例はさらに、SPS構成に基づいて、構成されるウィンドウのウィンドウサイズを決定するためのプロセス、特徴、手段、または命令を含むことがあり、第2のサブフレームまたはスロットは、この決定に基づいて特定されることがある。
【００２３】
上で説明された方法、装置、および非一時的コンピュータ可読媒体のいくつかの例では、第2のサブフレームまたはスロットを特定することは、メッセージのグラントレス送信を検出するために、構成されるウィンドウ内の複数の連続するサブフレームまたはスロットを復号することを伴い得る。
【００２４】
上で説明された方法、装置、および非一時的コンピュータ可読媒体のいくつかの例はさらに、構成されるウィンドウと関連付けられるウィンドウサイズを示す構成メッセージを受信するためのプロセス、特徴、手段、または命令を含むことがあり、ウィンドウサイズは、構成されるウィンドウ内の複数のサブフレームまたはスロットを含む。
【００２５】
上で説明された方法、装置、および非一時的コンピュータ可読媒体のいくつかの例はさらに、第1のサブフレームまたはスロットの間にメッセージを受信することと関連付けられる送信パラメータを決定するためのプロセス、特徴、手段、または命令を含むことがあり、グラントレス送信は、送信パラメータに基づいて受信されることがある。
【００２６】
上で説明された方法、装置、および非一時的コンピュータ可読媒体のいくつかの例では、送信パラメータは、第1のサブフレームもしくはスロットの間のメッセージの受信に使用されるべき少なくとも1つの変調およびコーディング方式(MCS)、または、第1のサブフレームもしくはスロットの間のメッセージの受信と関連付けられるリソース割振り方式、またはこれらの組合せを含み得る。
【００２７】
上で説明された方法、装置、および非一時的コンピュータ可読媒体のいくつかの例はさらに、メッセージを受信したことに基づいて、およびSPS構成に従って、第1の物理ランダムアクセスチャネル(PRACH)波形を使用する肯定応答(ACK)メッセージ、または第2のPRACH波形を使用する否定応答(NACK)メッセージのうちの少なくとも1つを送信するためのプロセス、特徴、手段、または命令を含み得る。
【００２８】
上で説明された方法、装置、および非一時的コンピュータ可読媒体のいくつかの例はさらに、ダウンリンクSPS通信を実行することは、サブフレームまたはスロットの制御信号においてSPSトリガを検出することを伴うことがあり、SPSトリガはSPSパラメータに基づく。上で説明された方法、装置、および非一時的コンピュータ可読媒体のいくつかの例はさらに、SPSトリガに従ってサブフレームまたはスロットにおいてダウンリンクメッセージを受信するためのプロセス、特徴、手段、または命令を含み得る。
【００２９】
上で説明された方法、装置、および非一時的コンピュータ可読媒体のいくつかの例はさらに、SPSトリガを検出するために、SPS構成と関連付けられる識別子を使用して制御信号のダウンリンク制御インジケータ(DCI)をデスクランブルするためのプロセス、特徴、手段、または命令を含み得る。
【００３０】
上で説明された方法、装置、および非一時的コンピュータ可読媒体のいくつかの例では、識別子は、グループ共有SPSセル無線ネットワーク一時識別子(GC-SPS C-RNTI)を含む。
【００３１】
上で説明された方法、装置、および非一時的コンピュータ可読媒体のいくつかの例はさらに、SPSトリガを検出するために、SPS期間内の構成されるウィンドウ内のある数のサブフレームまたはスロットを監視するためのプロセス、特徴、手段、または命令を含むことがあり、その数のサブフレームまたはスロットはサブフレームまたはスロットに含まれる。
【００３２】
上で説明された方法、装置、および非一時的コンピュータ可読媒体のいくつかの例では、少なくとも1つのSPSパラメータは、SPS周期、またはSPS構成と関連付けられるハイブリッド自動再送要求(HARQ)プロセスの数、またはこれらの組合せを含む。
【００３３】
上で説明された方法、装置、および非一時的コンピュータ可読媒体のいくつかの例では、SPS構成メッセージは、ダウンリンクメッセージのSPS送信のためのサブフレームまたはスロットを特定しない。
【００３４】
上で説明された方法、装置、および非一時的コンピュータ可読媒体のいくつかの例はさらに、SPSトリガを検出するために、グループ共通物理ダウンリンク制御チャネル(GC-PDCCH)を復号するためのプロセス、特徴、手段、または命令を含み得る。
【００３５】
上で説明された方法、装置、および非一時的コンピュータ可読媒体のいくつかの例では、GC-PDCCHは、UEのための、および少なくとも1つの追加のUEのための、SPSトリガを示す。
【００３６】
上で説明された方法、装置、および非一時的コンピュータ可読媒体のいくつかの例では、ダウンリンクSPS通信を実行することは、ダウンリンクSPS通信に割り振られた1つまたは複数のサブフレームまたはスロットにおいてSPSパケットが受信されなかったと決定することを伴い得る。上で説明された方法、装置、および非一時的コンピュータ可読媒体のいくつかの例はさらに、この決定に基づいて、後続のサブフレームまたはスロットにおいてSPSトリガを検出するためのプロセス、特徴、手段、または命令を含み得る。上で説明された方法、装置、および非一時的コンピュータ可読媒体のいくつかの例はさらに、SPSトリガに従って後続のサブフレームまたはスロットの間にチャネル上でメッセージを受信するためのプロセス、特徴、手段、または命令を含み得る。
【００３７】
ワイヤレス通信の方法が説明される。方法は、共有無線周波数スペクトル帯域を介したダウンリンク半永続スケジューリング(SPS)通信を実行するための1つまたは複数のユーザ機器(UE)を特定するステップと、共有無線周波数スペクトル帯域を介したダウンリンクSPS通信のための少なくとも1つのSPSパラメータを含むSPS構成メッセージを1つまたは複数のUEに送信するステップと、SPS構成に従って1つまたは複数のサブフレームまたはスロットの間にダウンリンクSPS通信を実行するステップとを含み得る。
【００３８】
ワイヤレス通信のための装置が説明される。装置は、共有無線周波数スペクトル帯域を介したダウンリンク半永続スケジューリング(SPS)通信を実行するための1つまたは複数のユーザ機器(UE)を特定するための手段と、共有無線周波数スペクトル帯域を介したダウンリンクSPS通信のための少なくとも1つのSPSパラメータを含むSPS構成メッセージを1つまたは複数のUEに送信するための手段と、SPS構成に従って1つまたは複数のサブフレームまたはスロットの間にダウンリンクSPS通信を実行するための手段とを含み得る。
【００３９】
ワイヤレス通信のための別の装置が説明される。装置は、プロセッサと、プロセッサと電子的に通信しているメモリと、メモリに記憶された命令とを含み得る。命令は、プロセッサに、共有無線周波数スペクトル帯域を介したダウンリンク半永続スケジューリング(SPS)通信を実行するための1つまたは複数のユーザ機器(UE)を特定させ、共有無線周波数スペクトル帯域を介したダウンリンクSPS通信のための少なくとも1つのSPSパラメータを含むSPS構成メッセージを1つまたは複数のUEへ送信させ、SPS構成に従って1つまたは複数のサブフレームまたはスロットの間にダウンリンクSPS通信を実行させるように動作可能であり得る。
【００４０】
ワイヤレス通信のための非一時的コンピュータ可読媒体が説明される。非一時的コンピュータ可読媒体は、プロセッサに、共有無線周波数スペクトル帯域を介したダウンリンク半永続スケジューリング(SPS)通信を実行するための1つまたは複数のユーザ機器(UE)を特定させ、共有無線周波数スペクトル帯域を介したダウンリンクSPS通信のための少なくとも1つのSPSパラメータを含むSPS構成メッセージを1つまたは複数のUEへ送信させ、SPS構成に従って1つまたは複数のサブフレームまたはスロットの間にダウンリンクSPS通信を実行させるように動作可能な命令を含み得る。
【００４１】
上で説明された方法、装置、および非一時的コンピュータ可読媒体のいくつかの例では、ダウンリンクSPS通信を実行することは、SPS構成に従って、共有無線周波数スペクトルのチャネルが第1のサブフレームまたはスロットの間のメッセージの送信には利用不可能であり得ると決定することを伴い得る。上で説明された方法、装置、および非一時的コンピュータ可読媒体のいくつかの例はさらに、チャネルの利用不可能性に基づいて、ダウンリンクグラントを送信するためのプロセス、特徴、手段、または命令を含むことがあり、ダウンリンクグラントは、メッセージの送信のための第1のサブフレームに取って代わる第2のサブフレームまたはスロットを示す。上で説明された方法、装置、および非一時的コンピュータ可読媒体のいくつかの例はさらに、ダウンリンクグラントに従って第2のサブフレームまたはスロットの間にチャネル上でメッセージを送信することを試みるためのプロセス、特徴、手段、または命令を含み得る。
【００４２】
上で説明された方法、装置、および非一時的コンピュータ可読媒体のいくつかの例はさらに、チャネルの利用不可能性に基づいて、ダウンリンクグラントの新規データインジケータ(NDI)フィールドを設定するためのプロセス、特徴、手段、または命令を含み得る。
【００４３】
上で説明された方法、装置、および非一時的コンピュータ可読媒体のいくつかの例では、第2のサブフレームまたはスロットの間にチャネル上でメッセージを送信することを試みることは、メッセージを送信するために第2のサブフレームまたはスロットの間にチャネルが利用不可能であり得ると決定することを伴い得る。上で説明された方法、装置、および非一時的コンピュータ可読媒体のいくつかの例はさらに、第2のサブフレームまたはスロットの間のチャネルの利用不可能性に基づいて、新しいハイブリッド自動再送要求(HARQ)プロセスにメッセージを割り当てるためのプロセス、特徴、手段、または命令を含み得る。
【００４４】
上で説明された方法、装置、および非一時的コンピュータ可読媒体のいくつかの例では、ダウンリンクグラントは、メッセージと関連付けられる肯定応答/否定応答(ACK/NACK)リソースの指示を含む。
【００４５】
上で説明された方法、装置、および非一時的コンピュータ可読媒体のいくつかの例はさらに、ACK/NACK送信のための複数の可能な物理アップリンク制御チャネル(PUCCH)リソースを示す構成メッセージを送信するためのプロセス、特徴、手段、または命令を含むことがあり、ダウンリンクグラントにおけるACK/NACKリソースの指示は、可能なPUCCHリソースのうちの1つを特定する。
【００４６】
上で説明された方法、装置、および非一時的コンピュータ可読媒体のいくつかの例では、第2のサブフレームまたはスロットの間にチャネル上でメッセージを送信することを試みることは、メッセージを送信するために第2のサブフレームまたはスロットの間にチャネルが利用不可能であり得ると決定することを伴い得る。上で説明された方法、装置、および非一時的コンピュータ可読媒体のいくつかの例はさらに、第2のサブフレームまたはスロットの間にチャネル上の利用不可能性に基づいてメッセージを含むパケットを省略するためのプロセス、特徴、手段、または命令を含み得る。
【００４７】
上で説明された方法、装置、および非一時的コンピュータ可読媒体のいくつかの例では、第2のサブフレームまたはスロットの間にチャネル上でメッセージを送信することを試みることは、第2のサブフレームまたはスロットの前にチャネルに対してクリアチャネルアセスメント(CCA)を実行することを伴い得る。上で説明された方法、装置、および非一時的コンピュータ可読媒体のいくつかの例はさらに、CCAの結果に基づいて第2のサブフレームまたはスロットの間にチャネル上でメッセージを送信するためのプロセス、特徴、手段、または命令を含み得る。
【００４８】
上で説明された方法、装置、および非一時的コンピュータ可読媒体のいくつかの例では、ダウンリンクSPS通信を実行することは、SPS構成に従って、共有高周波スペクトルのチャネルが第1のサブフレームまたはスロットの間のメッセージの送信には利用不可能であり得ると決定することを伴い得る。上で説明された方法、装置、および非一時的コンピュータ可読媒体のいくつかの例はさらに、チャネルの利用不可能性およびSPS期間内の構成されるウィンドウに基づいて第1のサブフレームまたはスロットに取って代わる第2のサブフレームまたはスロットを選択するためのプロセス、特徴、手段、または命令を含み得る。上で説明された方法、装置、および非一時的コンピュータ可読媒体のいくつかの例はさらに、選択された第2のサブフレームまたはスロットの間にチャネル上でメッセージのグラントレス送信を実行するためのプロセス、特徴、手段、または命令を含み得る。
【００４９】
上で説明された方法、装置、および非一時的コンピュータ可読媒体のいくつかの例はさらに、構成されるウィンドウと関連付けられるウィンドウサイズを決定するためのプロセス、特徴、手段、または命令を含むことがあり、第2のサブフレームまたはスロットはウィンドウサイズに基づいて選択されることがある。
【００５０】
上で説明された方法、装置、および非一時的コンピュータ可読媒体のいくつかの例はさらに、構成されるウィンドウと関連付けられるウィンドウサイズを示す構成メッセージを送信するためのプロセス、特徴、手段、または命令を含むことがあり、ウィンドウサイズは、構成されるウィンドウ内の複数のサブフレームまたはスロットを含む。
【００５１】
上で説明された方法、装置、および非一時的コンピュータ可読媒体のいくつかの例はさらに、第1のサブフレームまたはスロットの間のメッセージの送信と関連付けられる送信パラメータを決定するためのプロセス、特徴、手段、または命令を含むことがあり、グラントレス送信は、送信パラメータに基づいて実行されることがある。
【００５２】
上で説明された方法、装置、および非一時的コンピュータ可読媒体のいくつかの例では、送信パラメータは、第1のサブフレームもしくはスロットの間のメッセージの送信に使用されるべき少なくとも1つの変調およびコーディング方式(MCS)、または、第1のサブフレームもしくはスロットの間のメッセージの送信と関連付けられるリソース割振り方式、またはこれらの組合せを含む。
【００５３】
上で説明された方法、装置、および非一時的コンピュータ可読媒体のいくつかの例はさらに、SPS構成に従って送信される肯定応答(ACK)メッセージのために使用すべき第1の物理ランダムアクセスチャネル(PRACH)波形を特定するためのプロセス、特徴、手段、または命令を含み得る。上で説明された方法、装置、および非一時的コンピュータ可読媒体のいくつかの例はさらに、SPS構成に従って送信される否定応答(NACK)メッセージのために使用すべき第2のPRACH波形を特定するためのプロセス、特徴、手段、または命令を含み得る。
【００５４】
上で説明された方法、装置、および非一時的コンピュータ可読媒体のいくつかの例はさらに、ある定められた数のユーザ機器(UE)がアクティブなSPSプロセスと関連付けられ得ると決定するためのプロセス、特徴、手段、または命令を含み得る。上で説明された方法、装置、および非一時的コンピュータ可読媒体のいくつかの例はさらに、この決定に基づいて、SPS構成のSPS周期を選択するためのプロセス、特徴、手段、または命令を含み得る。
【００５５】
上で説明された方法、装置、および非一時的コンピュータ可読媒体のいくつかの例では、ダウンリンクSPS通信を実行することは、1つまたは複数のUEのうちのあるUEへのダウンリンクメッセージのSPS送信のためのサブフレームまたはスロットを選択することを伴い得る。上で説明された方法、装置、および非一時的コンピュータ可読媒体のいくつかの例はさらに、サブフレームまたはスロットの間に制御信号を送信するためのプロセス、特徴、手段、または命令を含むことがあり、制御信号は、UEのためのSPSパラメータに基づくSPSトリガを含む。上で説明された方法、装置、および非一時的コンピュータ可読媒体のいくつかの例はさらに、SPSトリガに従ってサブフレームまたはスロットの間にダウンリンクメッセージをUEに送信するためのプロセス、特徴、手段、または命令を含み得る。
【００５６】
上で説明された方法、装置、および非一時的コンピュータ可読媒体のいくつかの例では、少なくとも1つのSPSパラメータは、SPS周期、またはSPS構成と関連付けられるハイブリッド自動再送要求(HARQ)プロセスの数、またはこれらの組合せを含む。
【００５７】
上で説明された方法、装置、および非一時的コンピュータ可読媒体のいくつかの例では、SPS構成メッセージは、ダウンリンクメッセージのSPS送信のためのサブフレームまたはスロットを特定しない。
【００５８】
上で説明された方法、装置、および非一時的コンピュータ可読媒体のいくつかの例はさらに、UEのためのSPSトリガを示すようにグループ共通物理ダウンリンク制御チャネル(GC-PDCCH)を構成するためのプロセス、特徴、手段、または命令を含み得る。
【００５９】
上で説明された方法、装置、および非一時的コンピュータ可読媒体のいくつかの例はさらに、UEおよび少なくとも1つの追加のUEのためのSPSトリガを示すようにGC-PDCCHの中の1つまたは複数のビットを構成するためのプロセス、特徴、手段、または命令を含み得る。
【００６０】
上で説明された方法、装置、および非一時的コンピュータ可読媒体のいくつかの例はさらに、SPSトリガを示すために、SPS構成と関連付けられる識別子を使用して制御信号のダウンリンク制御インジケータ(DCI)をスクランブルするためのプロセス、特徴、手段、または命令を含み得る。
【００６１】
上で説明された方法、装置、および非一時的コンピュータ可読媒体のいくつかの例では、識別子は、グループ共有SPSセル無線ネットワーク一時識別子(GC-SPS C-RNTI)を含む。
【図面の簡単な説明】
【００６２】
【図１】本開示の態様による、共有スペクトルのためのSPSをサポートする、ワイヤレス通信のためのシステムの例を示す図である。
【図２】本開示の態様による、共有スペクトルのためのSPSをサポートする、ワイヤレス通信のためのシステムの例を示す図である。
【図３】本開示の態様による、共有スペクトルのためのSPSをサポートする、SPS構成の例を示す図である。
【図４】本開示の態様による、共有スペクトルのためのSPSをサポートする、SPS構成の例を示す図である。
【図５】本開示の態様による、共有スペクトルのためのSPSをサポートする、SPS構成の例を示す図である。
【図６】本開示の態様による、共有スペクトルのためのSPSをサポートする、プロセスの例を示す図である。
【図７】本開示の態様による、共有スペクトルのためのSPSをサポートする、SPS構成の例を示す図である。
【図８】本開示の態様による、共有スペクトルのためのSPSをサポートする、SPS構成の例を示す図である。
【図９】本開示の態様による、共有スペクトルのためのSPSをサポートする、SPS構成の例を示す図である。
【図１０】本開示の態様による、共有スペクトルのためのSPSをサポートする、プロセスの例を示す図である。
【図１１】本開示の態様による、共有スペクトルのためのSPSをサポートするデバイスのブロック図である。
【図１２】本開示の態様による、共有スペクトルのためのSPSをサポートするデバイスのブロック図である。
【図１３】本開示の態様による、共有スペクトルのためのSPSをサポートするデバイスのブロック図である。
【図１４】本開示の態様による、共有スペクトルのためのSPSをサポートするUEを含むシステムのブロック図である。
【図１５】本開示の態様による、共有スペクトルのためのSPSをサポートするデバイスのブロック図である。
【図１６】本開示の態様による、共有スペクトルのためのSPSをサポートするデバイスのブロック図である。
【図１７】本開示の態様による、共有スペクトルのためのSPSをサポートするデバイスのブロック図である。
【図１８】本開示の態様による、共有スペクトルのためのSPSをサポートする基地局を含むシステムのブロック図である。
【図１９】本開示の態様による、共有スペクトルのためのSPSのための方法を示す図である。
【図２０】本開示の態様による、共有スペクトルのためのSPSのための方法を示す図である。
【図２１】本開示の態様による、共有スペクトルのためのSPSのための方法を示す図である。
【図２２】本開示の態様による、共有スペクトルのためのSPSのための方法を示す図である。
【図２３】本開示の態様による、共有スペクトルのためのSPSのための方法を示す図である。
【図２４】本開示の態様による、共有スペクトルのためのSPSのための方法を示す図である。
【図２５】本開示の態様による、共有スペクトルのためのSPSのための方法を示す図である。
【図２６】本開示の態様による、共有スペクトルのためのSPSのための方法を示す図である。
【発明を実施するための形態】
【００６３】
いくつかのワイヤレスシステムでは、基地局および/またはユーザ機器(UE)などのワイヤレスデバイスは、免許不要無線周波数帯域において動作し得る。一例として、MulteFire無線アクセス技術は、免許不要または共有周波数帯域において動作し得る。MulteFireネットワークは、免許周波数のアンカーキャリアなしで免許不要無線周波数スペクトル帯域において通信する基地局および/またはUEを含み得る。たとえば、MulteFireネットワークは、免許スペクトルにおいてアンカーキャリアなしで動作し得る。免許不要または共有通信媒体における動作は、異なる無線アクセス技術(RAT)、または、利用可能な共有無線周波数(RF)スペクトルを使用する複数のモバイルネットワーク事業者を含み得る。したがって、ワイヤレスデバイスは、クリアチャネルアセスメント(CCA)手順、リッスンビフォアトーク(LBT)手順などの、様々な機構を使用して、媒体アクセスをめぐって争い得る。したがって、いくつかの事例では、チャネルは、特定のサブフレームまたはスロットの間に利用不可能であり得る。
【００６４】
半永続スケジューリング(SPS)技法は通常、媒体へのアクセスがより安定的である(たとえば、無線リソースが基地局によって割り振られる)免許無線周波数スペクトル帯域において使用するために展開される。通常、SPS技法は、永続的な無線リソースがある一定の間隔で(たとえば、voice over Internet Protocol(VoIP)またはvoice over Long Term Evolution(VoLTE)呼をサポートするために)割り振られるような状況において制御チャネル(たとえば、PDCCH)オーバーヘッドを減らすように展開される。これは、UEが短いまたは一定の間隔で比較的小さいパケットを生成するようなシナリオを含み得る。SPS動作の間、リソース割振り、変調およびコーディング方式(MCS)などは、現在のSPS構成に対して固定され得る。従来は、新しいSPS構成は、無線リンク条件が変化するときに展開され、再送信は別々にスケジューリングされ得る。
【００６５】
最初に、ワイヤレス通信システムの文脈で本開示の態様が説明される。本開示の態様は、共有または免許不要無線周波数スペクトル帯域へのSPS技法の適応を可能にする。説明される技法は、共有または免許不要無線周波数スペクトル帯域におけるアップリンクおよび/またはダウンリンクSPS通信のために使用され得る。大まかには、基地局は、SPS構成を示す構成メッセージをUEに送信し得る。SPS構成は、アップリンクおよび/またはダウンリンクSPS通信を実行することと関連付けられるSPSパラメータを含み得る。UEおよび/または基地局は、SPS通信において使用するために割り振られたサブフレームまたはスロットを特定するために、SPS構成を使用し得る。基地局およびUEは次いで、SPS構成に従って、サブフレームまたはスロットの間にSPS通信を実行し得る。いくつかの態様では、説明される技法は、グラントベースSPS送信、グラントレスSPS送信、および/またはトリガされたSPS送信を可能にする。
【００６６】
グラントベース方式の一例として、基地局は、ダウンリンクメッセージ送信がSPSで構成されるサブフレームまたはスロットの間に成功しなかったと決定し得る。全般に、不成功であるものとしてのメッセージの送信への言及は、送信デバイスがメッセージを送信するためのチャネルを確保できないこと(たとえば、CCA/LBT手順の不成功により)、および/または、受信デバイスがメッセージの復号に成功できないことを指し得る。したがって、基地局は、第2のSPSで構成されるサブフレームまたはスロット(たとえば、次の送信機会(TxOP)の中の)を特定し、メッセージの再送信に割り振られたダウンリンクリソースを特定するUEにダウンリンクグラントを送信し得る。基地局は、第2のサブフレームまたはスロットの間にメッセージを送信するために割り振られたリソースを使用し得る。アップリンクのシナリオでは、基地局は、SPSで構成されるサブフレームまたはスロットの間にアップリンクメッセージ送信が受信されなかったと決定し得る。したがって、基地局は、第2のサブフレームまたはスロットの間にメッセージを送信するために、UEに割り振られたリソースを特定するアップリンクグラント指示をUEに送信し得る。したがって、グラントベースのSPSメッセージ送信方式は、チャネルアクセスが保証されないことがある共有または免許不要無線周波数スペクトル帯域へとSPS技法を実装することの例であり得る。
【００６７】
グラントレス方式の一例として、基地局は、ダウンリンクメッセージ送信がSPSで構成されるサブフレームまたはスロットの間に成功しなかったと決定し得る。したがって、基地局は、第2のSPSで構成されるサブフレームまたはスロット(たとえば、構成されるウィンドウ内のサブフレームまたはスロット)を特定し、UEへのSPSメッセージのグラントレス送信を実行し得る。UEは、どのサブフレームまたはスロットがメッセージ送信を搬送するかを決定するために、SPSで構成されるサブフレームまたはスロットを監視し得る。アップリンクのシナリオでは、UEは、SPSサブフレームまたはスロットの間のアップリンク送信が基地局において受信されなかったと決定し得る。UEは、第2のサブフレームまたはスロット(たとえば、構成されるウィンドウ内のサブフレームまたはスロット)を特定し、基地局へのメッセージのグラントレス送信を実行し得る。基地局は、どのサブフレームまたはスロットがメッセージ送信を搬送するかを決定するために、SPSで構成されるサブフレームを監視し得る。
【００６８】
トリガベースの方式の一例では、基地局は、SPS構成情報を送信することがあるが、SPSメッセージ送信がその中で発生することになるサブフレームまたはスロットを特定しないことがある。代わりに、基地局は、SPSメッセージが通信されているサブフレームまたはスロットの間にGC-PDCCHフィールドにおいてビットを符号化することによって、SPSメッセージ送信をトリガし得る。ダウンリンクのシナリオでは、UEは、SPSで構成されるサブフレームまたはスロットの制御部分を監視して、トリガを検出し、存在する場合にはそのサブフレームまたはスロットにおいてダウンリンク送信を受信し得る。アップリンクのシナリオでは、UEはやはり、SPSで構成されるサブフレームまたはスロットの制御部分を監視して、トリガを検出し、存在する場合には構成されるサブフレームまたはスロットにおいてアップリンク送信を送信し得る。いくつかの態様では、サブフレームまたはスロットの制御部分のビットの数は、SPSトリガを複数のUEに提供し得る。
【００６９】
本開示の態様はさらに、共有スペクトルのためのSPSに関する装置図、システム図、およびフローチャートによって示され、それらを参照して説明される。
【００７０】
図1は、本開示の様々な態様による、共有スペクトルのためのSPSをサポートするワイヤレス通信システム100の例を示す。本開示は、高帯域幅動作などの明確な特徴をサポートするように設計されている、次世代ネットワーク(たとえば、5Gまたはnew radio(NR)ネットワーク)に関する、またはそれにおいて適用され得る、様々な技法を説明する。ワイヤレス通信システム100は、基地局105と、UE115と、コアネットワーク130とを含む。いくつかの例では、ワイヤレス通信システム100は、Long Term Evolution(LTE)ネットワーク、LTE Advanced(LTE-A)ネットワーク、LTE-A Proネットワーク、または5GもしくはNRネットワークであり得る。いくつかの場合、ワイヤレス通信システム100は、拡張ブロードバンド通信、超高信頼性(たとえば、ミッションクリティカル)通信、低レイテンシ通信、または低コストで低複雑度のデバイスとの通信をサポートし得る。
【００７１】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはgiga-nodeB、Home NodeB、Home eNodeB、または何らかの他の好適な用語を含むことがあり、またはそのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００７２】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００７３】
基地局105のための地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-A/LTE-A ProまたはNRネットワークを含み得る。
【００７４】
「セル」という用語は、(たとえば、キャリア上での)基地局105との通信のために使用される論理通信エンティティを指し、同じまたは異なるキャリアを介して動作する近隣のセルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指し得る。
【００７５】
UE115は、ワイヤレス通信システム100全体にわたって分散していることがあり、各UE115は固定式または移動式であり得る。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115はまた、ワイヤレスローカルループ(WLL)局、Internet of Things(IoT)デバイス、Internet of Everything(IoE)デバイス、またはMTCデバイスなどを指すことがあり、これらは、家電機器、車両、メーターなどの様々な物品において実装されることがある。
【００７６】
MTCデバイスまたはIoTデバイスなどの、いくつかのUE115は、低コストまたは低複雑度のデバイスであることがあり、機械間の自動化された通信(たとえば、マシンツーマシン(M2M)通信を介した)を可能にすることがある。M2M通信またはMTCは、人が介在することなく、デバイスが互いにまたは基地局105と通信することを可能するデータ通信技術を指すことがある。いくつかの例では、M2M通信またはMTCは、センサーまたはメーターを統合して情報を測定または捕捉し、その情報を利用できる中央サーバもしくはアプリケーションプログラムにその情報を中継するか、またはプログラムもしくはアプリケーションと対話する人に情報を提示するデバイスからの通信を含み得る。いくつかのUE115は、情報を収集し、または機械の自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００７７】
一部のUE115は、半二重通信(たとえば、送信または受信を介した一方向通信をサポートするが、同時の送信および受信をサポートしないモード)などの、電力消費を減らす動作モードを利用するように構成され得る。いくつかの例では、半二重通信は、低減されたピークレートで実行され得る。UE115のための他の電力節約技法は、アクティブな通信に関与しないとき、または(たとえば、狭帯域通信に従って)限られた帯域幅にわたって動作しているとき、電力を節約する「ディープスリープ」モードに入ることを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００７８】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００７９】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００８０】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００８１】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であることがある。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)内に統合されることがある。
【００８２】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００８３】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容し得るデバイスによって日和見的に使用され得る5GHz産業科学医療(ISM)帯域などの帯域を含む。
【００８４】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受けることがあり、より距離が短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００８５】
いくつかの場合、ワイヤレス通信システム100は、免許無線周波数スペクトル帯域と免許不要無線周波数スペクトル帯域の両方を利用し得る。たとえば、ワイヤレス通信システム100は、5 GHz ISM帯域などの免許不要帯域において、License Assisted Access(LAA)、LTE Unlicensed(LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００８６】
いくつかの例では、基地局105またはUE115は複数のアンテナを装備することがあり、これらは、送信ダイバーシティ、受信ダイバーシティ、多入力多出力(MIMO)通信、またはビームフォーミングなどの技法を利用するために使用されることがある。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートに関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００８７】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに関して特定の方向に伝播する信号が強め合う干渉を受ける一方で、他の信号が弱め合う干渉を受けるように、アンテナアレイのアンテナ要素を介して通信される信号を合成することによって達成され得る。アンテナ要素を介して通信される信号の調整は、デバイスと関連付けられるアンテナ要素の各々を介して搬送される信号に何らかの振幅オフセットおよび位相オフセットを送信デバイスまたは受信デバイスが適用することを含み得る。アンテナ要素の各々と関連付けられる調整は、(たとえば、送信デバイスもしくは受信デバイスのアンテナアレイに対する、または何らかの他の方向に対する)特定の方向と関連付けられるビームフォーミング重みセットによって定義され得る。
【００８８】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は基地局105によって異なる方向に複数回送信されることがあり、これは、異なる送信方向と関連付けられる異なるビームフォーミング重みに従って信号が送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で受信した信号の指示、または別様に許容可能な信号品質を基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用することができる。
【００８９】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に基づいて決定されたビーム方向(たとえば、複数のビーム方向に従った聴取に基づいて、最高信号強度、最高信号対雑音比、または別様に、許容信号品質を有すると決定されたビーム方向)に揃えられ得る。
【００９０】
いくつかの場合、基地局105またはUE115のアンテナは、MIMO動作をサポートし得る、または送信ビームフォーミングもしくは受信ビームフォーミングをサポートし得る、1つまたは複数のアンテナアレイ内に配置され得る。たとえば、1つもしくは複数の基地局アンテナまたはアンテナアレイは、アンテナタワーなどのアンテナアセンブリにおいて一緒に置かれ得る。いくつかの場合、基地局105と関連付けられるアンテナまたはアンテナアレイは、多様な地理的位置に配置され得る。基地局105は、基地局105がUE115との通信のビームフォーミングをサポートするために使用し得るアンテナポートのいくつかの行および列を伴うアンテナアレイを有し得る。同様に、UE115は、様々なMIMO動作またはビームフォーミング動作をサポートすることができる1つまたは複数のアンテナアレイを有し得る。
【００９１】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００９２】
いくつかの場合、UE115および基地局105は、データが受信に成功する可能性を高めるためにデータの再送信をサポートすることができる。HARQフィードバックは、データがワイヤレス通信リンク125を介して正確に受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロット中で、または何らかの他の時間間隔に従ってHARQフィードバックを提供し得る。
【００９３】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200Tsと表されることがある。無線フレームは、0から1023に及ぶサブフレームまたはスロット番号(SFN)によって識別され得る。各フレームは0から9の番号が付けられた10個のサブフレームまたはスロットを含むことがあり、各サブフレームまたはスロットは1msの時間長を有することがある。サブフレームまたはスロットはさらに、各々0.5msの時間長を有する2つのスロットへと分割されることがあり、各スロットが、6個または7個の変調シンボル期間(たとえば、各シンボル期間の先頭に追加される巡回プレフィックスの長さに依存する)を含むことがある。サイクリックプレフィックスを除いて、各シンボル期間は、2048個のサンプル期間を含み得る。いくつかの場合、サブフレームまたはスロットは、ワイヤレス通信システム100の最も小さいスケジューリング単位であることがあり、送信時間間隔(TTI)と呼ばれることがある。他の場合には、ワイヤレス通信システム100の最小スケジューリング単位はサブフレームまたはスロットよりも短いことがあるか、または(たとえば、短縮TTI(sTTI)のバーストにおいて、またはsTTIを使用する選択されたコンポーネントキャリアにおいて)動的に選択されることがある。
【００９４】
いくつかのワイヤレス通信システムでは、スロットはさらに、1つまたは複数のシンボルを含む複数のミニスロットへと分割され得る。いくつかの事例では、ミニスロットのシンボルまたはミニスロットがスケジューリングの最小単位であり得る。各シンボルは、たとえば、サブキャリア間隔または動作周波数帯域に依存して、時間長が変動し得る。さらに、一部のワイヤレス通信システムは、UE115と基地局105との間の通信のために複数のスロットまたはミニスロットが一緒に集約されて使用される、スロットアグリゲーションを実装し得る。本明細書で使用される「スロット」という用語は、標準スロットまたはミニスロットのいずれかを指し、「スロット」に関して説明される原理は、標準スロットまたはミニスロットのいずれにも適用され得ることに留意されたい。
【００９５】
「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、ダウンリンクまたはアップリンク(たとえば、FDDモードの)であることがあり、またはダウンリンク通信およびアップリンク通信を(たとえば、TDDモードで)搬送するように構成されることがある。いくつかの例では、キャリアを介して送信される信号波形は、(たとえば、直交周波数分割多重化(OFDM)またはDFT-s-OFDMなどのマルチキャリア変調(MCM)技法を使用して)複数のサブキャリアから構成され得る。
【００９６】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアのための動作を協調させる制御シグナリングとを含み得る。いくつかの例(たとえば、キャリアアグリゲーション構成における)では、キャリアはまた、他のキャリアのための動作を協調させる取得シグナリングまたは制御シグナリングを有し得る。
【００９７】
物理チャネルは、様々な技法に従ってキャリア上で多重化され得る。物理制御チャネルおよび物理データチャネルは、ダウンリンクチャネル上で、たとえば、時分割多重化(TDM)技法、周波数分割多重化(FDM)技法、またはハイブリッドTDM-FDM技法を使用して多重化され得る。いくつかの例では、物理制御チャネル内で送信される制御情報は、カスケード方式における異なる制御領域間(たとえば、共通の制御領域または共通の探索空間と1つまたは複数のUE固有の制御領域またはUE固有の探索空間との間)で分散され得る。
【００９８】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、各々のサービスされるUE115は、キャリア帯域幅のいくつかの部分またはすべてにわたって動作するために構成され得る。他の例では、一部のUE115は、キャリア内のあらかじめ定義された部分または範囲(たとえば、サブキャリアまたはRBのセット)と関連付けられる狭帯域プロトコルタイプを使用した動作のために構成され得る(たとえば、狭帯域プロトコルタイプの「帯域内」展開)。
【００９９】
MCM技法を利用するシステムでは、リソース要素は、1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用はさらに、UE115との通信のデータレートを上げることができる。
【０１００】
ワイヤレス通信システム100のデバイス(たとえば、基地局105またはUE115)は、特定のキャリア帯域幅を介した通信をサポートするハードウェア構成を有することがあり、または、キャリア帯域幅のセットのうちの1つを介した通信をサポートするように構成可能であることがある。いくつかの例では、ワイヤレス通信システム100は、複数の異なるキャリア帯域幅と関連付けられるキャリアを介した同時通信をサポートすることができる基地局105および/またはUEを含み得る。
【０１０１】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【０１０２】
いくつかの場合、ワイヤレス通信システム100は拡張コンポーネントキャリア(eCC)を利用し得る。1つまたは複数の特徴は、より広いキャリアまたは周波数チャネル帯域幅、より短いシンボル時間長、より短いTTI時間長、または修正された制御チャネル構成を含む、eCCを特徴付け得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(2つ以上の事業者が、スペクトルを使用することを許可された場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【０１０３】
いくつかの場合、eCCは、他のCCとは異なるシンボル時間長を利用することがあり、このことは、他のCCのシンボル時間長と比較して短縮されたシンボル時間長の使用を含むことがある。より短いシンボル時間長は、隣接するサブキャリア間の間隔の増大と関連付けられ得る。eCCを利用するUE115または基地局105などのデバイスは、短縮されたシンボル時間長(たとえば、16.67マイクロ秒)において、広帯域信号(たとえば、20、40、60、80MHzなどの周波数チャネルまたはキャリア帯域幅に従った)を送信し得る。eCCにおけるTTIは、1個または複数のシンボルからなり得る。いくつかの場合、TTI時間長(すなわち、TTI中のシンボル期間の数)は可変であり得る。
【０１０４】
NRシステムなどのワイヤレス通信システムは、とりわけ、免許スペクトル帯域、共有スペクトル帯域、および免許不要スペクトル帯域の任意の組合せを利用することができる。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【０１０５】
SPSは、1つのサブフレームまたはスロットより長い期間、無線リソースが準静的に構成されてUE115に割り振られることを可能にし、各サブフレームまたはスロットに対するPDCCHを介した特定のダウンリンク割当てメッセージまたはアップリンクグラントメッセージの必要をなくす。SPSは、Voice over Internet Protocol(VoIP)などの、必要な無線リソースのタイミングおよび量が予測可能であるようなサービスに対して有用であるので、動的なスケジューリングと比較してPDCCHのオーバーヘッドを減らす。SPS PDSCHデータ送信のためにPDCCH上で送信されるスケジューリングメッセージの識別子は、UE115が、これらのメッセージを、セル無線ネットワーク一時識別子(C-RNTI)によって特定される動的なスケジューリングメッセージに使用されるメッセージと区別することを可能にし得る。ワイヤレスデバイスは、PDCCH送信の巡回冗長検査(CRC)に適用されるスクランブリングコードとして識別子を送信し得る。ワイヤレス通信システム100の態様は、共有または免許不要無線周波数スペクトルにおいてSPS技法をサポートするように構成され得る。
【０１０６】
いくつかの場合、ワイヤレスデバイスは、ポーラ符号化またはテールバイティング畳み込み符号(TBCC)を使用して、PDCCHを介して送信されるメッセージを符号化および/または復号し得る。ワイヤレスデバイスはさらに、ターボ符号化または低密度パリティチェック(LDPC)符号化を使用して、PDSCHを介して送信されるメッセージを符号化および/または復号し得る。
【０１０７】
いくつかの態様では、基地局105は、共有無線周波数スペクトル帯域を介してアップリンクおよび/またはダウンリンクSPS通信を実行するための1つまたは複数のUE115を特定し得る。基地局105は、共有無線周波数スペクトル帯域を介したアップリンクおよび/またはダウンリンクSPS通信のための少なくとも1つのSPSパラメータを含むSPS構成メッセージを、1つまたは複数のUE115に送信し得る。基地局105は、SPS構成に従って、1つまたは複数のサブフレームまたはスロットの間にアップリンクおよび/またはダウンリンクSPS通信を実行し得る。
【０１０８】
いくつかの態様では、基地局105は、SPS構成に従って、第1のサブフレームまたはスロットの間のメッセージの送信に共有無線周波数スペクトルのチャネルが利用不可能であると決定し得る。基地局105は、チャネルの利用不可能性に基づいてダウンリンクグラントを送信することができ、ダウンリンクグラントは、メッセージの送信のための第1のサブフレームまたはスロットに取って代わる第2のサブフレームまたはスロットを示す。基地局105は、ダウンリンクグラントに従って第2のサブフレームまたはスロットの間にチャネル上でメッセージを送信することを試み得る。
【０１０９】
いくつかの態様では、基地局105は、SPS構成に従って、第1のサブフレームまたはスロットの間のメッセージの送信に共有無線周波数スペクトルのチャネルが利用不可能であると決定し得る。基地局105は、チャネルの利用不可能性およびSPS期間内の構成されるウィンドウに基づいて、第1のサブフレームまたはスロットに取って代わる第2のサブフレームまたはスロットを選択し得る。基地局105は、選択された第2のサブフレームまたはスロットの間に、チャネル上でメッセージのグラントレス送信を実行し得る。
【０１１０】
いくつかの態様では、基地局105は、SPS構成メッセージをUE115に送信することができ、SPS構成メッセージは、共有無線周波数スペクトル帯域を介したUE115へのSPS送信のための少なくとも1つのSPSパラメータを含む。基地局105は、UE115へのダウンリンクメッセージのSPS送信のためのサブフレームまたはスロットを選択し得る。基地局105は、サブフレームまたはスロットの間に制御信号を送信することができ、制御信号は、UE115のためのSPSパラメータに基づくSPSトリガを含む。基地局105は、SPSトリガに従ってサブフレームまたはスロットの間にダウンリンクメッセージをUE115に送信し得る。
【０１１１】
いくつかの態様では、基地局105は、SPS構成に従って、第1のサブフレームまたはスロットの間に共有無線周波数スペクトルのチャネル上でメッセージの送信が受信されなかったと決定し得る。基地局105は、この決定に基づいてアップリンクグラントを送信することができ、アップリンクグラントは、メッセージの送信のための第1のサブフレームまたはスロットに取って代わる第2のサブフレームまたはスロットを示す。基地局105は、アップリンクグラントに従って第2のサブフレームまたはスロットの間にチャネル上でメッセージを受信し得る。
【０１１２】
いくつかの態様では、基地局105は、SPS構成に従って、第1のサブフレームまたはスロットの間に共有無線周波数スペクトルのチャネル上でメッセージの送信が受信されなかったと決定し得る。基地局105は、この決定およびSPS構成に基づいて、第1のサブフレームまたはスロットに取って代わる第2のサブフレームまたはスロットを選択し得る。基地局105は、選択された第2のサブフレームまたはスロットの間に、チャネル上でメッセージのグラントレス送信を受信し得る。
【０１１３】
いくつかの態様では、基地局105は、SPS構成メッセージをUE115に送信することができ、SPS構成メッセージは、共有無線周波数スペクトル帯域を介したUE115からのSPS送信のための少なくとも1つのSPSパラメータを含む。基地局105は、UE115からのアップリンクメッセージのSPS送信のためのサブフレームまたはスロットを選択し得る。基地局105は、サブフレームまたはスロットの間に制御信号を送信することができ、制御信号は、UE115のためのSPSパラメータに基づくSPSトリガを含む。基地局105は、SPSトリガに従ってサブフレームまたはスロットの間にアップリンクメッセージをUE115から受信し得る。
【０１１４】
いくつかの態様では、UE115は、SPS構成メッセージを基地局105から受信することができ、SPS構成メッセージは、共有無線周波数スペクトル帯域を介したアップリンクおよび/またはダウンリンクSPS通信のための少なくとも1つのSPSパラメータを含む。UE115は、SPS構成に基づいて、アップリンクおよび/またはダウンリンクSPS通信のために割り振られた1つまたは複数のサブフレームまたはスロットを特定し得る。UE115は、SPS構成に従って、1つまたは複数のサブフレームまたはスロットの間にアップリンクおよび/またはダウンリンクSPS通信を実行し得る。
【０１１５】
いくつかの態様では、UE115は、SPS構成に従って、第1のサブフレームまたはスロットの間に共有無線周波数スペクトルのチャネル上でメッセージが受信されなかったと決定し得る。UE115は、この決定に基づいて、メッセージの送信のための第1のサブフレームまたはスロットに取って代わる第2のサブフレームまたはスロットを示すダウンリンクグラントを受信することができる。UE115は、ダウンリンクグラントに従って第2のサブフレームまたはスロットの間にチャネル上でメッセージを受信し得る。
【０１１６】
いくつかの態様では、UE115は、SPS構成に従って、第1のサブフレームまたはスロットの間に共有無線周波数スペクトルのチャネル上でメッセージが受信されなかったと決定し得る。UE115は、この決定に基づいて、メッセージの送信およびSPS期間内の構成されるウィンドウのための、第1のサブフレームまたはスロットに取って代わる第2のサブフレームまたはスロットを特定し得る。UE115は、第2のサブフレームまたはスロットの間に、チャネル上でメッセージのグラントレス送信を受信し得る。
【０１１７】
いくつかの態様では、UE115は、SPS構成メッセージを基地局105から受信することができ、SPS構成メッセージは、共有無線周波数スペクトル帯域を介したSPS送信のための少なくとも1つのSPSパラメータを含む。UE115は、サブフレームまたはスロットの制御信号においてSPSトリガを検出することができ、SPSトリガはSPSパラメータに基づく。UE115は、SPSトリガに従ってサブフレームまたはスロットにおいてダウンリンクメッセージを受信し得る。
【０１１８】
いくつかの態様では、UE115は、SPS構成に従って、第1のサブフレームまたはスロットの間に共有無線周波数スペクトルのチャネル上で基地局105においてメッセージが受信されなかったと決定し得る。UE115は、この決定に基づいて、メッセージの送信のための第1のサブフレームまたはスロットに取って代わる第2のサブフレームまたはスロットを示すアップリンクグラントを受信することができる。UE115は、アップリンクグラントに従って第2のサブフレームまたはスロットの間にチャネル上でメッセージを送信することを試み得る。
【０１１９】
いくつかの態様では、UE115は、SPS構成に従って、第1のサブフレームまたはスロットの間に共有無線周波数スペクトルのチャネル上で基地局においてメッセージが受信されなかったと決定し得る。UE115は、この決定に基づいて、メッセージの送信およびSPS期間内の構成されるウィンドウのための、第1のサブフレームまたはスロットに取って代わる第2のサブフレームまたはスロットを特定し得る。UE115は、第2のサブフレームまたはスロットの間に、チャネル上でメッセージのグラントレス送信を実行し得る。
【０１２０】
いくつかの態様では、UE115は、SPS構成メッセージを基地局105から受信することができ、SPS構成メッセージは、共有無線周波数スペクトル帯域を介したSPS送信のための少なくとも1つのSPSパラメータを含む。UE115は、サブフレームまたはスロットの制御信号においてSPSトリガを検出することができ、SPSトリガはSPSパラメータに基づく。UE115は、SPSトリガに従ってサブフレームまたはスロットにおいてアップリンクメッセージを送信し得る。
【０１２１】
図2は、本開示の様々な態様による、共有スペクトルのためのSPSをサポートするワイヤレス通信システム200の例を示す。いくつかの例では、ワイヤレス通信システム200は、ワイヤレス通信システム100の態様を実装し得る。ワイヤレス通信システム200は、本明細書で説明された対応するデバイスの例であり得る、基地局205およびUE210を含み得る。大まかには、ワイヤレス通信システム200は、共有または免許不要無線周波数スペクトル帯域におけるワイヤレス通信へとSPS技法が統合されるような、システムの一例を示す。説明されるSPS技法は、アップリンクおよび/またはダウンリンクワイヤレス通信へと統合され得る。
【０１２２】
いくつかの態様では、ワイヤレス通信システム200は、共有または免許不要無線周波数スペクトル帯域において動作するように構成され得る。1つの非限定的な例では、ワイヤレス通信システム200はMulteFireネットワークとして構成され得る。基地局205は、ダウンリンクチャネル215を介してUE210へのダウンリンクワイヤレス送信を実行し得る。基地局205は、アップリンクチャネル220を介してUE210からアップリンクワイヤレス送信を受信し得る。ダウンリンクチャネル215および/またはアップリンクチャネル220は、ワイヤレス通信システム100の通信リンク125の例であり得る。
【０１２３】
いくつかの態様では、基地局205および/またはUE210は、アップリンクおよび/またはダウンリンク技法を共有または免許不要無線周波数スペクトルへと統合するように構成され得る。共有スペクトルにおける動作は通常、ワイヤレスデバイスが任意の所与の期間(たとえば、フレーム、サブフレーム、スロット、シンボルなど)の間にチャネルをめぐって争い得るような、コンテンションベースのチャネルアクセス方式を含み得る。いくつかのシナリオでは、チャネルは比較的使用されていないことがあり、チャネルアクセスがほぼ保証されることがある(たとえば、大きな干渉のない展開および中程度の負荷のチャネル)。他のシナリオでは、チャネルが激しく使用されていることがあり、チャネルアクセスがより限られていることがある(たとえば、任意の所与の瞬間に対してチャネルへのアクセスの可能性がより低いときなど)。従来のシステムは、チャネルにアクセスすることの不確かな性質により(たとえば、あらかじめ構成されたリソースがスケジューリングされた瞬間に利用不可能であることにより)、共有スペクトルにおいてSPS技法を利用しない。しかしながら、説明される技法の態様は、共有スペクトルにおけるアップリンクおよび/またはダウンリンクSPS通信のためにSPS技法が使用されることを可能にする。
【０１２４】
たとえば、基地局205は、共有スペクトルを介してアップリンクおよび/またはダウンリンクSPS通信を実行するのに適した基地局205のカバレッジエリア内に位置するUE210を特定し得る。UE(UE210など)は、VoIP/VoLTEシナリオ、MulteFire展開などにおける、必要な無線リソースのタイミングおよび量が予測可能であるような、共有スペクトルにおけるSPS通信を実行するのに適していることがある。共有スペクトルを介したSPS通信に参加するUE210の数および/または位置は、(たとえば、UEの移動、需要などにより)時間とともに変化し得る。
【０１２５】
基地局205は、UE210などの、共有スペクトルにおけるアップリンクおよび/またはダウンリンクSPS通信のために構成されるUE210に、SPS構成メッセージを送信し得る。SPS構成は、共有スペクトルを介して、アップリンクおよび/またはダウンリンクSPS通信のためのSPSパラメータを含み得る。いくつかの例では、SPSパラメータは、SPS周期、サブフレームまたはスロット遅延パラメータ、SPS通信と関連付けられるHARQプロセスの数、SPS通信に参加しているUE210と関連付けられる識別子、SPS通信に使用されるべきサブフレームまたはスロット識別子などを含み得る。いくつかの態様では、SPS構成メッセージは、(トリガベースのSPS通信手法などのように)SPS通信のために使用されるべきサブフレームまたはスロットを特定しないことがある。
【０１２６】
UE210は、SPS構成メッセージを受信し、アップリンクおよび/またはダウンリンクSPS通信に割り振られたサブフレームまたはスロットを特定し得る。いくつかの態様では、サブフレームまたはスロットを特定することは、SPS期間内のどのサブフレームまたはスロットがSPS通信に割り振られたかを特定することを含み得る。いくつかの態様では、サブフレームまたはスロットを特定することは、SPSサブフレームまたはスロットの識別情報をSPS構成が含まないと決定することを含むことがあり、代わりに、SPSサブフレームまたはスロットはSPSトリガベースである。いくつかの態様では、サブフレームまたはスロットを特定することは、SPS構成に基づいて、構成されるウィンドウを特定することを含み得る。
【０１２７】
基地局205およびUE210は次いで、SPS構成に従って、サブフレームまたはスロットの間にアップリンクおよび/またはダウンリンクSPS通信を実行し得る。いくつかの態様では、SPS通信は、グラントベースであることがあり、グラントレスであることがあり、トリガベースであることがあり、および/またはSPS通信に対するハイブリッド手法であることがある。
【０１２８】
ダウンリンクSPS通信のためのグラントベースの手法の一例では、基地局205およびUE210は、第1のサブフレームまたはスロットの間に共有スペクトルのチャネル上でメッセージがUE210において受信されなかったと決定し得る。メッセージは、第1のサブフレームもしくはスロットの間に、および/または、UE210がメッセージの復号に成功できないことに基づいて、チャネルが利用不可能であると(たとえば、CCAまたはLBT手順が不成功であることに基づいて)基地局205が決定することにより、受信されないことがある。メッセージが第1のサブフレームまたはスロットの間に受信されないことに基づいて、基地局205は、ダウンリンクSPSメッセージの再送信に割り振られたリソースの指示を搬送する、または別様に伝える、ダウンリンクグラントメッセージを構成してそれをUE210に送信し得る。ダウンリンクグラントは、メッセージの送信のための第1のサブフレームまたはスロットに取って代わる第2のサブフレームまたはスロットを示し得る。第2のサブフレームまたはスロットの間に、基地局205は次いで、メッセージを送信することを試みることができ、成功する場合、UE210は、共有スペクトルのチャネル上でメッセージを受信することができる。基地局205は、チャネル上でCCAおよび/またはLBT手順を実行することによって、第2のサブフレームまたはスロットの間にメッセージを送信することを試み得る。CCAまたはLBT手順が成功する場合、基地局205は、第2のサブフレームまたはスロットの間にメッセージをUE210に送信し得る。CCAまたはLBT手順が成功しない場合、基地局205は、メッセージを省略すること、異なるHARQプロセスのためのメッセージを再スケジューリングすることなどができる。
【０１２９】
アップリンクSPS通信のためのグラントベースの手法の一例では、基地局205およびUE210は、第1のサブフレームまたはスロットの間に共有スペクトルのチャネル上でメッセージが基地局205において受信されなかったと決定し得る。メッセージは、第1のサブフレームもしくはスロットの間に、および/または、基地局205がメッセージの復号に成功できないことに基づいて、チャネルが利用不可能であると(たとえば、CCAまたはLBT手順が不成功であることに基づいて)UE210が決定することにより、受信されないことがある。メッセージが第1のサブフレームまたはスロットの間に受信されないことに基づいて、基地局205は、アップリンクSPSメッセージの再送信に割り振られたリソースの指示を搬送する、または別様に伝える、アップリンクグラントメッセージを構成してそれをUE210に送信し得る。アップリンクグラントは、メッセージの送信のための第1のサブフレームまたはスロットに取って代わる第2のサブフレームまたはスロットを示し得る。第2のサブフレームまたはスロットの間に、UE210は次いで、メッセージを送信することを試みることができ、成功する場合、基地局205は、共有スペクトルのチャネル上でメッセージを受信することができる。UE210は、チャネル上でCCAおよび/またはLBT手順を実行することによって、第2のサブフレームまたはスロットの間にメッセージを送信することを試み得る。CCAまたはLBT手順が成功する場合、UE210は、第2のサブフレームまたはスロットの間にメッセージを基地局205に送信し得る。CCAまたはLBT手順が成功しない場合、UE210がメッセージを省略すること、基地局205が異なるHARQプロセスのためのメッセージを再スケジューリングすることなどができる。
【０１３０】
ダウンリンクSPS通信のためのグラントレスの手法の一例では、基地局205およびUE210は、第1のサブフレームまたはスロットの間に共有スペクトルのチャネル上でメッセージがUE210において受信されなかったと決定し得る。メッセージは、第1のサブフレームもしくはスロットの間に、および/または、UE210がメッセージの復号に成功できないことに基づいて、チャネルが利用不可能であると(たとえば、CCAまたはLBT手順が不成功であることに基づいて)基地局205が決定することにより、受信されないことがある。基地局205は、第1のサブフレームまたはスロットの間にメッセージが受信されないことに基づいて、メッセージの送信のための第1のサブフレームまたはスロットに取って代わる第2のサブフレームまたはスロットを特定し得る。第2のサブフレームまたはスロットは、構成されるウィンドウに基づいて特定され得る(たとえば、第1のサブフレームまたはスロットの後に存在する、ある設定された数のサブフレームまたはスロット以内に存在し得る)。第2のサブフレームまたはスロットの間に、基地局205は次いで、メッセージを送信することを試みることができ、成功する場合、UE210は、共有スペクトルのチャネル上でメッセージを受信することができる。基地局205は、チャネル上でCCAおよび/またはLBT手順を実行することによって、第2のサブフレームまたはスロットの間にメッセージのグラントレス送信を実行することを試み得る。CCAまたはLBT手順が成功する場合、基地局205は、第2のサブフレームまたはスロットの間にメッセージをUE210に送信し得る。CCAまたはLBT手順が成功しない場合、基地局205は、メッセージを省略すること、異なるHARQプロセスのためのメッセージを再スケジューリングすることなどができる。いくつかの態様では、UE210は、第2のサブフレームまたはスロットを特定してメッセージのグラントレス送信を受信するために、構成されるウィンドウ内の各サブフレームまたはスロットを監視し得る。
【０１３１】
アップリンクSPS通信のためのグラントレスの手法の一例では、基地局205およびUE210は、第1のサブフレームまたはスロットの間に共有スペクトルのチャネル上でメッセージが基地局205において受信されなかったと決定し得る。基地局205は、第1のサブフレームもしくはスロットの間に、および/または、基地局205がメッセージの復号に成功できないことに基づいて、チャネルが利用不可能であると(たとえば、CCAまたはLBT手順が不成功であることに基づいて)UE210が決定することにより、メッセージを受信しないことがある。UE210は、第1のサブフレームまたはスロットの間にメッセージが受信されないことに基づいて、メッセージの送信のための第1のサブフレームまたはスロットに取って代わる第2のサブフレームまたはスロットを特定し得る。第2のサブフレームまたはスロットは、構成されるウィンドウに基づいて特定され得る(たとえば、サブフレームまたはスロットは、第1のサブフレームまたはスロットの後に存在する、ある設定された数のサブフレームまたはスロット以内に存在し得る)。第2のサブフレームまたはスロットの間に、UE210は次いで、メッセージのグラントレス送信を実行することを試みることができ、成功する場合、基地局205は、共有スペクトルのチャネル上でメッセージを受信することができる。UE210は、チャネル上でCCAおよび/またはLBT手順を実行することによって、第2のサブフレームまたはスロットの間にメッセージのグラントレス送信を実行することを試み得る。CCAまたはLBT手順が成功する場合、UE210は、第2のサブフレームまたはスロットの間にメッセージを基地局205に送信し得る。CCAまたはLBT手順が成功しない場合、UE210がメッセージを省略すること、基地局205が異なるHARQプロセスのためのメッセージを再スケジューリングすることなどができる。いくつかの例では、UE210は、構成されるウィンドウ内の各サブフレームまたはスロットの間にメッセージを送信することを試み、CCAまたはLBT手順が第2のサブフレームまたはスロットの間に成功したことに基づいて、第2のサブフレームまたはスロットを特定し得る。いくつかの態様では、基地局205は、第2のサブフレームまたはスロットを特定してメッセージのグラントレス送信を受信するために、構成されるウィンドウ内の各サブフレームまたはスロットを監視し得る。
【０１３２】
ダウンリンクSPS通信のためのトリガベースの手法の一例では、基地局205は、ダウンリンクメッセージの送信のためのサブフレームもしくはスロットを特定し、または別様に選択し得る。サブフレームまたはスロットは、特定されることがあり、または別様にSPS構成に基づくことがある。すなわち、SPS構成は、どのサブフレームまたはスロットがSPS通信のために使用されるべきかを特定しないことがある。代わりに、SPS構成は、他のSPSパラメータ、たとえば周期、HARQプロセスなどを示し得る。サブフレームまたはスロットは任意選択で、構成されるウィンドウに基づいて特定され得る(たとえば、SPS構成に従って発生するある数のサブフレームまたはスロット内のあるサブフレームまたはスロットにおいて存在し得る)。サブフレームまたはスロットの間に、基地局205は、SPSトリガを示すサブフレームまたはスロットの間に、制御信号を送信し得る。SPSトリガは、UE210のための、およびいくつかの態様では、他のUEのための、グループ共通PDCCH(GC-PDCCH)において示され得る。SPSトリガは、SPSベースの識別子(たとえば、GC-SPS C-RNTI)を使用して制御信号のDCIをスクランブルすることによって示され得る。UE210は、制御信号を復号することによってSPSトリガを検出し得る。サブフレームまたはスロットの間に、基地局205はメッセージを送信することができ、UE210はメッセージを受信することができる。
【０１３３】
アップリンクSPS通信のためのトリガベースの手法の一例では、基地局205は、アップリンクメッセージの送信のためのサブフレームもしくはスロットを特定し、または別様に選択し得る。サブフレームまたはスロットは、特定されることがあり、または別様にSPS構成に基づくことがある。すなわち、SPS構成は、どのサブフレームまたはスロットがSPS通信のために使用されるべきかを特定しないことがある。代わりに、SPS構成は、他のSPSパラメータ、(たとえば周期、HARQプロセスなど)を示し得る。サブフレームまたはスロットは任意選択で、構成されるウィンドウに基づいて特定され得る(たとえば、SPS構成に従って発生するある数のサブフレームまたはスロット内のあるサブフレームまたはスロットにおいて存在し得る)。サブフレームまたはスロットの間に、基地局205は、SPSトリガを示すサブフレームまたはスロットの間に、制御信号を送信し得る。SPSトリガは、UE210のための、およびいくつかの態様では、他のUEのための、グループ共通PDCCH(GC-PDCCH)において示され得る。SPSトリガは、SPSベースの識別子(たとえば、GC-SPS C-RNTI)を使用して制御信号のDCIをスクランブルすることによって示され得る。UE210は、制御信号を復号することによってSPSトリガを検出し得る。サブフレームまたはスロットの間に、UE210はメッセージを送信することができ、基地局205はメッセージを受信することができる。
【０１３４】
ダウンリンクSPS通信のためのハイブリッド手法の一例では、基地局205および/またはUE210は、指定されたSPSサブフレームまたはスロットにおいてSPSパケットを復号することを試み得る。指定されたSPSサブフレームまたはスロットが有効なサブフレームまたはスロットではない場合(たとえば、指定されたSPSサブフレームもしくはスロットの間にeNB送信がないことをUE210が決定する場合、または、指定されたサブフレームもしくはスロットの間にSPSパケットをUEが受信しない場合)、UE210は、SPSトリガを含むダウンリンク制御信号を検出するために、1つまたは複数の後続のサブフレームまたはスロットを監視し得る。UE210がその中でSPSトリガを探し得る後続のサブフレームまたはスロットは、指定されたSPSサブフレームまたはスロットの後続のウィンドウによって定義され得る。UE210が後続のサブフレームまたはスロットのうちの1つにおいてトリガを受信する場合、UE210は、後続のサブフレームまたはスロットの間に、SPSトリガに従って、チャネル上でメッセージを含むSPSパケットを受信し得る。
【０１３５】
アップリンクSPS通信のためのハイブリッド手法の一例では、UE210は、指定されたSPSサブフレームまたはスロットにおいてSPSパケットを送信することを試み得る。UEによって実行されるCCA手順またはLBT手順が指定されたSPSサブフレームまたはスロットに対して失敗することをUE210が決定する場合、UE210は、SPSトリガを含むダウンリンク制御信号を検出するために、1つまたは複数の後続のサブフレームまたはスロットを監視し得る。UE210がその中でSPSトリガを探し得る後続のサブフレームまたはスロットは、指定されたSPSサブフレームまたはスロットの後続のウィンドウによって定義され得る。UE210が後続のサブフレームまたはスロットのうちの1つにおいてトリガを受信する場合、UE210は、後続のサブフレームまたはスロットの間に、SPSトリガに従って、チャネル上でメッセージを含むSPSパケットを送信し得る。
【０１３６】
図3は、本開示の様々な態様による、共有スペクトルのためのSPSをサポートする、SPS構成300の例を示す。いくつかの例では、SPS構成300は、ワイヤレス通信システム100および200の態様を実装し得る。SPS構成300の態様は、本明細書で説明された対応するデバイスの例であり得る、基地局および/またはUEによって実装され得る。大まかには、SPS構成300は、ダウンリンクSPS通信のためのグラントベースの手法の一例を示す。
【０１３７】
大まかには、SPS構成300は複数のSPS期間305を含み得る。各SPS期間305は、SPS構成の周期に基づき得る。SPS構成300の例では、各SPS期間305は20個のサブフレームまたはスロットにわたる。しかしながら、SPS期間305の一部またはすべてが、異なる数のサブフレームまたはスロットにわたり得る。各SPS期間305は、アップリンクサブフレームもしくはスロット310、ダウンリンクサブフレームもしくはスロット315、ダウンリンクSPSサブフレームもしくはスロット320、および/または未使用サブフレームもしくはスロット325を含み得る。各SPS期間305は、1つまたは複数の構成されるHARQプロセスを有し得る。たとえば、SPS期間305-aにはHARQプロセス330が構成されることがあり、SPS期間305-bにはHARQプロセス335が構成されることがあり、SPS期間305-cにはHARQプロセス340が構成されることがある。一般に、HARQプロセスは、受信デバイスからのACK/NACKフィードバック情報の送信のための機構を提供する。
【０１３８】
いくつかの態様では、SPS構成300は、共有スペクトルを介したダウンリンクSPS通信のためのSPSパラメータを含むSPS構成メッセージを基地局が送信する(およびUEが受信する)ことを含み得る。UEは、ダウンリンクSPS通信に割り振られたサブフレームまたはスロットを特定するために、SPS構成を使用し得る。基地局およびUEは、SPS構成に従って、サブフレームまたはスロットの間にダウンリンクSPS通信を実行し得る。
【０１３９】
したがって、SPS期間305-aは、基地局がダウンリンクSPSサブフレームまたはスロット320を送信するサブフレームまたはスロット345において開始し得る。サブフレームまたはスロット345の後には、SPS構成ごとに、ダウンリンクサブフレームもしくはスロット310、アップリンクサブフレームもしくはスロット315、および/または未使用サブフレームもしくはスロット325があり得る。SPS構成メッセージは、UEからのACK/NACK情報の送信に割り振られたリソースを特定するHARQプロセス330も特定し得る。
【０１４０】
同様に、SPS期間305-bは、基地局がダウンリンクSPSサブフレームまたはスロット320を送信するサブフレームまたはスロット350において開始し得る。サブフレームまたはスロット350の後には、SPS構成ごとに、ダウンリンクサブフレームもしくはスロット310、アップリンクサブフレームもしくはスロット315、および/または未使用サブフレームもしくはスロット325があり得る。SPS構成メッセージは、UEからのACK/NACK情報の送信に割り振られたリソースを識別するHARQプロセス335も特定し得る。
【０１４１】
基地局は、基地局がダウンリンクSPSサブフレームまたはスロット320を送信した可能性のあるサブフレームまたはスロット355において開始するように、SPS期間305-cをスケジューリングし得る。しかしながら、基地局は、たとえば、成功しないCCAおよび/またはLBT手順がチャネル上で実行されることにより、サブフレームまたはスロット355の間の送信にチャネルが利用不可能であると決定し得る。したがって、サブフレームまたはスロット360の間に、基地局は、チャネルがサブフレームまたはスロット355の間に利用不可能であることに基づいて、ダウンリンクグラントをUEに送信し得る。ダウンリンクグラントは、ダウンリンクメッセージの送信のための第1のサブフレームまたはスロット(たとえば、サブフレームまたはスロット355)に取って代わる第2のサブフレームまたはスロット(たとえば、サブフレームまたはスロット360)を示し得る。サブフレームまたはスロット360の後には、SPS構成ごとに、ダウンリンクサブフレームもしくはスロット310、アップリンクサブフレームもしくはスロット315、および/または未使用サブフレームもしくはスロット325があり得る。基地局は、たとえば、チャネル上でまずCCAおよび/またはLBT手順を実行することによって、サブフレームまたはスロット360の間にメッセージを送信することを試み得る。ダウンリンクグラントは、UEからのACK/NACK情報の送信に割り振られたリソースを特定するHARQプロセス340も特定し得る。
【０１４２】
いくつかの態様では、SPS構成300は、チャネルアクセスがほぼ保証されるシナリオ(たとえば、ダウンリンク送信への大きな干渉のない計画された展開、および中程度の負荷のチャネル)において実装され得る。いくつかの態様では、基地局は、ダウンリンクグラントなしでSPSパケットを送信するために、HARQプロセスの構成されたサブフレームまたはスロットだけを使用する。しかしながら、チャネルアクセスが望まれるサブフレームまたはスロットにおいて利用可能ではない場合、基地局は、より後のサブフレームまたはスロットにおいて、通常のPDCCHグラントを使用してSPSパケットを送信する。したがって、基地局およびUEは、SPS構成に従ってサブフレームまたはスロットの間にダウンリンクSPS通信を実行することができ、チャネルが利用不可能であるとき、ダウンリンクグラントを使用して再送信を実行することができる。
【０１４３】
いくつかの態様では、これは、第1のサブフレームまたはスロットの間にチャネルが利用不可能であることに基づいて、ダウンリンクグラントのNDIフィールドを設定することを含み得る。たとえば、NDIは、SPSアクティブ化グラントにおいて(たとえば、デフォルトではSPS構成において)「0」に設定され得る。従来は、再送信グラントはNDIフィールドを「1」に設定する。しかしながら、本開示の態様によれば、NDIは、UEのためのダウンリンクグラントにおいて「0」に設定され得る。
【０１４４】
いくつかの態様では、これはいくつかのパケットを省略することを含み得る。基地局がパケットの次の事例の到着の前にSPS HARQプロセスにおいてデータを送信することが可能ではない場合、基地局にはいくつかの選択肢があり得る。1つの選択肢として、基地局はパケットを省略することができる。別の選択肢として、基地局は何らかの他のHARQプロセスを使用してパケットを送信することができる。これは、メッセージのために新しいHARQ割当てを基地局が送信することを含み得る。どの選択肢を採用するかの選択は、基地局の実装形態に基づくことがあり、および/または、用途の需要に依存する(たとえば、QoSを構成することなどの任意のより高次のレイヤへの影響、コアネットワークへの影響などに基づく)ことがある。
【０１４５】
いくつかの態様では、これは、いくつかのACK/NACK報告技法を含み得る。たとえば、UEがパケットを受信したが、同じHARQプロセスを用いると次のダウンリンクパケットを受信する前にHARQ-ACKを報告することが可能ではない(たとえば、ACK/NACKサブフレームまたはスロットの間にチャネルが利用不可能であることが原因で)場合、UEはHARQ-ACKを省略することができる。いくつかの態様では、ダウンリンクグラントは、メッセージと関連付けられるACK/NACKリソースを示し得る。
【０１４６】
いくつかの態様では、これは、PUCCHリソースの選択に関するいくつかの考慮事項を含み得る。たとえば、複数のsPUCCHおよびePUCCHリソースが、使用すべきACK/NACKリソースのうちの1つをダウンリンクグラントが示すことができるように、RRCで構成され得る。sPUCCHおよびePUCCHにおける異なる数のPUCCHリソースが実現可能であり得るが、それらは、sPUCCHおよびePUCCHリソースに独立に対処するための機構を使用し得る。これは、ACK/NACK送信のための複数の可能なPUCCHリソースを示す構成メッセージを、基地局が送信してUEが受信することを含み得る。ダウンリンクグラントにおけるACK/NACKリソースの指示は、可能なPUCCHリソースのうちの1つを特定し得る。
【０１４７】
図4は、本開示の様々な態様による、共有スペクトルのためのSPSをサポートする、SPS構成400の例を示す。いくつかの例では、SPS構成400は、ワイヤレス通信システム100、200、および/またはSPS構成300の態様を実装し得る。SPS構成400の態様は、本明細書で説明された対応するデバイスの例であり得る、基地局および/またはUEによって実装され得る。大まかには、SPS構成400は、ダウンリンクSPS通信のためのグラントレスの手法の一例を示す。
【０１４８】
大まかには、SPS構成400はいくつかのSPS期間405を含み得る。各SPS期間405は、SPS構成の周期に基づき得る。SPS構成400の例では、各SPS期間405は20個のサブフレームまたはスロットにわたる。しかしながら、SPS期間405の一部またはすべてが、異なる数のサブフレームまたはスロットにわたり得る。各SPS期間405は、アップリンクサブフレームもしくはスロット410、ダウンリンクサブフレームもしくはスロット415、ダウンリンクSPSサブフレームもしくはスロット420、および/または未使用サブフレームもしくはスロット425を含み得る。各SPS期間405は、1つまたは複数の構成されるHARQプロセスを有し得る。たとえば、SPS期間405-aにはHARQプロセス430が構成されることがあり、SPS期間405-bにはHARQプロセス435が構成されることがあり、SPS期間405-cにはHARQプロセス440が構成されることがある。より一般的には、HARQプロセスは、受信デバイスからのACK/NACKフィードバック情報の送信のための機構を提供し得る。
【０１４９】
いくつかの態様では、SPS構成400は、共有スペクトルを介したダウンリンクSPS通信のためのSPSパラメータを含むSPS構成メッセージを基地局が送信する(およびUEが受信する)ことを含み得る。UEは、ダウンリンクSPS通信に割り振られたサブフレームまたはスロットを特定するために、SPS構成を使用し得る。基地局およびUEは、SPS構成に従って、サブフレームまたはスロットの間にダウンリンクSPS通信を実行し得る。いくつかの態様では、基地局は、アクティブなSPSで構成されるUEであるUEの数に基づいて、SPS期間405を決定し得る。
【０１５０】
したがって、SPS期間405-aは、基地局がダウンリンクSPSサブフレームまたはスロット420を送信するサブフレームまたはスロット445において開始し得る。サブフレームまたはスロット445の後には、SPS構成ごとに、ダウンリンクサブフレームもしくはスロット410、アップリンクサブフレームもしくはスロット415、および/または未使用サブフレームもしくはスロット425があり得る。SPS構成メッセージは、UEからのACK/NACK情報の送信に割り振られたリソースを特定するHARQプロセス430も特定し得る。
【０１５１】
同様に、SPS期間405-bは、基地局がダウンリンクSPSサブフレームまたはスロット420を送信するサブフレームまたはスロット450において開始し得る。サブフレームまたはスロット450の後には、SPS構成ごとに、ダウンリンクサブフレームもしくはスロット410、アップリンクサブフレームもしくはスロット415、および/または未使用サブフレームもしくはスロット425があり得る。SPS構成メッセージは、UEからのACK/NACK情報の送信に割り振られたリソースを特定するHARQプロセス435も特定し得る。
【０１５２】
基地局は、基地局がダウンリンクSPSサブフレームまたはスロット420を送信したであろうサブフレームまたはスロット455において開始するように、SPS期間405-cをスケジューリングする。しかしながら、基地局は、たとえば、成功しないCCAおよび/またはLBT手順がチャネル上で実行されることにより、サブフレームまたはスロット455の間の送信にチャネルが利用不可能であると決定し得る。したがって、サブフレームまたはスロット460の間に、基地局は、UEへのダウンリンクメッセージのグラントレス送信を実行し得る。基地局およびUEは、チャネルがサブフレームまたはスロット455の間に利用不可能であることに基づいて、サブフレームまたはスロット460を特定し得る。いくつかの態様では、グラントレス送信は、構成されるウィンドウ465に基づき得る。構成されるウィンドウ465は、SPS構成に基づくことがあり、SPS期間405-cのある設定された数のサブフレームまたはスロットにわたるウィンドウサイズを有することがある。サブフレームまたはスロット460は、構成されるウィンドウ465に従って特定され得る。いくつかの態様では、これは、構成されるウィンドウ465内の各サブフレームまたはスロットを順番に基地局が送信するのを試みる(およびUEが監視/復号する)ことを含み得る。サブフレームまたはスロット460は、CCAおよび/またはLBT手順がその中で成功した最初のサブフレームまたはスロットであり得る。基地局は、構成されるウィンドウ465を(たとえば、SPS構成メッセージまたは異なる構成メッセージにおいて)あらかじめ構成し得る。
【０１５３】
いくつかの態様では、グラントレス送信は、チャネルが利用不可能でなければサブフレームまたはスロット455の間の送信であったであろうものと関連付けられる送信パラメータに基づき得る。基地局は、サブフレームまたはスロット460の間のメッセージのグラントレス送信のために同じ送信パラメータを使用し得る。送信パラメータの例は、限定はされないが、MCS、リソース割振りなどを含む。いくつかの態様では、UEは、サブフレームまたはスロットにおいてUE固有のダウンリンクグラントなしでグラントレス送信を受信し得る。UEは、SPS C-RNTIまたはC-RNTIとスクランブルされる割り振られたリソースの中に存在するPDSCH(たとえば、ダウンリンクメッセージ再送信)をブラインド検出し得る。基地局は任意選択で、UEがそれを超えてPDSCHを探さない、構成されるウィンドウ465を構成し得る。
【０１５４】
いくつかの態様では、サブフレームまたはスロット460の間のメッセージのグラントレス送信は、HARQプロセス440を特定することがあり、または別様にそれと関連付けられることがある。いくつかの態様では、HARQプロセス440は、ACK/NACKを示すために異なるPRACH波形を使用し得る。たとえば、第1のPRACH波形はACKを示すためにUEによって使用されることがあり、第2のPRACH波形はNACKを示すためにUEによって使用されることがある。
【０１５５】
いくつかの態様では、UEは、ダウンリンクSPSサブフレームまたはスロット420のために構成されるサブフレームまたはスロットから構成されるウィンドウ465内でPDSCH(たとえば、メッセージ送信)を受信することをUEが予想するようなシナリオにおいて、SPS構成400を実装し得る。UEは、元のサブフレームまたはスロットと同じMCSおよび/またはリソース割振りを使用することによって、どのようなUE固有のPDCCHグラントも伴わない各サブフレームまたはスロットにおいてPDSCHを検出し得る。UEは任意選択で、構成されるウィンドウ465内だけでPDSCH検出を実行し得る。いくつかの態様では、構成されるウィンドウ465は、ターボ符号ベースの復号または低密度パリティチェック(LDPC)ベースの復号を使用したPDSCHベースの検出に適していることがある。対照的に、PDCCHの復号は、テールバイティング畳み込み符号(TBCC)またはポーラ符号に基づき得る。
【０１５６】
いくつかの態様では、(グラントベースのSPS通信手法の場合のようなPDCCHの代わりに)UEは今や各サブフレームまたはスロットの中のPDSCHをブラインド復号するので、SPS構成400は、制御オーバーヘッドの問題に、しかし増大した電力消費コストで対処し得る。
【０１５７】
いくつかの態様では、PUCCH容量が、SPS構成400に従って考慮され得る。たとえば、sPUCCHのペイロード容量は、従来のLTEと比較して一般に非常に大きいことがある(たとえば、sPUCCHフォーマット3は、インターレース当たり12ユーザの多重化を伴う40個のコーディングされるビットをサポートし、少なくとも10〜20個のコーディングされないビットが、通常は1つのsPUCCHリソース上で送信され得る)。セル当たり多数のSPS UEをスケジューリングする基地局に対して、いくつかのシナリオにおいてPUCCH容量がボトルネックになり得る。SPS周期=20msの例では、平均で10msごとに1つのsPUCCHがあり、5つのインターレースがSPS ACK/NACKに割り振られ、基地局は、
【数１】
2021505017.tif 000003
をサポートし得る。システムは、インターレース当たり12ユーザをサポートしないことがある(たとえば、通常は少数の巡回シフト/符号語がNtの推定に使用されない)。この例示的な計算は、最良の場合のチャネルアクセスシナリオを想定する。sPUCCHが正しい周期で利用可能ではない場合、sPUCCH上で未解決のACK/NACK報告を伴うすべてのUEが、コリジョンをもたらし得る。ダウンリンクにおけるサポートされるSPSユーザの数を増やすために、複数の選択肢が利用可能であり得る。第1の選択肢では、2つのsPRACH波形を使用する(ACKに対して1つおよびNACKに対して1つ)。第2の選択肢では、より長いSPS周期が、しかし複数のSPSプロセスとともに使用され得る。これは、データ監視システムなどの遅延を許容するトラフィックに対して適していることがある。
【０１５８】
図5は、本開示の様々な態様による、共有スペクトルのためのSPSをサポートする、SPS構成500の例を示す。いくつかの例では、SPS構成500は、ワイヤレス通信システム100、200、および/またはSPS構成300/400の態様を実装し得る。SPS構成500の態様は、本明細書で説明された対応するデバイスの例であり得る、基地局および/またはUEによって実装され得る。大まかには、SPS構成500は、ダウンリンクSPS通信のためのトリガベースの手法の一例を示す。
【０１５９】
SPS構成500はいくつかのSPS期間505を含み得る。各SPS期間505は、SPS構成の周期に基づき得る。SPS構成500の例では、各SPS期間505は20個のサブフレームまたはスロットにわたる。しかしながら、SPS期間505の一部またはすべてが、異なる数のサブフレームまたはスロットにわたり得る。各SPS期間505は、アップリンクサブフレームもしくはスロット510、ダウンリンクサブフレームもしくはスロット515、ダウンリンクSPSトリガサブフレームもしくはスロット520、および/または未使用サブフレームもしくはスロット525を含み得る。各SPS期間505は、1つまたは複数の構成されるHARQプロセスを有し得る。たとえば、SPS期間505-aにはHARQプロセス530が構成されることがあり、SPS期間505-bにはHARQプロセス535が構成されることがあり、SPS期間505-cにはHARQプロセス540が構成されることがある。一般に、HARQプロセスは、受信デバイスからのACK/NACKフィードバック情報の送信のための機構を提供する。
【０１６０】
いくつかの態様では、SPS構成500は、共有スペクトルを介したダウンリンクSPS通信のためのSPSパラメータを含むSPS構成メッセージを基地局が送信する(およびUEが受信する)ことを含み得る。UEは、ダウンリンクSPS通信に割り振られたサブフレームまたはスロットを特定するために、SPS構成を使用し得る。基地局およびUEは、SPS構成に従って、サブフレームまたはスロットの間にダウンリンクSPS通信を実行し得る。ダウンリンクSPS通信はトリガベースであり得るので、どのサブフレームまたはスロットがSPS通信を含むかをSPSトリガが特定する。したがって、SPS構成は、どのサブフレームまたはスロットがSPS通信のために使用されるかを特定しないことがある。代わりに、SPS構成は、SPS周期、HARQプロセスの数などのSPSパラメータを特定し得る。
【０１６１】
したがって、SPS期間505-aは、基地局がUEへのダウンリンクメッセージのSPS送信のためのサブフレームまたはスロット545を選択するような、サブフレームまたはスロット545を含み得る。したがって、基地局は、SPSトリガを含むサブフレームまたはスロット545の間に制御信号を送信し得る(およびUEはそれを受信し得る)。いくつかの例では、SPSトリガは、GC-PDCCHにおいて送信され得る。いくつかの態様では、SPSトリガは、SPS構成と関連付けられる識別子を使用して制御信号のDCIをスクランブルすることによって示され得る。識別子の一例は、GC-SPS C-RNTIを含み得る。SPSトリガは、1つ以上のUEに対するものであり得る。基地局は次いで、SPSトリガに従ってサブフレームまたはスロット545においてダウンリンクメッセージを送信し得る(およびUEはそれを受信し得る)。ダウンリンクメッセージは、ダウンリンクメッセージがUEにより受信され復号されることに成功したかどうかに基づいてUEがACK/NACK情報を送信するような、HARQプロセス530と関連付けられ得る。
【０１６２】
同様に、SPS期間505-bは、基地局がUEへのダウンリンクメッセージのSPS送信のためのサブフレームまたはスロット550を選択するような、サブフレームまたはスロット550を含み得る。したがって、基地局は、SPSトリガを含むサブフレームまたはスロット550の間に制御信号を送信し得る(およびUEはそれを受信し得る)。いくつかの例では、SPSトリガは、GC-PDCCHにおいて送信され得る。いくつかの態様では、SPSトリガは、SPS構成と関連付けられる識別子を使用して制御信号のDCIをスクランブルすることによって示され得る。識別子の一例は、GC-SPS C-RNTIを含み得る。SPSトリガは、1つ以上のUEに対するものであり得る。基地局は次いで、SPSトリガに従ってサブフレームまたはスロット550においてダウンリンクメッセージを送信し得る(およびUEはそれを受信し得る)。ダウンリンクメッセージは、ダウンリンクメッセージがUEにより受信され復号されることに成功したかどうかに基づいてUEがACK/NACK情報を送信するような、HARQプロセス535と関連付けられ得る。
【０１６３】
最後に、SPS期間505-cは、基地局がUEへのダウンリンクメッセージのSPS送信のためのサブフレームまたはスロット555を選択するような、サブフレームまたはスロット555を含み得る。したがって、基地局は、SPSトリガを含むサブフレームまたはスロット555の間に制御信号を送信し得る(およびUEはそれを受信し得る)。いくつかの例では、基地局は、GC-PDCCHにおいてSPSトリガを送信し得る。いくつかの態様では、SPSトリガは、SPS構成と関連付けられる識別子を使用して制御信号のDCIをスクランブルすることによって示され得る。識別子の一例は、GC-SPS C-RNTIを含み得る。SPSトリガは、1つ以上のUEに対するものであり得る。基地局は次いで、SPSトリガに従ってサブフレームまたはスロット555においてダウンリンクメッセージを送信し得る(およびUEはそれを受信し得る)。ダウンリンクメッセージは、ダウンリンクメッセージがUEにより受信され復号されることに成功したかどうかに基づいてUEがACK/NACK情報を送信するような、HARQプロセス540と関連付けられ得る。
【０１６４】
いくつかの態様では、SPS構成は、SPSトリガを検出するためにUEがその中のいくつかのサブフレームまたはスロットを監視する、構成されるウィンドウ560を含み得る。サブフレームまたはスロット555は、構成されるウィンドウ560内にあり得る。
【０１６５】
いくつかの態様では、SPS構成500は、チャネルの負荷が重く、チャネルアクセスが望まれる段階において通常は保証されないようなシナリオにおいて実装され得る。したがって、UEは、SPS周期およびHARQプロセスの数を用いて構成され得るが、厳密なサブフレームまたはスロットの位置は構成されない。代わりに、UEは、サブフレームまたはスロットごとにGC-PDCCHを監視し得る。GC-PDCCHの中の1つまたは複数のビットは、所与のHARQプロセスに対応するUEのダウンリンクSPS送信がそのサブフレームまたはスロットにおいて存在するかどうかを示し得る。これはSPSトリガを構成し得る。
【０１６６】
いくつかの態様では、GC-PDCCHのビットは、(たとえば、各UEへのRRCシグナリングを介して割り当てられるような)共通のGC-SPS C-RNTIを共有する複数のUEに割り振られ得る。GC-PDCCHに対する例示的なビットの割当ては、ビット0、1、2がUE1のためのSPSプロセス0、1、2を示し得ること、ビット3、4がUE2のためのSPSプロセス0、1を示し得ること、およびビット5、6、7、8がUE3のためのSPSプロセス0、1、2、3を示し得ることを含み得る。SPSトリガは、そのサブフレームまたはスロットにおける対応するPDSCHの存在を示し得る。
【０１６７】
いくつかの態様では、複数のGC-SPS C-RNTIは、システムの中のSPSユーザの数を増やすようにUEの異なるセットを構成し得る。いくつかの態様では、基地局は、セルの共通探索空間またはGC-SPS C-RNTIによって定義される新しい検索空間において、GC-SPS C-RNTIとスクランブルされるDCIを送信し得る。これは、UEごとに個々に割り当てられるSPS-RNTIとは異なることがあり、SPS構成およびリソース割振りをアクティブ化/解放/更新するために使用され得る。いくつかの態様では、UEはまた、構成されるウィンドウ465などの、所望のウィンドウ内でトリガを監視するように任意選択で構成され得る。
【０１６８】
いくつかの態様では、所与のUEに対する異なるHARQプロセスのためのSPSトリガは、異なるRNTIを伴うGC-PDCCHに割り当てられ得る。これは、UEがサブフレームまたはスロット当たり1つより多くのSPSプロセスを復号することが予想されないからである。UEのためのすべてのトリガが同じDCIの中にある場合、UE当たり1ビットだけがDCIにおいてアクティブ化され得る。
【０１６９】
フォールバック動作モードにおいて、UEが構成されるウィンドウ560内にSPSトリガを受信しない場合、UEは、UEのC-RNTIとスクランブルされるPDCCHによってスケジューリングされる通常のPDSCHを監視し得る。これは、基地局がその中でSPSを送信することが予想されるUEに構成されるウィンドウ560が構成される場合に、適していることがある。
【０１７０】
図6は、本開示の様々な態様による、共有スペクトルのためのSPSをサポートする、プロセス600の例を示す。いくつかの例では、プロセス600は、ワイヤレス通信システム100、200、および/またはSPS構成300/400/500の態様を実装し得る。プロセス600は、本明細書で説明される対応するデバイスの例であり得る、基地局605およびUE610を含み得る。
【０１７１】
615において、基地局605は、共有スペクトルを介してダウンリンクSPS通信を実行するためのUEを特定し得る。特定されるUEはUE610を含み得る。
【０１７２】
620において、SPS構成メッセージを、基地局605は特定されたUE610に送信することができる(およびUE610はそれを受信することができる)。SPS構成メッセージは、共有スペクトルを介したダウンリンクSPS通信のためのSPSパラメータ(たとえば、SPS周期、HARQプロセスの数、リソース割振りなど)を搬送し、または別様に伝え得る。
【０１７３】
625において、UE610は、SPS構成に従って、ダウンリンクSPS通信のために割り振られたサブフレームまたはスロットを特定し得る。いくつかの態様では、SPS構成は、どのサブフレームまたはスロットがダウンリンクSPS通信に割り振られたかを特定し得る。いくつかの態様では、SPS構成は、サブフレームまたはスロットを特定しないことがあるが、サブフレームまたはスロットがトリガベースであることを代わりに示すことがある。
【０１７４】
630において、基地局605およびUE610は、SPS構成に従って、特定されるサブフレームまたはスロットの間に、共有スペクトルにおいてダウンリンクSPS通信を実行し得る。
【０１７５】
いくつかの態様では、ダウンリンクSPS通信は、グラントベースのSPS送信を含むことがあり、チャネルが第1のサブフレームまたはスロットの間に利用不可能であるとき、基地局は、ダウンリンクメッセージの送信のための第1のサブフレームまたはスロットに取って代わる第2のサブフレームまたはスロットのためのダウンリンクグラントを送信する。基地局は、ダウンリンクグラントに従って第2のサブフレームまたはスロットにおいてダウンリンクメッセージを送信し得る。
【０１７６】
いくつかの態様では、ダウンリンクSPS通信は、チャネルが第1のサブフレームまたはスロットの間に利用不可能であるときに、基地局が第2のサブフレームまたはスロットの間にダウンリンクメッセージのグラントレス送信を実行するような、グラントレス送信を含み得る。第2のサブフレームまたはスロットは、SPS構成に従って構成されるウィンドウ内にあり得る。UEは、ダウンリンクメッセージのグラントレス送信を検出して受信するために、構成されるウィンドウ内の各サブフレームまたはスロットを監視し得る。
【０１７７】
いくつかの態様では、ダウンリンクSPS通信は、SPS構成がダウンリンクSPS構成のために構成されるサブフレームまたはスロットを特定しないような、トリガベースの送信であり得る。代わりに、基地局は、ダウンリンクメッセージを搬送するサブフレームまたはスロットにおいて、SPSトリガの指示を含め、または別様に伝える。UEは、SPSトリガを検出するためにサブフレームまたはスロットにおいて(たとえば、構成されるウィンドウ内で)制御信号を監視し、検出されると、そのサブフレームまたはスロットにおいてダウンリンクメッセージを受信し得る。
【０１７８】
いくつかの態様では、ダウンリンクSPS通信は、UEがダウンリンクグラントおよび/またはSPSトリガを検出するために制御信号を監視するような、ハイブリッド手法を採用し得る。いずれかがサブフレームまたはスロットの制御信号において検出される場合、UEはそのサブフレームまたはスロットの間にダウンリンクメッセージを受信し得る。
【０１７９】
図7は、本開示の様々な態様による、共有スペクトルのためのSPSをサポートする、SPS構成700の例を示す。いくつかの例では、SPS構成700は、ワイヤレス通信システム100、200、SPS構成300/400/500、および/またはプロセス600の態様を実装し得る。SPS構成700の態様は、本明細書で説明された対応するデバイスの例であり得る、基地局および/またはUEによって実装され得る。大まかには、SPS構成700は、アップリンクSPS通信のためのグラントベースの手法の一例を示す。
【０１８０】
SPS構成700はいくつかのSPS期間705を含み得る。各SPS期間705は、SPS構成の周期に基づき得る。SPS構成700の例では、各SPS期間705は20個のサブフレームまたはスロットにわたる。しかしながら、SPS期間705の一部またはすべてが、異なる数のサブフレームまたはスロットにわたり得る。各SPS期間705は、アップリンクサブフレームもしくはスロット710、ダウンリンクサブフレームもしくはスロット715、アップリンクSPSサブフレームもしくはスロット720、および/または未使用サブフレームもしくはスロット725を含み得る。各SPS期間705は、1つまたは複数の構成されるHARQプロセス(図示せず)を有し得る。一般に、HARQプロセスは、受信デバイスからのACK/NACKフィードバック情報の送信のための機構を提供する。
【０１８１】
いくつかの態様では、SPS構成700は、共有スペクトルを介してアップリンクSPS通信を実行するためのUEを基地局が特定することを含み得る。共有スペクトルを介したアップリンクSPS通信のためのSPSパラメータを含むSPS構成メッセージを、基地局が送信する(およびUEが受信する)ことができる。UEは、アップリンクSPS通信に割り振られたサブフレームまたはスロットを特定するために、SPS構成を使用し得る。基地局およびUEは、SPS構成に従って、サブフレームまたはスロットの間にアップリンクSPS通信を実行し得る。
【０１８２】
したがって、SPS期間705-aは、UEがアップリンクSPSサブフレームまたはスロット720を送信することを試みるサブフレームまたはスロット730において開始し得る。UEは、チャネル上でCCAおよび/またはLBT手順を実行し(たとえば、SPSサブフレームまたはスロットとしての25マイクロ秒のLBT手順が送信期間内にある)、成功する場合、サブフレームまたはスロット730の間にアップリンクメッセージを送信し得る。しかしながら、CCAおよび/またはLBT手順がサブフレームまたはスロット730の間に成功しない場合、アップリンクメッセージの送信のための第1のサブフレームまたはスロット(たとえば、サブフレームまたはスロット730)に取って代わる第2のサブフレームまたはスロットを特定するサブフレームまたはスロット735の間に、基地局はアップリンクグラントを送信することができる(およびUEはそれを受信することができる)。したがって、サブフレームまたはスロット740の間に、UEは再び、アップリンクグラントに従って、アップリンクメッセージを基地局に送信することを試み得る。チャネルがサブフレームまたはスロット740の間に利用不可能であるとUEが決定する場合、UEはメッセージを省略することができる。サブフレームまたはスロット740がSPS TxOPの次の機会の後に存在するとUEが決定する場合、UEは再びメッセージを省略することができる。基地局がダウンリンク送信のためのサブフレームまたはスロットをスケジューリングしたことをUEが決定する場合、UEは、サブフレームまたはスロット740の間にアップリンクメッセージを送信するのを控えることができる。いくつかの態様では、アップリンクグラントは、アップリンクメッセージを新しいHARQプロセスに割り当てることができる。
【０１８３】
いくつかの態様では、UEは、PHICH、PDCCHなどのフィールドを復号することによって、アップリンク送信が基地局において受信されなかったと決定し得る。このフィールドは、基地局からのACK/NACK情報を搬送し、または別様に伝え得る。いくつかの態様では、基地局は、(たとえば、成功しないCCAおよび/またはLBT手順が原因で)利用不可能であると決定されるサブフレームまたはスロットの間に、ACK/NACKメッセージを省略し得る。
【０１８４】
SPS期間705-bは、UEがアップリンクSPSサブフレームまたはスロット720を送信することを試みるサブフレームまたはスロット745を含み得る。UEは、チャネル上でCCAおよび/またはLBT手順(たとえば、優先クラス1であるカテゴリ(CAT)4 LBT手順)を実行し、SPS構成700に示されるように成功する場合、サブフレームまたはスロット745の間にアップリンクメッセージを送信し得る。
【０１８５】
SPS期間705-cは、基地局がこのアップリンクSPSの機会においてスケジューリングされたダウンリンクを有する、サブフレームまたはスロット750であり得る。UEは、このサブフレームまたはスロット750がダウンリンクのためにスケジューリングされたことをC-PDCCHに基づいて決定することができ、SPS期間705-cの間のアップリンクSPSの機会をスキップすることができる。
【０１８６】
いくつかの態様では、SPS構成700は、チャネルアクセスがほぼ保証される状況(たとえば、アップリンク送信への大きな干渉のない計画された展開、および中程度の負荷のチャネル)において実装され得る。
【０１８７】
いくつかの態様では、これは、アップリンクアクティブ化グラントが、HARQプロセスID、アップリンクSPSの送信の開始サブフレームまたはスロット(およびサブフレームまたはスロット番号(SFN))などを示すような非同期HARQシナリオを含み得る。SPS周期はRRCシグナリングにおいて構成され得る。
【０１８８】
いくつかの態様では、SPS構成700は2段階のアップリンクグラントに適用可能であり得る。たとえば、UEは、SPSアップリンクの機会のための開始遅延を示す、1段階のアップリンクグラントによってアップリンクSPSをアクティブ化し得る。これはTxOPにまたがるアクティブ化を含まないことがある。
【０１８９】
いくつかの態様では、これはUEによって利用される様々なLBTタイプを含み得る。たとえば、UEがサブフレームまたはスロットn-2において基地局の送信を検出する場合、UEは、アップリンク送信に使用すべきLBTタイプを決定するために、C-PDCCHシグナリングを使用し得る。指定されるアップリンクSPSサブフレームまたはスロットが基地局TxOPの一部であることを示すC-PDCCHをUEがサブフレームまたはスロットn-2において受信する場合、UEは25μsのLBTを実行し得る。受信しない場合、UEは、優先クラスNのカテゴリ4 LBTを実行し得る。Nの値は、どれだけの連続するHARQプロセスが基地局によってスケジューリングされるかに依存し得る。1つまたは2つのサブフレームもしくはスロットの場合、LBT優先クラス1で十分であり得る。
【０１９０】
UE LBTが失敗する場合、またはアップリンクメッセージの基地局による検出/復号が失敗する場合、基地局はそのHARQフィードバックの再送信のためにアップリンクグラントをUEに送信することができ、UEは再送信グラントに従ってHARQフィードバックを再送信することができる。そのHARQプロセスの送信が次の機会の前に再送信が成功する場合、アップリンク送信は成功する。再送信が成功しない場合、または再送信グラントがSPS送信の次の機会の後で送信するようにUEをスケジューリングする場合、UEはパケットを廃棄し得る。アップリンクSPSの機会が基地局によってダウンリンクとして宣言される場合、UEはSPSの機会をスキップすることができる。
【０１９１】
グラントベースのアップリンクSPS通信では、HARQプロセスは基地局によってあらかじめ構成され得る。グラントレスアップリンクSPS通信では、UEは、HARQ、RV、および/またはNDIを選び得る。グラントベースのアップリンクSPS通信では、非同期アップリンクHARQに基づくアップリンクSPS通信は、基地局によって明示的に肯定応答されないことがある。非同期HARQは、一般に基地局によって肯定応答されないことがある。同期HARQでは、PHICHが、ACK/NACK情報を搬送することがあり、または別様に伝えることがある。グラントレスアップリンクSPS通信では、基地局は、ACKフィードバックを示すためにDCI/DCFを使用し得る。
【０１９２】
1つだけのアップリンクHARQプロセスが構成されるいくつかの態様では、グラントレスアップリンクSPS送信は、UE固有のDCIにおいて基地局によってグラントレス送信が肯定応答される必要があるので、制御オーバーヘッドを減らさないことがある。グラントベースのアップリンクSPS送信は、アップリンク送信が正しく受信されると見なされるので、制御オーバーヘッドを減らすことができる。再送信のみがスケジューリングされ得る。
【０１９３】
複数のHARQプロセスが構成されるいくつかの態様では、グラントレスアップリンクSPS送信は、いくらかの送信の柔軟性をもたらし、制御オーバーヘッドを減らすことができる(たとえば、すべてのACK情報が同じDCIにおいて送信され得る)。しかしながら、これは、所与の瞬間においてどのHARQプロセスがUEによって使用されるかをほとんど制御できず、周期性を維持できない。
【０１９４】
図8は、本開示の様々な態様による、共有スペクトルのためのSPSをサポートする、SPS構成800の例を示す。いくつかの例では、SPS構成800は、ワイヤレス通信システム100、200、および/またはSPS構成300/400/500/700、および/またはプロセス600の態様を実装し得る。SPS構成800の態様は、本明細書で説明された対応するデバイスの例であり得る、基地局および/またはUEによって実装され得る。大まかには、SPS構成800は、アップリンクSPS通信のためのグラントレスの手法の一例を示す。
【０１９５】
大まかには、SPS構成800は複数のSPS期間805を含み得る。各SPS期間805は、SPS構成の周期に基づき得る。SPS構成800の例では、各SPS期間805は20個のサブフレームまたはスロットにわたる。しかしながら、SPS期間805の一部またはすべてが、異なる数のサブフレームまたはスロットにわたり得る。各SPS期間805は、アップリンクサブフレームもしくはスロット810、ダウンリンクサブフレームもしくはスロット815、アップリンクSPSサブフレームもしくはスロット820、および/または未使用サブフレームもしくはスロット825を含み得る。各SPS期間805は、1つまたは複数の構成されるHARQプロセス(図示せず)を有し得る。一般に、HARQプロセスは、受信デバイスからのACK/NACKフィードバック情報の送信のための機構を提供する。
【０１９６】
いくつかの態様では、SPS構成800は、共有スペクトルを介してアップリンクSPS通信を実行するためのUEを基地局が特定することを含み得る。共有スペクトルを介したアップリンクSPS通信のためのSPSパラメータを含むSPS構成メッセージを、基地局が送信する(およびUEが受信する)ことができる。UEは、アップリンクSPS通信に割り振られたサブフレームまたはスロットを特定するために、SPS構成を使用し得る。基地局およびUEは、SPS構成に従って、サブフレームまたはスロットの間にアップリンクSPS通信を実行し得る。
【０１９７】
したがって、SPS期間805-aは、サブフレームまたはスロット830および835を含み得る。サブフレームまたはスロット830は、UEの第1のグループのためのアップリンクSPS送信を搬送することができ、サブフレームまたはスロット835は、アップリンクSPS送信またはUEの第2のグループを搬送することができる。サブフレームまたはスロット845は、UEの両方のグループからのUEに対するアップリンクSPS送信ステータスを示すGC-DCI(たとえば、ACK/NACK情報)を搬送することができる。アップリンクSPS送信が成功しなかったと仮定すると、さらなる送信は必要ではないことがある。しかしながら、チャネルが利用不可能であったとき、および/またはアップリンクSPS送信が基地局において受信されなかったとき、サブフレームまたはスロット840において、UEは、アップリンクSPSメッセージのグラントレスアップリンク送信を実行し得る。
【０１９８】
いくつかの態様では、グラントレス送信は、チャネルが利用不可能でなければ、またはアップリンクSPS送信が基地局において受信されないということがなければ、サブフレームまたはスロット830および/または835の間の送信であったであろうものと関連付けられる送信パラメータに基づき得る。UEは、サブフレームまたはスロット845の間のメッセージのグラントレス送信のために同じ送信パラメータを使用し得る。送信パラメータの例は、限定はされないが、MCS、リソース割振り方式などを含む。
【０１９９】
いくつかの態様では、基地局は、グラントレスアップリンクSPS送信のために使用されるべきリソースを特定する、構成メッセージ(たとえば、SPS構成メッセージまたは別個の構成メッセージ)を送信し得る。このリソースは、1つまたは複数のUEのためのグラントレスアップリンクSPS送信のために割り振られるような、サブフレームまたはスロット845を示し得る。
【０２００】
同様に、SPS期間805-bは、サブフレームまたはスロット850および855を含み得る。サブフレームまたはスロット850は、UEの第1のグループのためのアップリンクSPS送信を搬送することができ、サブフレームまたはスロット855は、アップリンクSPS送信またはUEの第2のグループを搬送することができ、以下同様である。サブフレームまたはスロット860は、UEの両方のグループからのUEに対するアップリンクSPS送信ステータスを示すGC-DCI(たとえば、ACK/NACK情報)を搬送することができる。(SPS期間805-bの間に示されるように)アップリンクSPS送信が成功しなかったと仮定すると、さらなるSPS送信は必要ではないことがある。
【０２０１】
最後に、SPS期間805-cは、サブフレームまたはスロット865および870を含み得る。サブフレームまたはスロット865は、UEの第1のグループのためのアップリンクSPS送信を搬送することができ、サブフレームまたはスロット870は、アップリンクSPS送信またはUEの第2のグループを搬送することができる。サブフレームまたはスロット875は、UEの両方のグループからのUEに対するアップリンクSPS送信ステータスを示すGC-DCI(たとえば、ACK/NACK情報)を搬送することができる。(SPS期間805-cの間に示されるように)アップリンクSPS送信が成功しなかったと仮定すると、さらなるSPS送信は必要ではないことがある。
【０２０２】
いくつかの態様では、グラントベースアップリンクSPS送信方式は、フォールバックとして実装されるグラントレスアップリンクSPS送信方式とともに構成され得る。グラントレスアップリンクSPS送信は、アップリンクLBTまたはアップリンク送信が不成功である事例において使用され得る。DCIは、アップリンクSPS送信が成功するかどうか(たとえば、1ビットが所与のUEのアップリンクSPSプロセスに割り当てられる共通DCI)をシグナリングするために使用され得る。たとえば、ビット0、1、2はUE1のためのアップリンクSPSプロセス0、1、2と関連付けられることがあり、ビット3、4はUE2のためのアップリンクSPSプロセス0、1と関連付けられることがある、などである。DCIは、グループ共通DCIと同様に、多くのUEによって共有される共通RNTIとスクランブルされ得る。グラントレスアップリンクSPS送信リソースは、多くのUEのアップリンク送信の機会が成功すると見なされ得るので、過負荷であり得る。任意選択の手法は、アップリンクSPS送信の成功を示すDCI/DFIを含み得る。UE1が次の機会の前に送信できない場合、UE1はアップリンクSPS送信のパケットを廃棄し得る。
【０２０３】
いくつかの態様では、グラントレスアップリンクSPS送信は、構成されるウィンドウ(図示せず)に基づき得る。したがって、サブフレームまたはスロット845は、構成されるウィンドウに基づいて特定され得る。基地局は、構成されるウィンドウを特定する構成メッセージ(たとえば、SPS構成メッセージまたは別個の構成メッセージ)をUEに送信し得る。
【０２０４】
図9は、本開示の様々な態様による、共有スペクトルのためのSPSをサポートする、SPS構成900の例を示す。いくつかの例では、SPS構成900は、ワイヤレス通信システム100、200、および/またはSPS構成300/400/500/700/800、および/またはプロセス600の態様を実装し得る。SPS構成900の態様は、本明細書で説明された対応するデバイスの例であり得る、基地局および/またはUEによって実装され得る。大まかには、SPS構成900は、アップリンクSPS通信のためのトリガベースの手法の一例を示す。
【０２０５】
大まかには、SPS構成900は複数のSPS期間905を含み得る。各SPS期間905は、SPS構成の周期に基づき得る。SPS構成900の例では、各SPS期間905は20個のサブフレームまたはスロットにわたる。しかしながら、SPS期間905の一部またはすべてが、異なる数のサブフレームまたはスロットにわたり得る。各SPS期間905は、アップリンクサブフレーム910、ダウンリンクサブフレームもしくはスロット915、アップリンクSPSトリガサブフレームもしくはスロット920、および/または未使用サブフレームもしくはスロット925を含み得る。各SPS期間905は、1つまたは複数の構成されるHARQプロセス(図示せず)を有し得る。一般に、HARQプロセスは、受信デバイスからのACK/NACKフィードバック情報の送信のための機構を提供する。
【０２０６】
いくつかの態様では、SPS構成900は、共有スペクトルを介したアップリンクSPS通信のためのSPSパラメータを含むSPS構成メッセージを基地局が送信する(およびUEが受信する)ことを含み得る。UEは、アップリンクSPS通信に割り振られたサブフレームまたはスロットを特定するために、SPS構成を使用し得る。基地局およびUEは、SPS構成に従って、サブフレームまたはスロットの間にアップリンクSPS通信を実行し得る。アップリンクSPS通信は、どのサブフレームまたはスロットがSPS通信を含むかをアップリンクSPSトリガサブフレームまたはスロット920が特定するという点で、トリガベースであり得る。したがって、SPS構成は、どのサブフレームまたはスロットがアップリンクSPS通信のために使用されるかを特定しないことがある。代わりに、SPS構成は、SPS周期、HARQプロセスの数などのSPSパラメータを特定し得る。
【０２０７】
サブフレームまたはスロット930は、サブフレームまたはスロットの間にアップリンクSPS送信を1つまたは複数のUEが実行することを惹起する、SPSトリガをサブフレームまたはスロットの制御信号に含め得る。例示的なSPS期間905-aでは、サブフレームまたはスロット930からのSPSトリガは、UEの第1のグループがサブフレームまたはスロット935の間にアップリンクSPS送信を実行すること、およびUEの第2のグループがサブフレームまたはスロット940の間にアップリンクSPS送信を実行することを惹起する。すなわち、基地局は、第1および第2のグループ内のUEからのアップリンクメッセージのSPS送信のための、サブフレームまたはスロット935および940を選択し得る。基地局は、サブフレームまたはスロット930の間に制御信号においてSPSトリガを送信する。SPS期間905-aの間に、サブフレームまたはスロット945は、UEの第1のグループおよび第2のグループからのアップリンクSPS送信の成功に基づいて設定されるGC DCIフィールドを含み得る(たとえば、ACK/NACK情報を搬送する)。例示的なSPS構成900では、サブフレームまたはスロット945は、サブフレームまたはスロット950の間の成功しないアップリンクSPS送信の再送信を惹起する。すなわち、基地局は、そのアップリンクSPS送信が以前に不成功であったUEからのアップリンクメッセージのSPS送信のための、サブフレームまたはスロット950を選択し得る。基地局は、サブフレームまたはスロット945の間に制御信号においてSPSトリガを送信する。
【０２０８】
同様に、SPS期間905-bは、UEの第1のグループおよび第2のグループからのアップリンクメッセージのSPS送信のために基地局がサブフレームまたはスロット960および965を選択するような、サブフレームまたはスロット955を含み得る。したがって、基地局は、SPSトリガを含むサブフレームまたはスロット955の間に制御信号を送信し得る(およびUEはそれを受信し得る)。いくつかの例では、SPSトリガは、GC-PDCCHにおいて送信され得る。いくつかの態様では、SPSトリガは、SPS構成と関連付けられる識別子を使用して制御信号のDCIをスクランブルすることによって示され得る。識別子の一例は、GC-SPS C-RNTIを含み得る。UEは次いで、SPSトリガに従ってサブフレームまたはスロット960および969においてアップリンクSPSメッセージを送信し得る(および基地局はそれを受信し得る)。アップリンクメッセージは、アップリンクメッセージが基地局による受信と復号に成功したかどうかに基づいて基地局がACK/NACK情報を送信するような、HARQプロセスと関連付けられ得る。
【０２０９】
いくつかの態様では、SPS構成900は、チャネルの負荷が重く、チャネルアクセスが望まれる段階において通常は保証されないようなシナリオにおいて実装され得る。したがって、UEは、SPS周期およびHARQプロセスの数で構成され得るが、厳密なサブフレームまたはスロットの位置は構成されないことがある。代わりに、UEは、のサブフレームまたはスロットごとにGC-PDCCHを監視し得る。GC-PDCCHの中の1つのビットは、所与のHARQプロセスに対応するUEのアップリンクSPS送信がそのサブフレームまたはスロットにおいて存在するかどうかを示し得る。これはSPSトリガを構成し得る。
【０２１０】
いくつかの態様では、GC-PDCCHのビットは、(たとえば、各UEへのRRCシグナリングを介して割り当てられるような)共通のGC-SPS C-RNTIを共有する多くのUEに割り振られ得る。GC-PDCCHにおけるビット割当ての一例として、ビット0、1、2がUE1のためのHARQ SPSプロセス0、1、2と関連付けられることがあり、ビット3、4がUE2のためのHARQ SPSプロセス0、1と関連付けられることがあり、およびビット5、6、7、8がUE3のためのHARQ SPSプロセス0、1、2、3と関連付けられることがあり、以下同様である。
【０２１１】
いくつかの態様では、各UEは、SPSプロセスに対するサブフレームまたはスロットの遅延を用いて構成され得る。SPSトリガがいつ受信されるか、および構成されるサブフレームまたはスロットの遅延に基づいて、UEは、どのサブフレームまたはスロットがアップリンクSPS送信のために使用されるかを決定し得る。
【０２１２】
いくつかの態様では、2つの選択肢が冗長バージョン(RV)に関して実装され得る。第1の選択肢では、RV0はすべての送信および再送信のために使用され得る。第2の選択肢では、RVはGC-DCIにおいて示される。DCIによってトリガされるすべてのUEは同じRVを共有し得る。
【０２１３】
いくつかの態様では、様々なLBT方式が使用され得る。たとえば、カテゴリ4 LBTがいくつかのUEに対して使用され得るが、関連するコリジョンの危険性を有し得る。各UEに対して、パケットサイズは小さいので、各UEが優先クラス1の(最大ウィンドウサイズが7の)カテゴリ4 LBTを実行することで十分である。基地局は(RRCシグナリングまたはSPSアクティブ化グラントにおいて)、次のUEのLBTに対して十分な間隙があるように、シンボル12またはシンボル13まで送信PUSCHだけを構成し得る。
【０２１４】
図10は、本開示の様々な態様による、共有スペクトルのためのSPSをサポートする、プロセス1000の例を示す。いくつかの例では、プロセス1000は、ワイヤレス通信システム100、200、SPS構成300/400/500/700/800/900、および/またはプロセス600の態様を実装し得る。プロセス1000は、本明細書で説明された対応するデバイスの例であり得る、基地局1005およびUE1010を含み得る。
【０２１５】
1015において、基地局1005は、共有スペクトルを介してアップリンクSPS通信を実行するためのUEを特定し得る。特定されるUEはUE1010を含み得る。
【０２１６】
1020において、SPS構成メッセージを、基地局1005は特定されたUEに送信することができる(およびUE610はそれを受信することができる)。SPS構成メッセージは、共有スペクトルを介したアップリンクSPS通信のためのSPSパラメータ(たとえば、SPS周期、HARQプロセスの数、リソース割振りなど)を搬送し、または別様に伝え得る。
【０２１７】
1025において、UE1010は、SPS構成に従って、アップリンクSPS通信のために割り振られたサブフレームまたはスロットを特定し得る。いくつかの態様では、SPS構成は、どのサブフレームまたはスロットがアップリンクSPS通信に割り振られたかを特定し得る。いくつかの態様では、SPS構成は、サブフレームまたはスロットを特定しないことがあるが、サブフレームまたはスロットがトリガベースであることを代わりに示すことがある。
【０２１８】
1030において、基地局1005およびUE1010は、SPS構成に従って、特定されるサブフレームまたはスロットの間に、共有スペクトルにおいてアップリンクSPS通信を実行し得る。
【０２１９】
いくつかの態様では、アップリンクSPS通信は、グラントベースのSPS送信を含むことがあり、チャネルが第1のサブフレームまたはスロットの間に利用不可能であるとき、基地局は、アップリンクメッセージの送信のための第1のサブフレームまたはスロットに取って代わる第2のサブフレームまたはスロットのためのアップリンクグラントを送信する。UEは、アップリンクグラントに従って第2のサブフレームまたはスロットにおいてアップリンクメッセージを送信し得る。
【０２２０】
いくつかの態様では、アップリンクSPS通信は、チャネルが第1のサブフレームまたはスロットの間に利用不可能であるときに、UEが第2のサブフレームまたはスロットの間にアップリンクメッセージのグラントレス送信を実行するような、グラントレス送信を含み得る。第2のサブフレームまたはスロットは、SPS構成に従って構成されるウィンドウ内にあり得る。基地局は、アップリンクメッセージのグラントレス送信を検出して受信するために、構成されるウィンドウ内の各サブフレームまたはスロットを監視し得る。
【０２２１】
いくつかの態様では、アップリンクSPS通信は、SPS構成がアップリンクSPS構成のために構成されるサブフレームまたはスロットを特定しないような、トリガベースの送信であり得る。代わりに、基地局は、アップリンクメッセージを搬送するサブフレームまたはスロットにおいて、SPSトリガの指示を含め、または別様に伝える。UEは、SPSトリガを検出するために(たとえば、構成されるウィンドウ内の)サブフレームまたはスロットにおいて制御信号を監視し、検出されるとそのサブフレームまたはスロットにおいてアップリンクメッセージを送信し得る。
【０２２２】
いくつかの態様では、アップリンクSPS通信は、UEがアップリンクグラントおよび/またはSPSトリガを検出するために制御信号を監視するような、ハイブリッド手法を採用し得る。いずれかがサブフレームまたはスロットの制御信号において検出される場合、UEはそのサブフレームまたはスロットの間にアップリンクメッセージを送信し得る。
【０２２３】
図11は、本開示の態様による、共有スペクトルのためのSPSをサポートするワイヤレスデバイス1105のブロック図1100を示す。ワイヤレスデバイス1105は、本明細書で説明されるUE115の態様の例であり得る。ワイヤレスデバイス1105は、受信機1110、UE通信マネージャ1115、および送信機1120を含み得る。ワイヤレスデバイス1105はプロセッサも含み得る。これらの構成要素の各々は、(たとえば、1つまたは複数のバスを介して)互いに通信していることがある。
【０２２４】
受信機1110は、パケット、ユーザデータ、または様々な情報チャネル(たとえば、制御チャネル、データチャネル、および共有スペクトルのためのSPSに関する情報など)と関連付けられた制御情報などの情報を受信し得る。情報はデバイスの他の構成要素に受け渡され得る。受信機1110は、図14を参照して説明されるトランシーバ1435の態様の例であり得る。受信機1110は、単一のアンテナまたはアンテナのセットを利用し得る。
【０２２５】
UE通信マネージャ1115は、図14を参照して説明されるUE通信マネージャ1415の態様の例であり得る。
【０２２６】
UE通信マネージャ1115および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ1115、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。UE通信マネージャ1115、および/またはその様々な副構成要素のうちの少なくともいくつかは、機能の部分が1つまたは複数の物理デバイスによって異なる物理的位置に実装されるように分散されることを含めて、様々な場所に物理的に位置し得る。いくつかの例では、UE通信マネージャ1115、および/またはその様々な副構成要素のうちの少なくともいくつかは、本開示の様々な態様による別個のおよび異なる構成要素であり得る。他の例では、UE通信マネージャ1115および/またはその様々な副構成要素のうちの少なくともいくつかは、本開示の様々な態様による、限定はされないが、I/O構成要素、トランシーバ、ネットワークサーバ、別のコンピューティングデバイス、本開示で説明される1つまたは複数の他の構成要素、またはそれらの組合せを含む、1つまたは複数の他のハードウェア構成要素と組み合わされ得る。
【０２２７】
UE通信マネージャ1115は、基地局からSPS構成メッセージを受信し、SPS構成メッセージが、共有無線周波数スペクトル帯域を介したダウンリンクSPS通信のための少なくとも1つのSPSパラメータを含み、SPS構成に基づいて、ダウンリンクSPS通信のために割り振られた1つまたは複数のサブフレームまたはスロットを特定し、SPS構成に従って、1つまたは複数のサブフレームまたはスロットの間にダウンリンクSPS通信を実行し得る。UE通信マネージャ1115はまた、基地局からSPS構成メッセージを受信し、SPS構成メッセージが、共有無線周波数スペクトル帯域を介したアップリンクSPS通信のための少なくとも1つのSPSパラメータを含み、SPS構成に基づいて、アップリンクSPS通信のために割り振られた1つまたは複数のサブフレームまたはスロットを特定し、SPS構成に従って、1つまたは複数のサブフレームまたはスロットの間にアップリンクSPS通信を実行し得る。
【０２２８】
送信機1120は、デバイスの他の構成要素によって生成される信号を送信し得る。いくつかの例では、送信機1120は、トランシーバモジュールの中の受信機1110と一緒に置かれ得る。たとえば、送信機1120は、図14を参照して説明されるトランシーバ1435の態様の例であり得る。送信機1120は、単一のアンテナまたはアンテナのセットを利用し得る。
【０２２９】
図12は、本開示の態様による、共有スペクトルのためのSPSをサポートするワイヤレスデバイス1205のブロック図1200を示す。ワイヤレスデバイス1205は、図11を参照して説明されたようなワイヤレスデバイス1105またはUE115の態様の例であり得る。ワイヤレスデバイス1205は、受信機1210、UE通信マネージャ1215、および送信機1220を含み得る。ワイヤレスデバイス1205はプロセッサも含み得る。これらの構成要素の各々は、(たとえば、1つまたは複数のバスを介して)互いに通信していることがある。
【０２３０】
受信機1210は、パケット、ユーザデータ、または様々な情報チャネル(たとえば、制御チャネル、データチャネル、および共有スペクトルのためのSPSに関する情報など)と関連付けられた制御情報などの情報を受信し得る。情報はデバイスの他の構成要素に受け渡され得る。受信機1210は、図14を参照して説明されるトランシーバ1435の態様の例であり得る。受信機1210は、単一のアンテナまたはアンテナのセットを利用し得る。
【０２３１】
UE通信マネージャ1215は、図14を参照して説明されるUE通信マネージャ1415の態様の例であり得る。
【０２３２】
UE通信マネージャ1215はまた、SPS構成マネージャ1225、SPSサブフレームまたはスロットマネージャ1230、および通信マネージャ1235を含み得る。
【０２３３】
SPS構成マネージャ1225は、基地局からSPS構成メッセージを受信し、SPS構成メッセージが、共有無線周波数スペクトル帯域を介したダウンリンクSPS通信のための少なくとも1つのSPSパラメータを含み、基地局からSPS構成メッセージを受信し、SPS構成メッセージが、共有無線周波数スペクトル帯域を介したアップリンクSPS通信のための少なくとも1つのSPSパラメータを含む、ことができる。
【０２３４】
SPSサブフレームまたはスロットマネージャ1230は、SPS構成に基づいて、ダウンリンクSPS通信のために割り振られた1つまたは複数のサブフレームまたはスロットを特定し、SPS構成に基づいて、アップリンクSPS通信のために割り振られた1つまたは複数のサブフレームまたはスロットを特定することができる。
【０２３５】
SPS通信マネージャ1235は、SPS構成に従って、1つまたは複数のサブフレームまたはスロットの間にダウンリンクSPS通信を実行し、SPS構成に従って、1つまたは複数のサブフレームの間にアップリンクSPS通信を実行し得る。
【０２３６】
送信機1220は、デバイスの他の構成要素によって生成される信号を送信し得る。いくつかの例では、送信機1220は、トランシーバモジュールの中の受信機1210と一緒に置かれ得る。たとえば、送信機1220は、図14を参照して説明されるトランシーバ1435の態様の例であり得る。送信機1220は、単一のアンテナまたはアンテナのセットを利用し得る。
【０２３７】
図13は、本開示の態様による、共有スペクトルのためのSPSをサポートするUE通信マネージャ1315のブロック図1300を示す。UE通信マネージャ1315は、図11、図12、および図14を参照して説明されるUE通信マネージャ1115、UE通信マネージャ1215、またはUE通信マネージャ1415の態様の例であり得る。UE通信マネージャ1315は、SPS構成マネージャ1320、SPSサブフレームまたはスロットマネージャ1325、SPS通信マネージャ1330、グラントベースSPSマネージャ1335、グラントレスSPSマネージャ1340、トリガベースSPSマネージャ1345、およびハイブリッドSPSマネージャ1350を含み得る。これらのモジュールの各々は、直接または間接的に(たとえば、1つまたは複数のバスを介して)互いに通信し得る。
【０２３８】
SPS構成マネージャ1320は、基地局からSPS構成メッセージを受信し、SPS構成メッセージが、共有無線周波数スペクトル帯域を介したダウンリンクSPS通信のための少なくとも1つのSPSパラメータを含み、基地局からSPS構成メッセージを受信し、SPS構成メッセージが、共有無線周波数スペクトル帯域を介したアップリンクSPS通信のための少なくとも1つのSPSパラメータを含む、ことができる。
【０２３９】
SPSサブフレームまたはスロットマネージャ1325は、SPS構成に基づいて、ダウンリンクSPS通信のために割り振られた1つまたは複数のサブフレームまたはスロットを特定し、SPS構成に基づいて、アップリンクSPS通信のために割り振られた1つまたは複数のサブフレームまたはスロットを特定することができる。
【０２４０】
SPS通信マネージャ1330は、SPS構成に従って、1つまたは複数のサブフレームまたはスロットの間にダウンリンクSPS通信を実行し、SPS構成に従って、1つまたは複数のサブフレームの間にアップリンクSPS通信を実行し得る。
【０２４１】
グラントベースSPSマネージャ1335は、CCAまたはLBT手順の結果に基づいて第2のサブフレームまたはスロットの間にチャネル上でメッセージを送信し、ダウンリンクグラントに従って第2のサブフレームまたはスロットの間にチャネル上でメッセージを受信し、チャネルがダウンリンクグラントに従って第3のサブフレームまたはスロットの間に肯定応答/否定応答/NACKメッセージの送信には利用不可能であると決定し、チャネルが利用不可能であることに基づいてACK/NACKメッセージを省略し、ACK/NACK送信のための可能なPUCCHリソースのセットを示す構成メッセージを受信し、ダウンリンクグラントの中のACK/NACKリソースの指示が可能なPUCCHリソースのうちの1つを特定し、この決定に基づいて、メッセージの送信のための第1のサブフレームまたはスロットに取って代わる第2のサブフレームまたはスロットを示すアップリンクグラントを受信し、この決定に基づいて、メッセージの送信のための第1のサブフレームまたはスロットに取って代わる第2のサブフレームまたはスロットを示すダウンリンクグラントを受信し、第2のサブフレームまたはスロットの間のチャネルの利用不可能性に基づいてメッセージを含むパケットを省略し、次のSPS送信機会の後に第2のサブフレームまたはスロットが存在することに基づいて、メッセージを含むパケットを省略し、ダウンリンク送信のために第2のサブフレームまたはスロットがスケジューリングされたことの指示を受信し、この指示に基づいて第2のサブフレームまたはスロットの間にメッセージを送信するのを控え、アップリンクグラントに従って第2のサブフレームまたはスロットの間にチャネル上でメッセージの送信を試みることができる。いくつかの場合、ダウンリンクSPS通信を実行することは、SPS構成に従って、第1のサブフレームまたはスロットの間に共有無線周波数スペクトルのチャネル上でメッセージが受信されなかったと決定することを含む。いくつかの場合、ダウンリンクグラントを受信することは、第1のサブフレームまたはスロットの間のチャネルの利用不可能性に基づいて設定されるダウンリンクグラントのNDIフィールドを取得することを含む。いくつかの場合、ダウンリンクグラントを受信することは、第1のサブフレームまたはスロットの間のチャネルの利用不可能性に基づいて、メッセージのための新しいHARQプロセス割当てを取得することを含む。いくつかの場合、ダウンリンクグラントは、メッセージと関連付けられるACK/NACKリソースの指示を含む。いくつかの場合、アップリンクSPS通信を実行することは、SPS構成に従って、第1のサブフレームまたはスロットの間に共有無線周波数スペクトルのチャネル上で基地局においてメッセージが受信されなかったと決定することを含む。いくつかの場合、メッセージが受信されなかったと決定することは、メッセージが基地局において受信されなかったと決定するために、PHICH、またはPDCCH、またはこれらの組合せのうちの少なくとも1つのフィールドを復号することを含む。いくつかの場合、メッセージが受信されなかったと決定することは、第1のサブフレームまたはスロットの間にチャネルがメッセージの送信には利用不可能であると決定することを含む。いくつかの場合、第2のサブフレームまたはスロットの間にメッセージを送���することを試みることは、第2のサブフレームまたはスロットの間はメッセージを送信するためにチャネルが利用不可能であると決定することを含む。いくつかの場合、第2のサブフレームまたはスロットの間にメッセージを送信することを試みることは、アップリンクグラントに基づいて、チャネル上の次のSPS送信機会の後に第2のサブフレームまたはスロットが存在すると決定することを含む。いくつかの場合、第2のサブフレームまたはスロットの間にメッセージを送信することを試みることは、第2のサブフレームまたはスロットの前にチャネル上でCCA手順またはLBT手順のうちの少なくとも1つを実行することを含む。
【０２４２】
グラントレスSPSマネージャ1340は、第2のサブフレームまたはスロットの間にチャネル上でメッセージのグラントレス送信を受信し、SPS構成に基づいて、構成されるウィンドウのウィンドウサイズを決定し、第2のサブフレームまたはスロットがこの決定に基づいて特定され、構成されるウィンドウと関連付けられるウィンドウサイズを示す構成メッセージを受信し、ウィンドウサイズが構成されるウィンドウ内のサブフレームまたはスロットのセットを含み、第1のサブフレームまたはスロットの間にメッセージを受信することと関連付けられる送信パラメータを決定し、グラントレス送信が送信パラメータに基づいて受信され、メッセージを受信したことに基づいて、SPS構成に従って、第1のPRACH波形を使用するACKメッセージまたは第2のPRACH波形を使用するNACKメッセージのうちの少なくとも1つを送信し、この決定に基づいて、メッセージの送信およびSPS期間内の構成されるウィンドウのための第1のサブフレームまたはスロットに取って代わる第2のサブフレームまたはスロットを特定し、第2のサブフレームまたはスロットの間にチャネル上でメッセージのグラントレス送信を実行し、メッセージのグラントレス送信と関連付けられるACK/NACK指示を受信するためにDCIの1つまたは複数のビットを復号し、UEおよび少なくとも1つの追加のUEと関連付けられる識別子を使用してグループ共通DCIをデスクランブルし、構成されるウィンドウと関連付けられるウィンドウサイズを決定し、第2のサブフレームまたはスロットがウィンドウサイズに基づいて特定され、第1のサブフレームまたはスロットの間にメッセージの送信と関連付けられる送信パラメータを決定し、グラントレス送信が送信パラメータに基づいて実行される、ことができる。いくつかの場合、ダウンリンクSPS通信を実行することは、SPS構成に従って、第1のサブフレームまたはスロットの間に共有無線周波数スペクトルのチャネル上でメッセージが受信されなかったと決定することを含む。いくつかの場合、第2のサブフレームまたはスロットを特定することは、構成されるウィンドウ内のサブフレームまたはスロットのセットの間のチャネル上でのCCA手順またはLBT手順のうちの少なくとも1つを実行することを含み、第2のサブフレームまたはスロットは、CCA手順またはLBT手順の結果に基づいて特定される。いくつかの場合、第2のサブフレームまたはスロットを特定することは、メッセージのグラントレス送信を検出するために、構成されるウィンドウ内の連続するサブフレームまたはスロットのセットを復号することを含む。いくつかの場合、送信パラメータは、第1のサブフレームもしくはスロットの間のメッセージの受信に使用されるべき少なくとも1つのMCS、または、第1のサブフレームもしくはスロットの間のメッセージの受信と関連付けられるリソース割振り方式、またはこれらの組合せを含む。いくつかの場合、送信パラメータは、第1のサブフレームもしくはスロットの間のメッセージの送信に使用されるべきMCS、または、第1のサブフレームもしくはスロットの間のメッセージの送信と関連付けられるリソース割振り方式、またはこれらの組合せのうちの少なくとも1つを含む。いくつかの場合、アップリンクSPS通信を実行することは、SPS構成に従って、第1のサブフレーム��たはスロットの間に共有無線周波数スペクトルのチャネル上で基地局においてメッセージが受信されなかったと決定することを含む。
【０２４３】
トリガベースSPSマネージャ1345は、SPSトリガを検出するためにSPS構成と関連付けられる識別子を使用して制御信号のDCIをデスクランブルし、SPSトリガを検出するためにSPS期間内の構成されるウィンドウ内のサブフレームまたはスロットのセットを監視し、サブフレームまたはスロットのセットがサブフレームまたはスロットを含み、SPSトリガを検出するためにGC-PDCCHを復号し、SPSトリガにしたがってサブフレームまたはスロットにおいてダウンリンクメッセージを受信し、SPS構成と関連付けられるサブフレームまたはスロット遅延パラメータを決定し、サブフレームまたはスロット遅延パラメータが、SPSトリガが受信されるサブフレームまたはスロットの後にアップリンクメッセージの送信を遅らせるべきサブフレームまたはスロットの数を特定し、アップリンクメッセージが、サブフレームまたはスロット遅延パラメータに従ってあるサブフレームまたはスロットにおいて送信され、SPS構成に基づいてアップリンクメッセージのためのRVを特定し、RVを示すようにアップリンクメッセージを構成し、SPSトリガに従ってサブフレームまたはスロットにおいてアップリンクメッセージを送信し得る。いくつかの場合、ダウンリンクSPS通信を実行することは、サブフレームまたはスロットの制御信号においてSPSトリガを検出することを含み、SPSトリガはSPSパラメータに基づく。いくつかの場合、GC-PDCCHは、UEおよび少なくとも1つの追加のUEのためのSPSトリガを示す。いくつかの場合、識別子はGC-SPS C-RNTIを含む。いくつかの場合、少なくとも1つのSPSパラメータは、SPS周期、またはSPS構成と関連付けられるHARQプロセスの数、またはこれらの組合せを含む。いくつかの場合、SPS構成メッセージは、ダウンリンクメッセージのSPS送信のためのサブフレームまたはスロットを特定しない。いくつかの場合、GC-PDCCHは、UEおよび少なくとも1つの追加のUEのためのSPSトリガを示す。いくつかの場合、アップリンクSPS通信を実行することは、1つまたは複数のサブフレームまたはスロットのうちのあるサブフレームまたはスロットの制御信号においてSPSトリガを検出することを含み、SPSトリガはSPSパラメータに基づく。いくつかの場合、識別子はGC-SPS C-RNTIを含む。いくつかの場合、少なくとも1つのSPSパラメータは、SPS周期、またはSPS構成と関連付けられるサブフレームまたはスロット遅延パラメータ、またはSPS構成と関連付けられるHARQプロセスの数、またはこれらの組合せを含む。いくつかの場合、SPS構成メッセージは、ダウンリンクメッセージのSPS送信のためのサブフレームまたはスロットを特定しない。
【０２４４】
ハイブリッドSPSマネージャ1350は、この決定に基づいてサブフレームまたはスロットの間に制御信号の中のSPSトリガを検出し、SPSトリガに従ってサブフレームまたはスロットの間にチャネル上でメッセージを受信し、SPSトリガに従ってサブフレームまたはスロットの間にチャネル上でメッセージを送信し得る。いくつかの場合、ダウンリンクSPS通信を実行することは、ダウンリンクSPS通信に割り振られた1つまたは複数のサブフレームまたはスロットにおいてSPSパケットが受信されなかったと決定することと、この決定に基づいて後続のサブフレームまたはスロットにおいてSPSトリガを検出することと、SPSトリガに従って後続のサブフレームまたはスロットの間にチャネル上でメッセージを受信することとを含む。
【０２４５】
図14は、本開示の態様による共有スペクトルのためのSPSをサポートするデバイス1405を含むシステム1400の図を示す。デバイス1405は、(たとえば、図11および図12を参照して)上で説明されたワイヤレスデバイス1105、ワイヤレスデバイス1205、またはUE115の構成要素の例であるか、またはそれを含み得る。デバイス1405は、UE通信マネージャ1415、プロセッサ1420、メモリ1425、ソフトウェア1430、トランシーバ1435、アンテナ1440、およびI/Oコントローラ1445を含む、通信を送信および受信するための構成要素を含む双方向音声およびデータ通信のための構成要素を含み得る。これらの構成要素は、1つまたは複数のバス(たとえば、バス1410)を介して電子的に通信し得る。デバイス1405は、1つまたは複数の基地局105とワイヤレスに通信し得る。
【０２４６】
プロセッサ1420は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1420は、メモリコントローラを使用してメモリアレイを動作させるように構成され得る。他の場合には、メモリコントローラは、プロセッサ1420へと統合され得る。プロセッサ1420は、様々な機能(たとえば、共有スペクトルのためのSPSをサポートする機能またはタスク)を実行するために、メモリに記憶されたコンピュータ可読命令を実行するように構成され得る。
【０２４７】
メモリ1425は、ランダムアクセスメモリ(RAM)および読取り専用メモリ(ROM)を含み得る。メモリ1425は、実行されると、プロセッサに本明細書で説明される様々な機能を実行させる命令を含むコンピュータ可読のコンピュータ実行可能ソフトウェア1430を記憶し得る。いくつかの場合、メモリ1425は、特に、周辺構成要素またはデバイスとの対話などの、基本ハードウェアまたはソフトウェア動作を制御し得る基本入出力システム(BIOS)を含み得る。
【０２４８】
ソフトウェア1430は、共有スペクトルのためのSPSをサポートするためのコードを含む、本開示の態様を実装するためのコードを含み得る。ソフトウェア1430は、システムメモリまたは他のメモリなどの、非一時的コンピュータ可読媒体に記憶され得る。いくつかの場合、ソフトウェア1430は、プロセッサによって直接実行可能でないことがあるが、(たとえば、コンパイルされ実行されると)コンピュータに本明細書で説明される機能を実行させることがある。
【０２４９】
トランシーバ1435は、上で説明されたように、1つまたは複数のアンテナ、有線リンク、またはワイヤレスリンクを介して、双方向に通信し得る。たとえば、トランシーバ1435は、ワイヤレストランシーバを表すことができ、別のワイヤレストランシーバと双方向に通信することができる。トランシーバ1435はまた、パケットを変調し、変調されたパケットを送信するためにアンテナに与え、アンテナから受信されたパケットを復調するためのモデムを含み得る。
【０２５０】
いくつかの場合、ワイヤレスデバイスは、単一のアンテナ1440を含み得る。しかしながら、いくつかの場合、デバイスは、複数のワイヤレス送信を同時に送信または受信することが可能であり得る2つ以上のアンテナ1440を有し得る。
【０２５１】
I/Oコントローラ1445は、デバイス1405のための入力信号および出力信号を管理し得る。I/Oコントローラ1445は、デバイス1405に組み込まれていない周辺機器も管理し得る。いくつかの場合には、I/Oコントローラ1445は、外部周辺機器への物理接続またはポートを表し得る。いくつかの場合、I/Oコントローラ1445は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1445は、モデム、キーボード、マウス、タッチスクリーン、または同様のデバイスを表し、またはそれと対話し得る。いくつかの場合、I/Oコントローラ1445は、プロセッサの一部として実装され得る。いくつかの場合、ユーザは、I/Oコントローラ1445を介して、またはI/Oコントローラ1445によって制御されるハードウェア構成要素を介して、デバイス1405と対話し得る。
【０２５２】
図15は、本開示の態様による、共有スペクトルのためのSPSをサポートするワイヤレスデバイス1505のブロック図1500を示す。ワイヤレスデバイス1505は、本明細書で説明されたような基地局105の態様の例であり得る。ワイヤレスデバイス1505は、受信機1510、基地局通信マネージャ1515、および送信機1520を含み得る。ワイヤレスデバイス1505はプロセッサも含み得る。これらの構成要素の各々は、(たとえば、1つまたは複数のバスを介して)互いに通信していることがある。
【０２５３】
受信機1510は、パケット、ユーザデータ、または様々な情報チャネル(たとえば、制御チャネル、データチャネル、および共有スペクトルのためのSPSに関する情報など)と関連付けられた制御情報などの情報を受信し得る。情報はデバイスの他の構成要素に受け渡され得る。受信機1510は、図18を参照して説明されるトランシーバ1835の態様の例であり得る。受信機1510は、単一のアンテナまたはアンテナのセットを利用し得る。
【０２５４】
基地局通信マネージャ1515は、図18を参照して説明される基地局通信マネージャ1815の態様の例であり得る。
【０２５５】
基地局通信マネージャ1515、および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1515および/またはその様々な副構成要素のうちの少なくともいくつかの機能は、汎用プロセッサ、DSP、ASIC、FPGAまたは他のプログラマブル論理デバイス、個別ゲートもしくはトランジスタ論理、個別ハードウェア構成要素、または本開示で説明される機能を実行するように設計されたそれらの任意の組合せによって実行され得る。基地局通信マネージャ1515および/またはその様々な副構成要素のうちの少なくともいくつかは、機能の一部が1つまたは複数の物理デバイスによって異なる物理的位置において実装されるように分散されることを含めて、様々な場所に物理的に位置し得る。いくつかの例では、基地局通信マネージャ1515および/またはその様々な副構成要素のうちの少なくともいくつかは、本開示の様々な態様による、分離したおよび別個の構成要素であり得る。他の例では、基地局通信マネージャ1515および/またはその様々な副構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０２５６】
基地局通信マネージャ1515は、共有無線周波数スペクトル帯域を介したダウンリンクSPS通信を実行するための1つまたは複数のUEを特定し、共有無線周波数スペクトル帯域を介したダウンリンクSPS通信のための少なくとも1つのSPSパラメータを含むSPS構成メッセージを1つまたは複数のUEに送信し、SPS構成に従って1つまたは複数のサブフレームまたはスロットの間にダウンリンクSPS通信を実行することができる。基地局通信マネージャ1515はまた、共有無線周波数スペクトル帯域を介したアップリンクSPS通信を実行するための1つまたは複数のUEを特定し、共有無線周波数スペクトル帯域を介したアップリンクSPS通信のための少なくとも1つのSPSパラメータを含むSPS構成メッセージを1つまたは複数のUEに送信し、SPS構成に従って1つまたは複数のサブフレームまたはスロットの間にアップリンクSPS通信を実行することができる。
【０２５７】
送信機1520は、デバイスの他の構成要素によって生成される信号を送信し得る。いくつかの例では、送信機1520は、トランシーバモジュールの中の受信機1510と一緒に置かれ得る。たとえば、送信機1520は、図18を参照して説明されるトランシーバ1835の態様の例であり得る。送信機1520は、単一のアンテナまたはアンテナのセットを利用し得る。
【０２５８】
図16は、本開示の態様による、共有スペクトルのためのSPSをサポートするワイヤレスデバイス1605のブロック図1600を示す。ワイヤレスデバイス1605は、図15を参照して説明されたようなワイヤレスデバイス1505または基地局105の態様の例であり得る。ワイヤレスデバイス1605は、受信機1610、基地局通信マネージャ1615、および送信機1620を含み得る。ワイヤレスデバイス1605はプロセッサも含み得る。これらの構成要素の各々は、(たとえば、1つまたは複数のバスを介して)互いに通信していることがある。
【０２５９】
受信機1610は、パケット、ユーザデータ、または様々な情報チャネル(たとえば、制御チャネル、データチャネル、および共有スペクトルのためのSPSに関する情報など)と関連付けられた制御情報などの情報を受信し得る。情報はデバイスの他の構成要素に受け渡され得る。受信機1610は、図18を参照して説明されるトランシーバ1835の態様の例であり得る。受信機1610は、単一のアンテナまたはアンテナのセットを利用し得る。
【０２６０】
基地局通信マネージャ1615は、図18を参照して説明される基地局通信マネージャ1815の態様の例であり得る。
【０２６１】
基地局通信マネージャ1615はまた、SPS UEマネージャ1625、SPS構成マネージャ1630、およびSPS通信マネージャ1635を含み得る。
【０２６２】
SPS UEマネージャ1625は、共有無線周波数スペクトル帯域を介してダウンリンクSPS通信を実行するための1つまたは複数のUEを特定し、共有無線周波数スペクトル帯域を介してアップリンクSPS通信を実行するための1つまたは複数のUEを特定し得る。
【０２６３】
SPS構成マネージャ1630は、共有無線周波数スペクトル帯域を介したダウンリンクSPS通信のための少なくとも1つのSPSパラメータを含むSPS構成メッセージを1つまたは複数のUEに送信し、共有無線周波数スペクトル帯域を介したアップリンクSPS通信のための少なくとも1つのSPSパラメータを含むSPS構成メッセージを1つまたは複数のUEに送信することができる。
【０２６４】
SPS通信マネージャ1635は、SPS構成に従って、1つまたは複数のサブフレームまたはスロットの間にダウンリンクSPS通信を実行し、SPS構成に従って、1つまたは複数のサブフレームまたはスロットの間にアップリンクSPS通信を実行し得る。
【０２６５】
送信機1620は、デバイスの他の構成要素によって生成される信号を送信し得る。いくつかの例では、送信機1620は、トランシーバモジュールの中の受信機1610と一緒に置かれ得る。たとえば、送信機1620は、図18を参照して説明されるトランシーバ1835の態様の例であり得る。送信機1620は、単一のアンテナまたはアンテナのセットを利用し得る。
【０２６６】
図17は、本開示の態様による、共有スペクトルのためのSPSをサポートする基地局通信マネージャ1715のブロック図1700を示す。基地局通信マネージャ1715は、図15、図16、および図18を参照して説明される基地局通信マネージャ1815の態様の例であり得る。基地局通信マネージャ1715は、SPS UEマネージャ1720、SPS構成マネージャ1725、SPS通信マネージャ1730、グラントベースSPSマネージャ1735、グラントレスSPSマネージャ1740、およびトリガベースSPSマネージャ1745を含み得る。これらのモジュールの各々は、直接または間接的に(たとえば、1つまたは複数のバスを介して)互いに通信し得る。
【０２６７】
SPS UEマネージャ1720は、共有無線周波数スペクトル帯域を介してダウンリンクSPS通信を実行するための1つまたは複数のUEを特定し、共有無線周波数スペクトル帯域を介してアップリンクSPS通信を実行するための1つまたは複数のUEを特定し得る。
【０２６８】
SPS構成マネージャ1725は、共有無線周波数スペクトル帯域を介したダウンリンクSPS通信のための少なくとも1つのSPSパラメータを含むSPS構成メッセージを1つまたは複数のUEに送信することができ、共有無線周波数スペクトル帯域を介したアップリンクSPS通信のための少なくとも1つのSPSパラメータを含むSPS構成メッセージを1つまたは複数のUEに送信することができる。
【０２６９】
SPS通信マネージャ1730は、SPS構成に従って、1つまたは複数のサブフレームまたはスロットの間にダウンリンクSPS通信を実行し、SPS構成に従って、1つまたは複数のサブフレームまたはスロットの間にアップリンクSPS通信を実行し得る。
【０２７０】
グラントベースSPSマネージャ1735は、メッセージが受信されないことに基づいてメッセージのために新しいHARQプロセス割当てを割り当て、ダウンリンクグラントに従って第2のサブフレームまたはスロットの間にチャネル上でメッセージを送信することを試み、チャネルの利用不可能性に基づいてダウンリンクグラントのNDIフィールドを設定し、第2のサブフレームまたはスロットの間のチャネルの利用不可能性に基づいてメッセージを新しいHARQプロセスに割り当て、ACK/NACK送信のための可能なPUCCHリソースのセットを示す構成メッセージを送信し、ダウンリンクグラントの中のACK/NACKリソースの指示が可能なPUCCHリソースのうちの1つを特定し、チャネルの利用不可能性に基づいてダウンリンクグラントを送信し、ダウンリンクグラントが、メッセージの送信のための第1のサブフレームまたはスロットに取って代わる第2のサブフレームまたはスロットを示し、CCAの結果に基づいて第2のサブフレームまたはスロットの間にチャネル上でメッセージを送信し、この決定に基づいて、メッセージの送信のための第1のサブフレームまたはスロットに取って代わる第2のサブフレームまたはスロットを示すアップリンクグラントを送信し、アップリンクグラントに従って第2のサブフレームまたはスロットの間にチャネル上でメッセージを受信し、メッセージが受信されなかったことを示すようにPHICHのフィールドを符号化し、ダウンリンクグラントに従って第3のフレームまたはスロットの間のACK/NACKメッセージの送信にチャネルが利用不可能であると決定し、チャネルが利用不可能であることに基づいてACK/NACKメッセージを省略し、第2のサブフレームまたはスロットの間のチャネルの利用不可能性に基づいてメッセージを含むパケットを省略し得る。いくつかの態様では、ダウンリンクSPS通信を実行することは、SPS構成に従って、第1のサブフレームまたはスロットの間のメッセージの送信に共有無線周波数スペクトルのチャネルが利用不可能であると決定することを含む。いくつかの場合、第2のサブフレームまたはスロットの間にチャネル上でメッセージを送信することを試みることは、第2のサブフレームまたはスロットの間はメッセージを送信するためにチャネルが利用不可能であると決定することを含む。いくつかの場合、ダウンリンクグラントは、メッセージと関連付けられるACK/NACKリソースの指示を含む。いくつかの場合、第2のサブフレームまたはスロットの間にチャネル上でメッセージを送信することを試みることは、第2のサブフレームまたはスロットの間はメッセージを送信するためにチャネルが利用不可能であると決定することを含む。いくつかの場合、第2のサブフレームまたはスロットの間にチャネル上でメッセージを送信することを試みることは、第2のサブフレームまたはスロットの前にチャネル上でCCAを実行することを含む。いくつかの場合、アップリンクSPS通信を実行することは、SPS構成に従って、第1のサブフレームまたはスロットの間に共有無線周波数スペクトルのチャネル上でメッセージの送信が受信されなかったと決定することを含む。
【０２７１】
グラントレスSPSマネージャ1740は、構成されるウィンドウと関連付けられるウィンドウサイズを示す構成メッセージを送信し、ウィンドウサイズが、構成されるウィンドウ内のサブフレームまたはスロットのセットを含み、選択された第2のサブフレームまたはスロットの間にチャネル上でメッセージのグラントレス送信を実行し、構成されるウィンドウと関連付けられるウィンドウサイズを決定し、第2のサブフレームまたはスロットがウィンドウサイズに基づいて選択され、第1のサブフレームまたはスロットの間のメッセージの送信と関連付けられる送信パラメータを決定し、グラントレス送信が送信パラメータに基づいて実行され、SPS構成に従って送信されるACKメッセージのために使用すべき第1のPRACH波形を特定し、SPS構成に従って送信されるNACKメッセージのために使用すべき第2のPRACH波形を特定し、定められた数のUEがアクティブなSPSプロセスと関連付けられると決定し、チャネルの利用不可能性およびSPS期間内の構成されるウィンドウに基づいて第1のサブフレームまたはスロットに取って代わる第2のサブフレームまたはスロットを選択し、この決定およびSPS構成に基づいて、第1のサブフレームまたはスロットに取って代わる第2のサブフレームまたはスロットを選択し、選択された第2のサブフレームまたはスロットの間にチャネル上でメッセージのグラントレス送信を受信し、グラントレスアップリンク送信のために使用されるように関連付けられるリソースを特定する構成メッセージを送信し、グラントレス送信が特定されたリソースの少なくとも一部分を使用して受信され、メッセージのグラントレス送信を受信したことと関連付けられるACK/NACK指示を提供するようにDCIの1つまたは複数のビットを設定し、チャネル上で第3のサブフレームまたはスロットの間の信号においてDCIを送信し、UEのセットと関連付けられる識別子を使用してグループ共通DCIをスクランブルし、この決定に基づいてSPS構成のSPS周期を選択し得る。いくつかの態様では、ダウンリンクSPS通信を実行することは、SPS構成に従って、第1のサブフレームまたはスロットの間のメッセージの送信に共有無線周波数スペクトルのチャネルが利用不可能であると決定することを含む。いくつかの場合、送信パラメータは、第1のサブフレームもしくはスロットの間のメッセージの送信に使用されるべきMCS、または、第1のサブフレームもしくはスロットの間のメッセージの送信と関連付けられるリソース割振り方式、またはこれらの組合せのうちの少なくとも1つを含む。いくつかの場合、アップリンクSPS通信を実行することは、SPS構成に従って、第1のサブフレームまたはスロットの間に共有無線周波数スペクトルのチャネル上でメッセージの送信が受信されなかったと決定することを含む。いくつかの場合、特定されたリソースは、グラントレスアップリンク送信のために使用すべき1つまたは複数のUEのセットに対して利用可能である。
【０２７２】
トリガベースSPSマネージャ1745は、SPSトリガに従ってサブフレームまたはスロットの間にダウンリンクメッセージをUEに送信し、UEのためのSPSトリガを示すようにGC-PDCCHを構成し、UEおよび少なくとも1つの追加のUEのためのSPSトリガを示すようにGC-PDCCHの中の1つまたは複数のビットを構成し、SPSトリガを示すために、SPS構成と関連付けられる識別子を使用して制御信号のDCIをスクランブルし、サブフレームまたはスロットの間に制御信号を送信し、制御信号がUEのためのSPSパラメータに基づいてSPSトリガを含み、SPSトリガに従ってサブフレームまたはスロットの間にUEからアップリンクメッセージを受信し得る。いくつかの場合、ダウンリンクSPS通信を実行することは、1つまたは複数のUEのうちのあるUEへのダウンリンクメッセージのSPS送信のためのサブフレームまたはスロットを選択することを含む。いくつかの場合、識別子はGC-SPS C-RNTIを含む。いくつかの場合、少なくとも1つのSPSパラメータは、SPS周期、またはSPS構成と関連付けられるHARQプロセスの数、またはこれらの組合せを含む。いくつかの場合、SPS構成メッセージは、ダウンリンクメッセージのSPS送信のためのサブフレームまたはスロットを特定しない。いくつかの場合、識別子はGC-SPS C-RNTIを含む。いくつかの場合、少なくとも1つのSPSパラメータは、SPS周期、またはSPS構成と関連付けられるサブフレームまたはスロット遅延パラメータ、またはSPS構成と関連付けられるHARQプロセスの数、またはこれらの組合せを含む。いくつかの場合、SPS構成メッセージは、アップリンクメッセージのSPS送信のためのサブフレームまたはスロットを特定しない。いくつかの場合、アップリンクSPS通信を実行することは、1つまたは複数のUEのうちのあるUEからのアップリンクメッセージのSPS送信のためのサブフレームまたはスロットを選択することを含む。
【０２７３】
図18は、本開示の態様による共有スペクトルのためのSPSをサポートするデバイス1805を含むシステム1800の図を示す。デバイス1805は、(たとえば、図1を参照して)上で説明されたような、基地局105の構成要素の例であり、またはそれを含み得る。デバイス1805は、基地局通信マネージャ1815、プロセッサ1820、メモリ1825、ソフトウェア1830、トランシーバ1835、アンテナ1840、ネットワーク通信マネージャ1845、および局間通信マネージャ1850を含む、通信を送信および受信するための構成要素を含む双方向の音声とデータ通信のための構成要素を含み得る。これらの構成要素は、1つまたは複数のバス(たとえば、バス1810)を介して電子的に通信していることがある。デバイス1805は、1つまたは複数のUE115とワイヤレスに通信し得る。
【０２７４】
プロセッサ1820は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1820は、メモリコントローラを使用してメモリアレイを動作させるように構成され得る。他の場合には、メモリコントローラは、プロセッサ1820へと統合され得る。プロセッサ1820は、様々な機能(たとえば、共有スペクトルのためのSPSをサポートする機能またはタスク)を実行するために、メモリに記憶されたコンピュータ可読命令を実行するように構成され得る。
【０２７５】
メモリ1825はRAMおよびROMを含み得る。メモリ1825は、実行されると、プロセッサに本明細書で説明される様々な機能を実行させる命令を含むコンピュータ可読のコンピュータ実行可能ソフトウェア1830を記憶し得る。いくつかの場合、メモリ1825は、特に、周辺構成要素またはデバイスとの対話などの、基本ハードウェアまたはソフトウェア動作を制御し得るBIOSを含み得る。
【０２７６】
ソフトウェア1830は、共有スペクトルのためのSPSをサポートするためのコードを含む、本開示の態様を実装するためのコードを含み得る。ソフトウェア1830は、システムメモリまたは他のメモリなどの、非一時的コンピュータ可読媒体に記憶され得る。いくつかの場合、ソフトウェア1830は、プロセッサによって直接実行可能ではないことがあるが、(たとえば、コンパイルおよび実行されると)本明細書で説明される機能をコンピュータに実行させ得る。
【０２７７】
トランシーバ1835は、上で説明されたように、1つまたは複数のアンテナ、有線リンク、またはワイヤレスリンクを介して、双方向に通信し得る。たとえば、トランシーバ1835は、ワイヤレストランシーバを表すことができ、別のワイヤレストランシーバと双方向に通信することができる。トランシーバ1835はまた、パケットを変調し、変調されたパケットを送信するためにアンテナに与え、アンテナから受信されたパケットを復調するためのモデムを含み得る。
【０２７８】
いくつかの場合、ワイヤレスデバイスは、単一のアンテナ1840を含み得る。しかしながら、いくつかの場合、デバイスは、複数のワイヤレス送信を同時に送信または受信することが可能であり得る複数のアンテナ1840を有し得る。
【０２７９】
ネットワーク通信マネージャ1845は、(たとえば、1つまたは複数の有線バックホールリンクを介して)コアネットワークとの通信を管理し得る。たとえば、ネットワーク通信マネージャ1845は、1つまたは複数のUE115などの、クライアントデバイスのためのデータ通信の転送を管理し得る。
【０２８０】
局間通信マネージャ1850は、他の基地局105との通信を管理することができ、他の基地局105と協働してUE115との通信を制御するためのコントローラまたはスケジューラを含み得る。たとえば、局間通信マネージャ1850は、ビームフォーミングまたはジョイント送信などの様々な干渉緩和技法のために、UE115への送信のスケジューリングを協調させ得る。いくつかの例では、局間通信マネージャ1850は、基地局105間の通信を行うために、LTE/LTE-Aワイヤレス通信ネットワーク技術内のX2インターフェースを与え得る。
【０２８１】
図19は、本開示の態様による、共有スペクトルのためのSPSの方法1900を示すフローチャートを示す。方法1900の動作は、本明細書で説明されたように、UE115またはその構成要素によって実施され得る。たとえば、方法1900の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２８２】
1905において、UE115は、SPS構成メッセージを基地局から受信することができ、SPS構成メッセージは、共有無線周波数スペクトル帯域を介したダウンリンクSPS通信のための少なくとも1つのSPSパラメータを含む。1905の動作は、本明細書で説明される方法に従って実行され得る。いくつかの例では、1905の動作の態様は、図11〜図14を参照して説明されたようなSPS構成マネージャによって実行され得る。
【０２８３】
1910において、UE115は、SPS構成に基づいて、ダウンリンクSPS通信のために割り振られた1つまたは複数のサブフレームまたはスロットを特定し得る。1910の動作は、本明細書で説明される方法に従って実行され得る。いくつかの例では、1910の動作の態様は、図11〜図14を参照して説明されたようなSPSサブフレームまたはスロットマネージャによって実行され得る。
【０２８４】
1915において、UE115は、SPS構成に従って、1つまたは複数のサブフレームまたはスロットの間にダウンリンクSPS通信を実行し得る。1915の動作は、本明細書で説明される方法に従って実行され得る。いくつかの例では、1915の動作の態様は、図11〜図14を参照して説明されたようなSPS通信マネージャによって実行され得る。
【０２８５】
図20は、本開示の態様による、共有スペクトルのためのSPSの方法2000を示すフローチャートを示す。方法2000の動作は、本明細書で説明されたように、UE115またはその構成要素によって実施され得る。たとえば、方法2000の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２８６】
2005において、UE115は、SPS構成メッセージを基地局から受信することができ、SPS構成メッセージは、共有無線周波数スペクトル帯域を介したダウンリンクSPS通信のための少なくとも1つのSPSパラメータを含む。2005の動作は、本明細書で説明される方法に従って実行され得る。いくつかの例では、2005の動作の態様は、図11〜図14を参照して説明されたようなSPS構成マネージャによって実行され得る。
【０２８７】
2010において、UE115は、SPS構成に基づいて、ダウンリンクSPS通信のために割り振られた1つまたは複数のサブフレームまたはスロットを特定し得る。2010の動作は、本明細書で説明される方法に従って実行され得る。いくつかの例では、2010の動作の態様は、図11〜図14を参照して説明されたようなSPSサブフレームまたはスロットマネージャによって実行され得る。
【０２８８】
2015において、UE115は、SPS構成に従って、1つまたは複数のサブフレームまたはスロットの間にダウンリンクSPS通信を実行し得る。2015の動作は、本明細書で説明される方法に従って実行され得る。いくつかの例では、2015の動作の態様は、図11〜図14を参照して説明されたようなSPS通信マネージャによって実行され得る。
【０２８９】
2020において、UE115は、SPS構成に従って、第1のサブフレームまたはスロットの間に共有無線周波数スペクトルのチャネル上でメッセージが受信されなかったと決定し得る。2020の動作は、本明細書で説明される方法に従って実行され得る。いくつかの例では、2020の動作の態様は、図11〜図14を参照して説明されたようなSPS通信マネージャによって実行され得る。
【０２９０】
2025において、UE115は、この決定に基づいて、メッセージの送信のための第1のサブフレームまたはスロットに取って代わる第2のサブフレームまたはスロットを示すダウンリンクグラントを受信することができる。2025の動作は、本明細書で説明される方法に従って実行され得る。いくつかの例では、2025の動作の態様は、図11〜図14を参照して説明されたような、グラントベースSPSマネージャによって実行され得る。
【０２９１】
2030において、UE115は、ダウンリンクグラントに従って第2のサブフレームまたはスロットの間にチャネル上でメッセージを受信し得る。2030の動作は、本明細書で説明される方法に従って実行され得る。いくつかの例では、2030の動作の態様は、図11〜図14を参照して説明されたような、グラントベースSPSマネージャによって実行され得る。
【０２９２】
図21は、本開示の態様による、共有スペクトルのためのSPSの方法2100を示すフローチャートを示す。方法2100の動作は、本明細書で説明されたように、UE115またはその構成要素によって実施され得る。たとえば、方法2100の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２９３】
2105において、UE115は、SPS構成メッセージを基地局から受信することができ、SPS構成メッセージは、共有無線周波数スペクトル帯域を介したダウンリンクSPS通信のための少なくとも1つのSPSパラメータを含む。2105の動作は、本明細書で説明される方法に従って実行され得る。いくつかの例では、2105の動作の態様は、図11〜図14を参照して説明されたようなSPS構成マネージャによって実行され得る。
【０２９４】
2110において、UE115は、SPS構成に基づいて、ダウンリンクSPS通信のために割り振られた1つまたは複数のサブフレームまたはスロットを特定し得る。2110の動作は、本明細書で説明される方法に従って実行され得る。いくつかの例では、2110の動作の態様は、図11〜図14を参照して説明されたようなSPSサブフレームまたはスロットマネージャによって実行され得る。
【０２９５】
2115において、UE115は、SPS構成に従って、1つまたは複数のサブフレームまたはスロットの間にダウンリンクSPS通信を実行し得る。2115の動作は、本明細書で説明される方法に従って実行され得る。いくつかの例では、2115の動作の態様は、図11〜図14を参照して説明されたようなSPS通信マネージャによって実行され得る。
【０２９６】
2120において、SPS構成に従って1つまたは複数のサブフレームまたはスロットの間にダウンリンクSPS通信を実行することの一部として、UE115は、SPS構成に従って第1のサブフレームまたはスロットの間に共有無線周波数スペクトルのチャネル上でメッセージが受信されなかったと決定し得る。2120の動作は、本明細書で説明される方法に従って実行され得る。いくつかの例では、2120の動作の態様は、図11〜図14を参照して説明されたような、グラントレスSPSマネージャによって実行され得る。
【０２９７】
2125において、SPS構成に従って1つまたは複数のサブフレームまたはスロットの間にダウンリンクSPS通信を実行することの一部として、UE115は、この決定に基づいて、メッセージの送信およびSPS期間内の構成されるウィンドウのための第1のサブフレームまたはスロットに取って代わる第2のサブフレームまたはスロットを特定し得る。2125の動作は、本明細書で説明される方法に従って実行され得る。いくつかの例では、2125の動作の態様は、図11〜図14を参照して説明されたような、グラントレスSPSマネージャによって実行され得る。
【０２９８】
2130において、SPS構成に従って1つまたは複数のサブフレームまたはスロットの間にダウンリンクSPS通信を実行することの一部として、UE115は、第2のサブフレームまたはスロットの間にチャネル上でメッセージのグラントレス送信を受信し得る。2130の動作は、本明細書で説明される方法に従って実行され得る。いくつかの例では、2130の動作の態様は、図11〜図14を参照して説明されたような、グラントレスSPSマネージャによって実行され得る。
【０２９９】
図22は、本開示の態様による、共有スペクトルのためのSPSの方法2200を示すフローチャートを示す。方法2200の動作は、本明細書で説明されたように、UE115またはその構成要素によって実施され得る。たとえば、方法2200の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０３００】
2205において、UE115は、SPS構成メッセージを基地局から受信することができ、SPS構成メッセージは、共有無線周波数スペクトル帯域を介したダウンリンクSPS通信のための少なくとも1つのSPSパラメータを含む。2205の動作は、本明細書で説明される方法に従って実行され得る。いくつかの例では、2205の動作の態様は、図11〜図14を参照して説明されたようなSPS構成マネージャによって実行され得る。
【０３０１】
2210において、UE115は、SPS構成に基づいて、ダウンリンクSPS通信のために割り振られた1つまたは複数のサブフレームまたはスロットを特定し得る。2210の動作は、本明細書で説明される方法に従って実行され得る。いくつかの例では、2210の動作の態様は、図11〜図14を参照して説明されたようなSPSサブフレームまたはスロットマネージャによって実行され得る。
【０３０２】
2215において、SPS構成に従って、1つまたは複数のサブフレームまたはスロットの間にダウンリンクSPS通信を実行することの一部として、UE115は、SPS構成に従って、1つまたは複数のサブフレームまたはスロットの間にダウンリンクSPS通信を実行し得る。2215の動作は、本明細書で説明される方法に従って実行され得る。いくつかの例では、2215の動作の態様は、図11〜図14を参照して説明されたようなSPS通信マネージャによって実行され得る。
【０３０３】
2220において、SPS構成に従って、1つまたは複数のサブフレームまたはスロットの間にダウンリンクSPS通信を実行することの一部として、UE115は、サブフレームまたはスロットの制御信号においてSPSトリガを検出することができ、SPSトリガはSPSパラメータに基づく。2220の動作は、本明細書で説明される方法に従って実行され得る。いくつかの例では、2220の動作の態様は、図11〜図14を参照して説明されたような、トリガベースSPSマネージャによって実行され得る。
【０３０４】
2225において、SPS構成に従って、1つまたは複数のサブフレームまたはスロットの間にダウンリンクSPS通信を実行することの一部として、UE115は、SPSトリガに従ってサブフレームまたはスロットにおいてダウンリンクメッセージを受信し得る。2225の動作は、本明細書で説明される方法に従って実行され得る。いくつかの例では、2225の動作の態様は、図11〜図14を参照して説明されたような、トリガベースSPSマネージャによって実行され得る。
【０３０５】
図23は、本開示の態様による、共有スペクトルのためのSPSの方法2300を示すフローチャートを示す。方法2300の動作は、本明細書で説明されたように、UE115またはその構成要素によって実施され得る。たとえば、方法2300の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０３０６】
2305において、UE115は、SPS構成メッセージを基地局から受信することができ、SPS構成メッセージは、共有無線周波数スペクトル帯域を介したダウンリンクSPS通信のための少なくとも1つのSPSパラメータを含む。2305の動作は、本明細書で説明される方法に従って実行され得る。いくつかの例では、2305の動作の態様は、図11〜図14を参照して説明されたようなSPS構成マネージャによって実行され得る。
【０３０７】
2310において、UE115は、SPS構成に基づいて、ダウンリンクSPS通信のために割り振られた1つまたは複数のサブフレームまたはスロットを特定し得る。2310の動作は、本明細書で説明される方法に従って実行され得る。いくつかの例では、2310の動作の態様は、図11〜図14を参照して説明されたようなSPSサブフレームまたはスロットマネージャによって実行され得る。
【０３０８】
2315において、UE115は、SPS構成に従って、1つまたは複数のサブフレームまたはスロットの間にダウンリンクSPS通信を実行し得る。2315の動作は、本明細書で説明される方法に従って実行され得る。いくつかの例では、2315の動作の態様は、図11〜図14を参照して説明されたようなSPS通信マネージャによって実行され得る。
【０３０９】
2320において、SPS構成に従って、1つまたは複数のサブフレームまたはスロットの間にダウンリンクSPS通信を実行することの一部として、UE115は、ダウンリンクSPS通信に割り振られたスロットの1つまたは複数のサブフレームにおいてSPSパケットが受信されなかったと決定し得る。2320の動作は、本明細書で説明される方法に従って実行され得る。いくつかの例では、2320の動作の態様は、図11〜図14を参照して説明されたような、ハイブリッドSPSマネージャによって実行され得る。
【０３１０】
2325において、SPS構成に従って、1つまたは複数のサブフレームまたはスロットの間にダウンリンクSPS通信を実行することの一部として、UE115は、この決定に基づいて後続のサブフレームまたはスロットの間の制御信号の中のSPSトリガを検出し得る。2325の動作は、本明細書で説明される方法に従って実行され得る。いくつかの例では、2325の動作の態様は、図11〜図14を参照して説明されたような、ハイブリッドSPSマネージャによって実行され得る。
【０３１１】
2330において、SPS構成に従って、1つまたは複数のサブフレームまたはスロットの間にダウンリンクSPS通信を実行することの一部として、UE115は、SPSトリガに従って後続のサブフレームまたはスロットの間にチャネル上でメッセージを受信し得る。2330の動作は、本明細書で説明される方法に従って実行され得る。いくつかの例では、2330の動作の態様は、図11〜図14を参照して説明されたような、ハイブリッドSPSマネージャによって実行され得る。
【０３１２】
図24は、本開示の態様による、共有スペクトルのためのSPSの方法2400を示すフローチャートを示す。方法2400の動作は、本明細書で説明されるような基地局105またはその構成要素によって実施され得る。たとえば、方法2400の動作は、図15〜図18を参照して説明されたような基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して、以下で説明される機能の態様を実行し得る。
【０３１３】
2405において、基地局105は、共有無線周波数スペクトル帯域を介してダウンリンクSPS通信を実行するための1つまたは複数のUEを特定し得る。2405の動作は、本明細書で説明される方法に従って実行され得る。いくつかの例では、2405の動作の態様は、図15〜図18を参照して説明されたようなSPS UEマネージャによって実行され得る。
【０３１４】
2410において、基地局105は、共有無線周波数スペクトル帯域を介したダウンリンクSPS通信のための少なくとも1つのSPSパラメータを含むSPS構成メッセージを、1つまたは複数のUEに送信し得る。2410の動作は、本明細書で説明される方法に従って実行され得る。いくつかの例では、2410の動作の態様は、図15〜図18を参照して説明されたようなSPS構成マネージャによって実行され得る。
【０３１５】
2415において、基地局105は、SPS構成に従って、1つまたは複数のサブフレームまたはスロットの間にダウンリンクSPS通信を実行し得る。2415の動作は、本明細書で説明される方法に従って実行され得る。いくつかの例では、2415の動作の態様は、図15〜図18を参照して説明されたようなSPS通信マネージャによって実行され得る。
【０３１６】
図25は、本開示の態様による、共有スペクトルのためのSPSの方法2500を示すフローチャートを示す。方法2500の動作は、本明細書で説明されたように、UE115またはその構成要素によって実施され得る。たとえば、方法2500の動作は、図11〜図14を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０３１７】
2505において、UE115は、SPS構成メッセージを基地局から受信することができ、SPS構成メッセージは、共有無線周波数スペクトル帯域を介したアップリンクSPS通信のための少なくとも1つのSPSパラメータを含む。2505の動作は、本明細書で説明される方法に従って実行され得る。いくつかの例では、2505の動作の態様は、図11〜図14を参照して説明されたようなSPS構成マネージャによって実行され得る。
【０３１８】
2510において、UE115は、SPS構成に基づいて、アップリンクSPS通信のために割り振られた1つまたは複数のサブフレームまたはスロットを特定し得る。2510の動作は、本明細書で説明される方法に従って実行され得る。いくつかの例では、2510の動作の態様は、図11〜図14を参照して説明されたようなSPSサブフレームまたはスロットマネージャによって実行され得る。
【０３１９】
2515において、UE115は、SPS構成に従って、1つまたは複数のサブフレームまたはスロットの間にアップリンクSPS通信を実行し得る。2515の動作は、本明細書で説明される方法に従って実行され得る。いくつかの例では、2515の動作の態様は、図11〜図14を参照して説明されたようなSPS通信マネージャによって実行され得る。
【０３２０】
図26は、本開示の態様による、共有スペクトルのためのSPSの方法2600を示すフローチャートを示す。方法2600の動作は、本明細書で説明されるような基地局105またはその構成要素によって実施され得る。たとえば、方法2600の動作は、図15〜図18を参照して説明されたような基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して、以下で説明される機能の態様を実行し得る。
【０３２１】
2605において、基地局105は、共有無線周波数スペクトル帯域を介してアップリンクSPS通信を実行するための1つまたは複数のUEを特定し得る。2605の動作は、本明細書で説明される方法に従って実行され得る。いくつかの例では、2605の動作の態様は、図15〜図18を参照して説明されたようなSPS UEマネージャによって実行され得る。
【０３２２】
2610において、基地局105は、共有無線周波数スペクトル帯域を介したアップリンクSPS通信のための少なくとも1つのSPSパラメータを含むSPS構成メッセージを、1つまたは複数のUEに送信し得る。2610の動作は、本明細書で説明される方法に従って実行され得る。いくつかの例では、2610の動作の態様は、図15〜図18を参照して説明されたようなSPS構成マネージャによって実行され得る。
【０３２３】
2615において、基地局105は、SPS構成に従って、1つまたは複数のサブフレームまたはスロットの間にアップリンクSPS通信を実行し得る。2615の動作は、本明細書で説明される方法に従って実行され得る。いくつかの例では、2615の動作の態様は、図15〜図18を参照して説明されたようなSPS通信マネージャによって実行され得る。
【０３２４】
上で説明された方法は可能な実装形態を表すこと、動作およびステップが再構成されるかまたは場合によっては変更され得ること、ならびに他の実装形態が可能であることに留意されたい。さらに、方法のうちの2つ以上からの態様が組み合わされ得る。
【０３２５】
本明細書で説明された技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95およびIS-856規格をカバーする。IS-2000のリリースは、通常、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形とを含む。TDMAシステムは、Global System for Mobile Communications(GSM)などの無線技術を実装し得る。
【０３２６】
OFDMAシステムは、Ultra Mobile Broadband(UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書の中に記載されている。CDMA2000およびUMBは、「第3世代パートナーシッププロジェクト2」(3GPP2)という名称の組織からの文書に記載されている。本明細書で説明された技法は、上述のシステムおよび無線技術、ならびに他のシステムおよび無線技術に使用され得る。LTE、LTE-A、LTE-A Pro、またはNRシステムの態様が例として説明されることがあり、LTE、LTE-A、LTE-A Pro、またはNRの用語が説明の大部分において使用されることがあるが、本明細書で説明される技法は、とりわけ、5GまたはNRの適用例を含めて、LTE、LTE-A、およびLTE-A Proの適用例以外に適用可能である。
【０３２７】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。マクロセルのためのgNBは、マクロgNBと呼ばれることがある。スモールセルのためのgNBは、スモールセルgNB、ピコgNB、フェムトgNB、またはホームgNBと呼ばれることがある。gNBは、1つまたは複数の(たとえば、2つ、3つ、4つなどの)セルをサポートすることができ、1つまたは複数のコンポーネントキャリアを使用する通信もサポートすることができる。
【０３２８】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０３２９】
本明細書で説明された情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０３３０】
本明細書の本開示に関して説明される様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってもよいが、代わりに、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０３３１】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置に実装されるように分散されることを含めて、様々な場所に物理的に配置されてもよい。
【０３３２】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０３３３】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づき得る。言い換えれば、本明細書で使用される「に基づいて」という句は、「に少なくとも一部基づいて」という句と同様にして解釈されるものとする。
【０３３４】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０３３５】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０３３６】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０３３７】
100  ワイヤレス通信システム
105  基地局
110  地理的カバレッジエリア
115  UE
125  通信リンク
130  コアネットワーク
132  バックホールリンク
134  バックホールリンク
200  ワイヤレス通信システム
205  基地局
210  UE
215  ダウンリンク
220  アップリンク
300  SPS構成
305、305-a、305-b、305-c  SPS周期
310  アップリンクサブフレーム
315  ダウンリンクサブフレーム
320  ダウンリンクSPSサブフレーム
325  未使用サブフレーム
330  HARQプロセス
335  HARQプロセス
340  HARQプロセス
345  サブフレーム
350  サブフレーム
355  サブフレーム
360  サブフレーム
400  SPS構成
405、405-a、405-b、405-c  SPS周期
410  アップリンクサブフレーム
415  ダウンリンクサブフレーム
420  ダウンリンクSPSサブフレーム
425  未使用サブフレーム
430  HARQプロセス
435  HARQプロセス
440  HARQプロセス
445  サブフレーム
450  サブフレーム
455  サブフレーム
460  ウィンドウ
465  ウィンドウ
500  SPS構成
505、505-a、505-b、505-c  周期
510  アップリンクサブフレーム/スロット
515  ダウンリンクサブフレーム/スロット
520  ダウンリンクSPSトリガサブフレーム/スロット
525  未使用サブフレーム
530  HARQプロセス
535  HARQプロセス
540  HARQプロセス
545  サブフレーム
550  サブフレーム
555  サブフレーム
560  ウィンドウ
600  プロセス
605  基地局
610  UE
700  SPS構成
705  SPS周期
710  アップリンクサブフレーム
715  ダウンリンクサブフレーム
720  アップリンクSPSサブフレーム
725  未使用サブフレーム
730  サブフレーム
735  サブフレーム
740  サブフレーム
745  サブフレーム
750  サブフレーム
800  SPS構成
805  SPS周期
810  アップリンクサブフレーム
815  ダウンリンクサブフレーム
820  アップリンクSPSサブフレーム
825  未使用サブフレーム
830  サブフレーム
835  サブフレーム
840  サブフレーム
845  サブフレーム
850  サブフレーム
855  サブフレーム
860  サブフレーム
865  サブフレーム
870  サブフレーム
875  サブフレーム
900  SPS構成
905  SPS周期
910  アップリンクサブフレーム
915  ダウンリンクサブフレーム
920  アップリンクSPSトリガサブフレーム
925  未使用サブフレーム
930  サブフレーム
935  サブフレーム
940  サブフレーム
945  サブフレーム
950  サブフレーム
955  サブフレーム
960  サブフレーム
965  サブフレーム
1000  プロセス
1005  基地局
1010  UE
1100  ブロック図
1105  ワイヤレスデバイス
1110  受信機
1115  UE通信マネージャ
1120  送信機
1200  ブロック図
1205  ワイヤレスデバイス
1210  受信機
1215  UE通信マネージャ
1220  送信機
1225  SPS構成マネージャ
1230  SPSサブフレーム/スロットマネージャ
1235  SPS通信マネージャ
1300  ブロック図
1315  UE通信マネージャ
1320  SPS構成マネージャ
1325  SPSサブフレーム/スロットマネージャ
1330  SPS通信マネージャ
1335  グラントベースSPSマネージャ
1340  グラントレスSPSマネージャ
1345  トリガベースSPSマネージャ
1350  ハイブリッドSPSマネージャ
1400  システム
1405  デバイス
1410  バス
1415  UE通信マネージャ
1420  プロセッサ
1425  メモリ
1430  ソフトウェア
1435  トランシーバ
1440  アンテナ
1445  I/Oコントローラ
1500  ブロック図
1505  ワイヤレスデバイス
1510  受信機
1515  基地局通信マネージャ
1520  送信機
1600  ブロック図
1605  ワイヤレスデバイス
1610  受信機
1615  基地局通信マネージャ
1620  送信機
1625  SPS UEマネージャ
1630  SPS構成マネージャ
1635  SPS通信マネージャ
1700  ブロック図
1715  基地局通信マネージャ
1720  SPS UEマネージャ
1725  SPS構成マネージャ
1730  SPS通信マネージャ
1735  グラントベースSPSマネージャ
1740  グラントレスSPSマネージャ
1745  トリガベースSPSマネージャ
1800  システム
1805  デバイス
1810  バス
1815  基地局通信マネージャ
1820  プロセッサ
1825  メモリ
1830  ソフトウェア
1835  トランシーバ
1840  アンテナ
1845  ネットワーク通信マネージャ
1850  局間通信マネージャ
1900  方法
2000  方法
2100  方法
2200  方法
2300  方法
2400  方法
2500  方法
2600  方法
【図１】
2021505017.tif 000004
【図２】
2021505017.tif 000005
【図３】
2021505017.tif 000006
【図４】
2021505017.tif 000007
【図５】
2021505017.tif 000008
【図６】
2021505017.tif 000009
【図７】
2021505017.tif 000010
【図８】
2021505017.tif 000011
【図９】
2021505017.tif 000012
【図１０】
2021505017.tif 000013
【図１１】
2021505017.tif 000014
【図１２】
2021505017.tif 000015
【図１３】
2021505017.tif 000016
【図１４】
2021505017.tif 000017
【図１５】
2021505017.tif 000018
【図１６】
2021505017.tif 000019
【図１７】
2021505017.tif 000020
【図１８】
2021505017.tif 000021
【図１９】
2021505017.tif 000022
【図２０】
2021505017.tif 000023
【図２１】
2021505017.tif 000024
【図２２】
2021505017.tif 000025
【図２３】
2021505017.tif 000026
【図２４】
2021505017.tif 000027
【図２５】
2021505017.tif 000028
【図２６】
2021505017.tif 000029
【国際調査報告】
2021505017.tif 000030
2021505017.tif 000031
2021505017.tif 000032